(57)【要約】【課題】容易に製造することができるミキサ及びこのミキサを備えたミキサ車を提供する。【解決手段】ミキサ３０は、架台３１、ミキサドラム３２、ホッパ３３、及び、ホッパ支持部５０を備えている。架台３１は、ミキサドラム３２、及びホッパ支持部５０を上に配置している。ミキサドラム３２は開口部３２Ｇを有し、回転軸を中心に回転する。ホッパ３３は一端に開口した投入口３３Ｅ、及び他端に開口した排出口３３Ｆを有し、排出口３３Ｆが開口部３２Ｇに挿入される。ホッパ支持部５０は架台３１上に配置され、ホッパ３３を支持する。位置調整部５２はホッパ３３とホッパ支持部５０との間で、排出口３３Ｆを開口部３２Ｇに対して所定の位置に調整する。【選択図】図４
2018118408.tif 000002
【特許請求の範囲】
【請求項１】
架台と、
開口部を有し、前記架台上に配置され、回転軸を中心に回転するミキサドラムと、
一端に開口した投入口、及び他端に開口した排出口を有し、前記排出口が前記開口部に挿入されるホッパと、
前記架台上に配置され、前記ホッパを支持するホッパ支持部と、
前記ホッパと前記ホッパ支持部との間で、前記排出口を前記開口部に対して所定の位置に調整する位置調整部と、
を備えていることを特徴とするミキサ。
【請求項２】
前記位置調整部は、
前記開口部に対する前記排出口の角度、上下方向、前後方向、及び左右方向の少なくともいずれかの位置を調整する連結部を有していることを特徴とする請求項１に記載のミキサ。
【請求項３】
前記位置調整部は、
少なくとも前記連結部の一部が、前記回転軸方向に対して直交し、水平方向に延びる第１連結部と、前記第１連結部に係合する第１係合部とを有し、
前記ホッパ支持部に前記第１連結部、又は前記第１係合部のいずれか一方が設けられ、前記ホッパに前記第１連結部、又は前記第１係合部のいずれか他方が設けられ、前記排出口を前記開口部に対して角度自在に調整することを特徴とする請求項２に記載のミキサ。
【請求項４】
前記位置調整部は、
前記第１連結部と前記ホッパ支持部とを連結する第２連結部と、
前記ホッパ支持部に対する前記第２連結部の位置を上下方向に高さ自在に調整して係合する第２係合部と、
を有していることを特徴とする請求項３に記載のミキサ。
【請求項５】
前記位置調整部は、
前記ホッパ支持部に対する前記ホッパの位置を前後方向に自在に調整して、前記連結部と前記ホッパ支持部とを係合する第３係合部を有していることを特徴とする請求項２乃至４のいずれか１項に記載のミキサ。
【請求項６】
前記位置調整部は、
前記ホッパ支持部に対する前記ホッパの位置を左右方向に自在に調整して、前記連結部と前記ホッパ支持部とを係合する第４係合部を有していることを特徴とする請求項２乃至５のいずれか１項に記載のミキサ。
【請求項７】
前記第１連結部は、
断面形状の外形が円形状であることを特徴とする請求項３乃至６のいずれか１項に記載のミキサ。
【請求項８】
前記ホッパ支持部は、
前後方向に延びた係合部用長孔を具備し、前記第３係合部が前記係合部用長孔を介して前記ホッパ支持部に連結されることを特徴とする請求項５又は請求項５を引用する請求項７に記載のミキサ。
【請求項９】
前記第４係合部は、
左右方向に延びた係合長孔を具備し、前記第４係合部が前記係合長孔を介して前記ホッパ支持部に連結されることを特徴とする連結されることを特徴とする請求項６、請求項６を引用する請求項７、請求項６及び７を引用する請求項８のいずれか１項に記載のミキサ。
【請求項１０】
前記ホッパの後側に設けられ、前記ホッパ支持部に対する前記ホッパの後側の位置を上下方向に自在に調整する高さ調整部を備えていることを特徴とする請求項１乃至９のいずれか１項に記載のミキサ。
【請求項１１】
前記高さ調整部は、
第１貫通孔を具備して、前記ホッパの後側に立設した高さ調整部本体と、
第２貫通孔を具備して、前記高さ調整部本体と前記ホッパ支持部とを互いに連結する連結部材と、
を有しており、
前記第１貫通孔又は前記第２貫通孔の少なくとも一方が上下方向に一列に並び複数設けられ、前記第１貫通孔と前記第２貫通孔とにボルトを挿通して前記高さ調整部本体と前記連結部材とを連結することを特徴とする請求項１０に記載のミキサ。
【請求項１２】
前記第１貫通孔及び前記第２貫通孔が複数設けられており、前記第１貫通孔の互いに隣り合う間の寸法と、前記第２貫通孔の互いに隣り合う間の寸法とが異なることを特徴とする請求項１１に記載のミキサ。
【請求項１３】
請求項１乃至１２のいずれか１項に記載のミキサを備えるミキサ車。
【発明の詳細な説明】
【技術分野】
【０００１】
本発明はミキサ及びこのミキサを備えたミキサ車に関するものである。
【背景技術】
【０００２】
特許文献１は従来のミキサを開示している。このミキサは、ミキサドラム、及びホッパを備えている。ミキサドラムは内周面に沿って螺旋状に設けられた複数のドラムブレード、及びミキサドラムの後部の中央に円筒状をなしたチャージングシリンダ（シールパイプ）を有している。ホッパは一端が上方向に拡がりながら開口した投入口、及び円筒状をなした排出部を有している。ホッパの排出部は基端がホッパの前側の下部に連結して、先端が前方向に延びて設けられている。ホッパは他端である排出部の先端に排出口が設けられている。ホッパは投入口と排出口とが排出部を介して連通している。ホッパは排出部がミキサドラムのチャージングシリンダ（シールパイプ）に挿入して連通している。また、ホッパは架台上に設けられた図示しないフレームに取り付けられる。
【０００３】
このミキサはチャージングシリンダ（シールパイプ）にホッパの排出部を挿入する。つまり、このミキサはフレームに対するホッパの位置が、チャージングシリンダ（シールパイプ）とホッパの排出部との位置によって決定される。このため、このミキサはチャージングシリンダ（シールパイプ）にホッパの排出部を挿入した後、ホッパをフレームに取り付ける。
【０００４】
また、このミキサはミキサドラムに対するチャージングシリンダ（シールパイプ）の位置、及びフレームに対するミキサドラムの位置がばらつく。これにより、このミキサはフレームに対するホッパの位置もばらつく。このため、一般的に溶接を用いてホッパをフレームに取り付ける。これにより、フレームに対するホッパの位置がばらついてもホッパをフレームに容易に取り付けることができる。
【先行技術文献】
【特許文献】
【０００５】
【特許文献１】特開平１−３２０１０８号公報
【発明の概要】
【発明が解決しようとする課題】
【０００６】
しかし、溶接を行うとスパッタが発生する。これにより、溶接を行うことにより発生したスパッタが溶接する場所の周囲に付着することを防止するため、溶接を行う場所の周囲を養生シート等で覆う必要がある。また、仮に溶接を行うことにより発生したスパッタが溶接を行った場所の周囲に付着した場合、スパッタを取り除く作業が必要である。さらに、溶接は溶接資格を有した作業者が行わなければならない。このため、溶接を用いてホッパをフレームに取り付ける場合、作業者が限られる。つまり、溶接を用いてホッパをフレームに取り付けるとミキサの製造に手間がかかるおそれがある。
【０００７】
本発明は、上記問題点に鑑みてなされたものであり、容易に製造することができるミキサ及びこのミキサを備えたミキサ車を提供することを目的とする。
【課題を解決するための手段】
【０００８】
本発明のミキサは、架台、ミキサドラム、ホッパ、及び、ホッパ支持部を備えている。架台は、ミキサドラム、及びホッパ支持部を上に配置している。ミキサドラムは開口部を有し、回転軸を中心に回転する。ホッパは一端に開口した投入口、及び他端に開口した排出口を有し、排出口が開口部に挿入される。ホッパ支持部は架台上に配置され、ホッパを支持する。位置調整部はホッパとホッパ支持部との間で、排出口を開口部に対して所定の位置に調整する。また、本発明のミキサはミキサ車に搭載される。ミキサ車は、搭載した本発明のミキサでレディミクストコンクリートを攪拌しながら運搬する。
【０００９】
このミキサは、ホッパがホッパ支持部を介して架台に連結している。また、ホッパは位置調整部によってミキサドラムに対する位置を容易に調整することができる。このため、このミキサはホッパの排出口をミキサドラムの開口部に対して、所定の位置に容易に配置することができる。
【００１０】
したがって、本発明のミキサは容易に製造することができる。
【００１１】
本発明の位置調整部は、開口部に対する排出口の角度、上下方向、前後方向、及び左右方向の少なくともいずれかの位置を調整する連結部を有し得る。この場合、このミキサは連結部によってホッパの位置を調整することができる。これにより、このミキサはホッパの排出口の開口方向をミキサドラムの開口部の開口方向に容易に合わせることができる。
【００１２】
本発明の位置調整部は、少なくとも連結部の一部が、回転軸方向に対して直交し、水平方向に延びる第１連結部と、第１連結部に係合する第１係合部とを有している。第１連結部、又は第１係合部のいずれか一方がホッパ支持部に設けられ、いずれか他方がホッパに設けられて、排出口を開口部に対して角度自在に調整し得る。この場合、このミキサはホッパが第１係合部及び第１連結部を介してホッパ支持部に連結する。つまり、このミキサはホッパとホッパ支持部とを溶接して連結しない。これにより、このミキサはホッパを取り付ける際に溶接によるスパッタが発生しない。このため、このミキサはスパッタの付着を防止するために溶接する場所の周囲を養生する必要がない。また、このミキサは溶接資格を有していない作業者であってもホッパをホッパ支持部に取り付けることができる。
【００１３】
本発明の位置調整部は、第１連結部とホッパ支持部とを連結する第２連結部と、ホッパ支持部に対する第２連結部の位置を上下方向に高さ自在に調整して係合する第２係合部とを有し得る。この場合、このミキサは第２係合部に第２連結部のホッパ支持部に対する位置を調整する機能を設けることによって、第２連結部やホッパ支持部の構造を簡単にすることができる。これにより、このミキサは第２連結部やホッパ支持部を容易に製造することができるため、製造する手間を抑えることができる。
【００１４】
本発明の位置調整部は、ホッパ支持部に対するホッパの位置を前後方向に自在に調整して、連結部とホッパ支持部とを係合する第３係合部を有し得る。この場合、このミキサは第３係合部を介して連結部とホッパ支持部とを係合することができる。つまり、このミキサは連結部とホッパ支持部とを溶接していない。これにより、このミキサは連結部をホッパ支持部に取り付ける際に溶接によるスパッタが発生しない。このため、このミキサはスパッタの付着を防止するために溶接する場所の周囲を養生する必要がない。また、このミキサは溶接資格を有していない作業者であっても連結部をホッパ支持部に取り付けることができる。
【００１５】
本発明の位置調整部は、ホッパ支持部に対するホッパの位置を左右方向に自在に調整して、連結部とホッパ支持部とを係合する第４係合部を有し得る。この場合、このミキサは第４係合部を介して連結部とホッパ支持部とを係合することができる。つまり、このミキサは連結部とホッパ支持部とを溶接していない。これにより、このミキサは連結部をホッパ支持部に取り付ける際に溶接によるスパッタが発生しない。このため、このミキサはスパッタの付着を防止するために溶接する場所の周囲を養生する必要がない。また、このミキサは溶接資格を有していない作業者であっても連結部をホッパ支持部に取り付けることができる。
【００１６】
本発明の第１連結部は、断面形状の外形が円形状であり得る。この場合、このミキサは第１連結部の円形状の周方向にホッパを回動させてホッパの位置を調整することができる。これにより、このミキサはホッパの排出口の開口方向をミキサドラムの開口部の開口方向に容易に合わせることができる。
【００１７】
本発明のホッパ支持部は、前後方向に延びた係合部用長孔を具備し、第３係合部が係合部用長孔を介してホッパ支持部に連結され得る。この場合、このミキサは第３係合部のホッパ支持部に対する位置を係合部用長孔が延びる方向に容易に調整して、連結部とホッパ支持部とを連結することができる。
【００１８】
本発明の第４係合部は、左右方向に延びた係合長孔を具備し、第４係合部が係合長孔を介してホッパ支持部に連結され得る。この場合、このミキサは第４係合部のホッパ支持部に対する位置を係合長孔が延びる方向に容易に調整して、連結部とホッパ支持部とを連結することができる。
【００１９】
本発明のミキサは、ホッパの後側に設けられ、ホッパ支持部に対するホッパの後側の位置を上下方向に自在に調整する高さ調整部を備え得る。この場合、このミキサはホッパ支持部に対するホッパの後側の位置を高さ調整部を調整することによって上下方向に自在に調整する。これにより、このミキサはホッパの排出口の開口方向をミキサドラムの開口部の開口方向により良好に合わせることができる。
【００２０】
本発明の高さ調整部は、第１貫通孔を具備して、ホッパの後側に立設した高さ調整部本体と、第２貫通孔を具備して、高さ調整部本体とホッパ支持部とを互いに連結する連結部材とを有しており、第１貫通孔又は第２貫通孔の少なくとも一方が上下方向に一列に並び複数設けられ、第１貫通孔と第２貫通孔とにボルトを挿通して高さ調整部本体と連結部材とを連結し得る。この場合、このミキサは連通した第１貫通孔及び第２貫通孔にボルトを挿通することができる。つまり、このミキサはホッパ支持部に対するホッパの後側の位置を上下方向に容易に調整することができる。
【００２１】
本発明のミキサは第１貫通孔及び第２貫通孔が複数設けられており、第１貫通孔の互いに隣り合う間の寸法と、第２貫通孔の互いに隣り合う間の寸法とが異なり得る。この場合、このミキサは第１貫通孔、及び第２貫通孔のそれぞれの隣り合う間の寸法の差分互いに上下方向にずらすことによって、連通した孔の隣り合う孔を連通させることができる。つまり、このミキサはホッパ支持部に対するホッパの後側の位置を上下方向に微調整することができる。
【００２２】
本発明のミキサはミキサ車に備えられ得る。この場合、このミキサを備えたミキサ車はホッパの排出口をミキサドラムの開口部に対して、所定の位置に容易に配置することができる。
【図面の簡単な説明】
【００２３】
【図１】実施形態１のミキサを搭載したミキサ車を上方から見た平面図である。
【図２】実施形態１のミキサのホッパを拡大して上方から見た平面図である。
【図３】実施形態１のミキサのホッパを拡大して左方から見た側面図である。
【図４】実施形態１のミキサのホッパを拡大して後方から見た側面図である。
【図５】実施形態２のミキサのホッパの左側を拡大して上方から見た平面図である。
【図６】実施形態２のミキサのホッパを拡大して左方から見た側面図である。
【図７】実施形態２のミキサのホッパの右側を拡大して前方から見た側面図である。
【図８】実施形態３のミキサのホッパの左側を拡大して上方から見た平面図である。
【図９】実施形態３のミキサのホッパを拡大して左方から見た側面図である。
【図１０】実施形態３のミキサのホッパの左側を拡大して前方から見た側面図である。
【図１１】図９におけるＸ−Ｘ断面図である。
【図１２】実施形態４のミキサのホッパの左側を拡大して上方から見た平面図である。
【図１３】実施形態４のミキサのホッパを拡大して左方から見た側面図である。
【図１４】実施形態４のミキサのホッパの左側を拡大して後方から見た側面図である。
【図１５】実施形態５のミキサのホッパの左側を拡大して上方から見た平面図である。
【図１６】実施形態５のミキサのホッパを拡大して左方から見た側面図である。
【図１７】実施形態５のミキサのホッパの左側を拡大して後方から見た側面図である。
【図１８】実施形態６のミキサのホッパを左側の斜め上後方から見た斜視図である。
【図１９】実施形態６のミキサの第２係合部を左側の斜め上後方から見た斜視図である。
【図２０】実施形態６のミキサの第１係合基部を拡大した図であって、（Ａ）は左方から見た側面図であり、（Ｂ）は上方から見た平面図である。
【図２１】実施形態７のミキサのホッパを左側の斜め上後方から見た斜視図である。
【図２２】実施形態８のミキサのホッパを左側の斜め上後方から見た斜視図である。
【図２３】実施形態９のミキサのホッパを左側の斜め上後方から見た斜視図である。
【図２４】実施形態９のミキサの第１係合部のヒンジ部を拡大して構成を示した構成図である。
【図２５】実施形態１０のミキサのホッパを左側の斜め上後方から見た斜視図である。
【発明を実施するための形態】
【００２４】
次に、本発明のミキサを車体に搭載したミキサ車を具体化した実施形態１〜１０について、図面を参照しつつ説明する。
【００２５】
＜実施形態１＞
実施形態１のミキサを備えたミキサ車は、図１に示すように、車体１０、ミキサ３０、油圧モータ１１、及び油圧ポンプ１２を備えている。このミキサ車はレディミクストコンクリートを撹拌しながら運搬することができる。
【００２６】
車体１０は、キャビン１０Ａ、及びエンジン１０Ｂを有している。キャビン１０Ａは車体１０の前側（前後は図１における上下である。以下同じ。）に設けられている。エンジン１０Ｂは、車体１０を走行させるものであり、キャビン１０Ａの下側（上下は図１における手前と奥である。以下同じ。）に設けられている。
【００２７】
ミキサ３０は、架台３１、ミキサドラム３２、ホッパ支持部５０、位置調整部５２、ホッパ３３、及びシュート３４を有している。架台３１は車体１０のキャビン１０Ａの後側に設けられている。
【００２８】
ミキサドラム３２は、図１に示すように、ドラム本体３２Ａ、駆動軸３２Ｂ、ローラリング３２Ｃ、２枚のドラムブレード３２Ｄ、及びシールパイプ３２Ｅを具備している。ドラム本体３２Ａは円筒状をなしている。ドラム本体３２Ａは一端が開口した開口部３２Ｇが設けられている。また、ドラム本体３２Ａは一端から見て奥方向である他端が閉鎖部３２Ｆで閉鎖されている。
【００２９】
駆動軸３２Ｂは閉鎖部３２Ｆの中心に連結されてドラム本体３２Ａの外方向に延びている。駆動軸３２Ｂはミキサドラム３２の回転軸の中心線上に延びている。ローラリング３２Ｃは、円環状をなしてドラム本体３２Ａの開口部３２Ｇ側の外壁面の全周にわたり設けられている。２枚のドラムブレード３２Ｄは所定の間隔を空けてドラム本体３２Ａの内壁面に沿って螺旋状に固定されている。つまり、これらドラムブレード３２Ｄはドラム本体３２Ａと共に回転する。
【００３０】
シールパイプ３２Ｅは一端と他端とが連通した円筒状をなしている。シールパイプ３２Ｅは円筒状の中心線をミキサドラム３２の回転軸の中心線に合わせて配置されている。シールパイプ３２Ｅは一端部がミキサドラム３２の開口部３２Ｇから僅かに外側に突出している。シールパイプ３２Ｅは円筒状の外周面が２枚のドラムブレード３２Ｄの螺旋状の内側に連結している。つまり、シールパイプ３２Ｅはドラム本体３２Ａ、及びドラムブレード３２Ｄと共に回転する。
【００３１】
ミキサドラム３２は、開口部３２Ｇが車体１０の後端部の上方に位置し、開口部３２Ｇを閉鎖部３２Ｆより上側に持ち上げた前傾姿勢で架台３１の上に回転自在に搭載されている。詳しくは、ミキサドラム３２はローラリング３２Ｃが後述する第１フレーム５１Ａに設けられた２つのドラムローラ５１Ｊによって下側から支持されている。つまり、ミキサドラム３２は開口部３２Ｇを有し、架台３１上に配置され、回転軸を中心に回転する。
【００３２】
ホッパ支持部５０は、図２〜４に示すように、一対の第１フレーム５１Ａ、及び第２フレーム５１Ｂを具備している。一対の第１フレーム５１Ａはそれぞれが柱状をなして、架台３１の後端部の左右両側（左右は図１における左右である。以下同じ。）のそれぞれに上方向に延びて設けられている。つまり、ホッパ支持部５０は架台３１上に配置されている。
【００３３】
第２フレーム５１Ｂは、一対の第１フレーム５１Ａのそれぞれの上端部から後方向に延びる基部５１Ｃ、及びそれぞれの基部５１Ｃの後端を互いに連結して左右方向に延びる左右連結部５１Ｄを具備している。ここで、左右方向とは、ミキサドラム３２と、後述するホッパ３３とが並ぶ方向に対して水平方向に直交する方向である（図１における左右方向である。）。基部５１Ｃはそれぞれの上端から左右内側に向けて平板状に延びる第１折曲部５１Ｅが設けられている。また、左右連結部５１Ｄは上端から前方向に平板状に延びる第２折曲部５１Ｆが設けられている。
【００３４】
第２フレーム５１Ｂは第１折曲部５１Ｅのそれぞれに板厚方向に貫通して２つの係合部用長孔５１Ｇが設けられている。これら係合部用長孔５１Ｇは前後方向に長い。ここで、前後方向とは、ミキサドラム３２と、後述するホッパ３３とが並ぶ方向である（図１における上下方向である。）。これら係合部用長孔５１Ｇは左右方向の位置が同じであり、互いに前後に並んでいる。つまり、ホッパ支持部５０は前後方向に延びた係合部用長孔５１Ｇを具備している。また、第２フレーム５１Ｂは第２折曲部５１Ｆに板厚方向に貫通して２つの高さ調整部用長孔５１Ｈが設けられている。これら高さ調整部用長孔５１Ｈは左右方向に長い。これら高さ調整部用長孔５１Ｈは前後方向の位置が同じであり、互いに第２折曲部５１Ｆの左右中央部に左右に並んでいる。
【００３５】
位置調整部５２は、連結部５１である第１連結部５３、一対の第２連結部５４、及び２つの第２係合部５５を具備している。第１連結部５３はミキサドラム３２の回転軸方向に対して直交し、水平方向に延びており、断面形状の外形が円形状をなしている。また、第１連結部５３は左右両端部に上下方向に幅を有し前後方向に延びる一対の第１側板５３Ａが設けられている。詳しくは、これら第１側板５３Ａはそれぞれの後端部の上下中央部が第１連結部５３に連結している。また、これら第１側板５３Ａはそれぞれの前側の下側が前方上側に傾斜している（図３参照。）。また、これら第１側板５３Ａはそれぞれの後側の下端が左右の内側に向けて平板状に延びている。
【００３６】
一対の第２連結部５４は第１連結部５３の左右両端のそれぞれに連続して連結し、断面形状の外形が円形状をなして下方向に延びている。詳しくは、これら第２連結部５４はそれぞれの上側が左右外側に拡がりつつ後方下側に延びている。また、これら第２連結部５４はそれぞれの下側がほぼ垂直に垂下している。
【００３７】
２つの第２係合部５５は同じ形状である。第２係合部５５は第２係合部本体５５Ａ、及び一対の第３係合部５５Ｂ，５５Ｃを具備している。第２係合部本体５５Ａは第２係合基部５５Ｄ、及び第２係合小部５５Ｅを具備している。
【００３８】
ここで第２係合部５５の形態について、第２係合部５５が第１連結部５３の左側に連続して連結した第２連結部５４の下端部に連結する状態を説明する。第２係合基部５５Ｄは左右方向に厚みを有した直方体状をなしている。第２係合基部５５Ｄは直方体状の右面に、直方体状の上端から下端にわたり半円状に窪んだ第１凹部５５Ｆが設けられている（図２参照。）。また、第２係合基部５５Ｄは第１凹部５５Ｆを挟み、直方体状の左右方向に貫通して２つの第１挿通孔５５Ｇが設けられている。
【００３９】
第２係合小部５５Ｅは左右方向に厚みを有した直方体状をなしている。第２係合小部５５Ｅは前後方向の寸法が第２係合基部５５Ｄの前後方向の寸法と同じである。第２係合小部５５Ｅは直方体状の左面に、上端から下端にわたり半円状に窪んだ第２凹部５５Ｊが設けられている（図２参照。）。また、第２係合小部５５Ｅは第２凹部５５Ｊを挟み、左右方向に貫通して２つの第２挿通孔５５Ｋが設けられている。第２係合小部５５Ｅは２つの第２挿通孔５５Ｋの間の寸法が第２係合基部５５Ｄの２つの第１挿通孔５５Ｇの間の寸法と同じである。また、第２係合小部５５Ｅの第２凹部５５Ｊ、及び第２係合基部５５Ｄの第１凹部５５Ｆの内径は第２連結部５４の円形状の外形の寸法と同じである。第２係合小部５５Ｅは、第２凹部５５Ｊが設けられた左面を第２係合基部５５Ｄの第１凹部５５Ｆが設けられた右面に対向して、２つの第２挿通孔５５Ｋを第２係合基部５５Ｄの２つの第１挿通孔５５Ｇに同一直線上に配置されている。
【００４０】
第３係合部５５Ｂは第２係合基部５５Ｄの前面の下端から前方向に突出して設けられている。また、第３係合部５５Ｂは第２係合基部５５Ｄの右側から右方に突出している。第３係合部５５Ｃは第２係合基部５５Ｄの後面の下端から後方向に突出して設けられている。また、第３係合部５５Ｃは第２係合基部５５Ｄの右側から右方に突出している。第３係合部５５Ｂ，５５Ｃはそれぞれに上下方向に貫通した係合長孔５５Ｈが設けられている。これら係合長孔５５Ｈは左右方向に長い。これら係合長孔５５Ｈは左右方向の位置が互いに同じである。
【００４１】
第２係合部５５は第２連結部５４の下端部に連結している。詳しくは、第２係合部５５は第２係合基部５５Ｄ、及び第２係合小部５５Ｅがそれぞれの第１凹部５５Ｆ及び第２凹部５５Ｊを第２連結部５４の円形状の外形に合わせて配置されて、第２連結部５４の下端部を左右方向から挟み込んでいる。このとき、第２係合部５５は第２連結部５４の左側に第２係合基部５５Ｄが配置され、右側に第２係合小部５５Ｅが配置されている。また、第２係合基部５５Ｄの２つの第１挿通孔５５Ｇ、及び第２係合小部５５Ｅの２つの第２挿通孔５５Ｋは互いに同一直線上に配置される。そして、同一直線上に配置された第１挿通孔５５Ｇ及び第２挿通孔５５Ｋのそれぞれにボルト５５Ｌが挿通されて、ボルト５５Ｌにナット５５Ｍがねじ込まれている。こうして第２係合部５５が第２連結部５４の下端部に係合して連結している。なお、第１連結部５３の右側に連続して連結する第２連結部５４の下端部には、第２係合基部５５Ｄが第２連結部５４の右側に配置され、第２係合小部５５Ｅが第２連結部５４の左側に配置されている。こうして、一対の第２連結部５４の下端部のそれぞれに第２係合部５５が係合して連結している。
【００４２】
２つの第２係合部５５はそれぞれの第３係合部５５Ｂ，５５Ｃの下面が第２フレーム５１Ｂの第１折曲部５１Ｅのそれぞれの上面に当接している。また、これら第２係合部５５は第３係合部５５Ｂ，５５Ｃの係合長孔５５Ｈが第１折曲部５１Ｅのそれぞれの係合部用長孔５１Ｇに連通している。そして、互いに連通した係合長孔５５Ｈ及び係合部用長孔５１Ｇのそれぞれにボルト５５Ｌが挿通されて、ボルト５５Ｌにナット５５Ｍがねじ込まれている。つまり、第３係合部５５Ｂ，５５Ｃは係合部用長孔５１Ｇを介して第２フレーム５１Ｂに連結される。こうして位置調整部５２の第２係合部５５はホッパ支持部５０に対する第２連結部５４の位置を上下方向に高さ自在に調整して連結する。つまり、第２連結部５４は第１連結部５３とホッパ支持部５０とを連結する。また、ホッパ支持部５０に第１連結部５３が設けられている。つまり、位置調整部５２はホッパ３３とホッパ支持部５０との間に設けられている。
【００４３】
ホッパ３３は、ホッパ本体３３Ａ、排出部３３Ｂ、一対の第２側板３３Ｃ、及び高さ調整部３Ａを有している。ホッパ本体３３Ａは一端が上方向に拡がりながら開口した投入口３３Ｅが形成されている。排出部３３Ｂは円筒状をなしており、基端がホッパ本体３３Ａの前側の下部に連結して、先端が前方向に延びて設けられている。排出部３３Ｂは先端に排出口３３Ｆが設けられている。ホッパ本体３３Ａは投入口３３Ｅと排出口３３Ｆとが排出部３３Ｂを介して連通している。排出部３３Ｂは、円筒状の外周面の下半部に半円筒状のシールラバー（図示せず）が、シールラバーの内周面を当接して設けられている。排出部３３Ｂは円筒状の外径がシールパイプ３２Ｅの円筒状の内径より小さい。シールラバーは半円筒状の外径がシールパイプ３２Ｅの内径より僅かに小さい。ホッパ３３は排出部３３Ｂの先端部がミキサドラム３２のシールパイプ３２Ｅの円筒状の一端部に挿入されている。シールラバーは半円筒状の外周面がシールパイプ３２Ｅの一端部の円筒状の内周面の下半部に当接している。つまり、ホッパ３３は一端に開口した投入口３３Ｅ、及び他端に開口した排出口３３Ｆを有し、排出口３３Ｆがミキサドラム３２の開口部３２Ｇに設けられたシールパイプ３２Ｅに挿入される。
【００４４】
一対の第２側板３３Ｃはそれぞれ上下方向に幅を有し前後方向に延びている。これら第２側板３３Ｃはホッパ本体３３Ａの左右外側の上端部のそれぞれに１つずつ連結している。これら第２側板３３Ｃは前側がホッパ本体３３Ａの前端から前方に突出している。また、これら第２側板３３Ｃはそれぞれの下端から左右内側に平板状をなして延びた第３折曲部３３Ｋを具備している。
【００４５】
一対の第２側板３３Ｃはそれぞれが連結部５１である第１係合部３３Ｇを具備している。第１係合部３３Ｇは第１係合基部３３Ｈ、及び第１係合小部３３Ｊを具備している。第１係合基部３３Ｈは上下方向に長い直方体状をなしている。第１係合基部３３Ｈは直方体状の前面に直方体状の右端から左端にわたり半円状に窪んだ第３凹部３３Ｌが設けられている（図３参照。）。また、第１係合基部３３Ｈは第３凹部３３Ｌを挟み、前後方向に貫通して２つの第３挿通孔３３Ｍが設けられている。第３挿通孔３３Ｍは内周面にねじ山が刻まれている。第１係合基部３３Ｈは一対の第２側板３３Ｃのそれぞれに１つずつ連結している。詳しくは、第１係合基部３３Ｈは一対の第２側板３３Ｃのそれぞれの第３折曲部３３Ｋの下面に上面を当接して１つずつ連結されている。
【００４６】
第１係合小部３３Ｊは上下方向に長い直方体状をなしている。第１係合小部３３Ｊは左右方向の寸法が第１係合基部３３Ｈと同じである。第１係合小部３３Ｊは直方体状の後面に右端から左端にわたり半円状に窪んだ第４凹部３３Ｎが設けられている（図３参照。）。また、第１係合小部３３Ｊは第４凹部３３Ｎを挟み、前後方向に貫通して２つの第４挿通孔３３Ｐが設けられている。第１係合小部３３Ｊは２つの第４挿通孔３３Ｐの間の寸法が第１係合基部３３Ｈの２つの第３挿通孔３３Ｍの間の寸法と同じである（図３参照。）。また、第１係合小部３３Ｊの第４凹部３３Ｎ、及び第１係合基部３３Ｈの第３凹部３３Ｌの内径は第１連結部５３の円形状の外形の寸法と同じである。第１係合小部３３Ｊは、第４凹部３３Ｎが設けられた後面を第１係合基部３３Ｈの第３凹部３３Ｌが設けられた前面に対向して、２つの第４挿通孔３３Ｐを第１係合基部３３Ｈの２つの第３挿通孔３３Ｍに同一直線上に配置されている。つまり、ホッパ３３に第１係合部３３Ｇが設けられている。
【００４７】
高さ調整部３Ａは高さ調整部本体３３Ｄ、及び連結部材３３Ｓを具備している。高さ調整部本体３３Ｄは左右方向に幅を有し上下方向に延びている。高さ調整部本体３３Ｄは左右中央部の下側が切欠かれている（図４参照。）。高さ調整部本体３３Ｄは左右両端のそれぞれから前方向に平板状に延びた一対の第４折曲部３３Ｑを具備している。高さ調整部本体３３Ｄ及びこれら第４折曲部３３Ｑは上端がホッパ本体３３Ａの後側の上下中央部に連結して垂下している。ここで、ホッパ本体３３Ａの後側とは、ホッパ３３に対してミキサドラム３２が位置する側と反対側である（図１における下側である。）。つまり、高さ調整部本体３３Ｄはホッパ本体３３Ａの後側に立設している。これら第４折曲部３３Ｑはそれぞれの下端部に板厚方向に貫通して第４長孔３３Ｒが設けられている。これら第４長孔３３Ｒは上下方向に長い。これら第４長孔３３Ｒは互いに上下方向の位置が同じである。
【００４８】
連結部材３３Ｓは上下方向に延びる立板部３３Ｔ、及び、立板部３３Ｔの下端から立板部３３Ｔに対して直角方向に延びる座板部３３Ｕを具備している。立板部３３Ｔは板厚方向に貫通して第２貫通孔３３Ｖが設けられている。また、座板部３３Ｕは板厚方向に貫通して第５長孔３３Ｗが設けられている。第５長孔３３Ｗは前後方向に長い。
【００４９】
連結部材３３Ｓは立板部３３Ｔの第２貫通孔３３Ｖを一対の第４折曲部３３Ｑのそれぞれの第４長孔３３Ｒに連通して１つずつ設けられている。詳しくは、連結部材３３Ｓは座板部３３Ｕがそれぞれの立板部３３Ｔに対して左右外側に向けている。また、これら連結部材３３Ｓはそれぞれの立板部３３Ｔの左右内側の面が一対の第４折曲部３３Ｑの左右外側の面に当接している。そして、互いに連通した第２貫通孔３３Ｖ及び第４長孔３３Ｒにボルト３３Ｘが挿通されて、ボルト３３Ｘにナット３３Ｙがねじ込まれている。つまり、高さ調整部３Ａは第４長孔３３Ｒと第２貫通孔３３Ｖとにボルト３３Ｘを挿通して高さ調整部本体３３Ｄと連結部材３３Ｓとを連結する。こうしてこれら連結部材３３Ｓが高さ調整部本体３３Ｄに取り付けられている。
【００５０】
ホッパ３３はホッパ本体３３Ａの一対の第２側板３３Ｃの左右外側の面が第１連結部５３の一対の第１側板５３Ａの左右内側の面に当接して配置されている。ホッパ３３は第１係合基部３３Ｈ、及び第１係合小部３３Ｊがそれぞれの第３凹部３３Ｌ及び第４凹部３３Ｎを第１連結部５３の円形状の外形に合わせて配置されて、第１連結部５３を前後方向から挟み込んでいる。このとき、第１係合基部３３Ｈの２つの第３挿通孔３３Ｍ、及び第１係合小部３３Ｊの２つの第４挿通孔３３Ｐは互いに同一直線上に配置されている。そして、同一直線上に配置された第３挿通孔３３Ｍ、及び第４挿通孔３３Ｐのそれぞれに第４挿通孔３３Ｐ側からボルト３３Ｚが挿通されて、ボルト３３Ｚが第３挿通孔３３Ｍにねじ込まれている。つまり、第１係合部３３Ｇは第１連結部５３に係合している。
【００５１】
また、ホッパ３３はホッパ本体３３Ａの高さ調整部本体３３Ｄに取り付けられた２つの連結部材３３Ｓのそれぞれの座板部３３Ｕの下面が第２フレーム５１Ｂの第２折曲部５１Ｆの上面に当接している。また、２つの連結部材３３Ｓのそれぞれの座板部３３Ｕの第５長孔３３Ｗが第２フレーム５１Ｂの第２折曲部５１Ｆの高さ調整部用長孔５１Ｈのそれぞれに連通している。そして、互いに連通した第５長孔３３Ｗ及び高さ調整部用長孔５１Ｈにボルト３３Ｘが挿通されて、ボルト３３Ｘにナット３３Ｙがねじ込まれている。つまり、連結部材３３Ｓは高さ調整部本体３３Ｄとホッパ支持部５０とを互いに連結する。こうしてホッパ３３がホッパ支持部５０に連結している。つまり、ホッパ支持部５０はホッパ３３を支持している。
【００５２】
シュート３４は、図１に示すように、架台３１の後端部に左右方向に延びて設けられている。シュート３４は半円筒状をなして長く延びて形成されている（図示せず。）。シュート３４は半円筒状の内面側を上方向にしている（図示せず。）。また、シュート３４は、基端部、本体部、及び先端部を有している（図示せず。）。基端部は、シュート３４の一端部であり、ミキサドラム３２の開口部３２Ｇの下方に配置されている（図示せず。）。本体部は、レディミクストコンクリートの非排出時において、基端部から左下方向に延びている。先端部はシュート３４の他端部に設けられている（図示せず。）。また、先端部は、レディミクストコンクリートの非排出時において、架台３１の左側面に向いて、基端部より下方に位置している（図示せず。）。
【００５３】
シュート３４は第１フレーム５１Ａに基端部を中心にして先端部が水平方向及び上下方向に回動自在に支持されている（図示せず。）。なお、水平方向とは、必ずしも厳密な水平方向を意味するものではなく、厳密な水平方向から多少ずれた状態も含む。こうして、シュート３４はドラム本体３２Ａから排出されるレディミクストコンクリートを所望の位置に誘導する。
【００５４】
油圧モータ１１は架台３１に搭載されている。油圧モータ１１は減速機１３を介してミキサドラム３２の駆動軸３２Ｂに連結している。油圧モータ１１は作動油の流入ポート及び流出ポートを有している。油圧モータ１１は後述する油圧ポンプ１２によって駆動される。
【００５５】
油圧ポンプ１２は架台３１に搭載されている。油圧ポンプ１２は作動油の流入ポート及び流出ポートを有している。油圧ポンプ１２の流出ポートを油圧モータ１１の流入ポートに連通し、油圧モータ１１の流出ポートを油圧ポンプ１２の流入ポートに連通した油圧回路を構成している（図示せず。）。この油圧回路は、閉回路であり、作動油が循環する。また、油圧ポンプ１２は回転軸が動力取出し機構１４を介してエンジン１０Ｂに連結している。こうして、このミキサ車は、動力取出し機構１４を介して、エンジン１０Ｂから取り出した回転力を油圧ポンプ１２、油圧モータ１１、及び減速機１３を介してミキサドラム３２に伝達することができる。
【００５６】
次に、このミキサ３０のホッパ３３の位置を調整する位置調整方法を説明する。
【００５７】
先ず、ホッパ３３の位置を上下方向に調整する場合について説明する。先ず、第２係合部５５の第２係合基部５５Ｄの第１挿通孔５５Ｇ、及び第２係合小部５５Ｅの第２挿通孔５５Ｋに挿通されたボルト５５Ｌにねじ込まれたナット５５Ｍを緩める。すると、第２係合部５５に対して第２連結部５４が上下方向に移動自在になる。つまり、第２係合部５５は第２係合部本体５５Ａがホッパ支持部５０に対する第２連結部５４の位置を上下方向に高さ自在に調整して係合して連結する。そして、ホッパ３３の高さ調整部本体３３Ｄの第４長孔３３Ｒ、及び連結部材３３Ｓの第２貫通孔３３Ｖに挿通されたボルト３３Ｘにねじ込まれたナット３３Ｙを緩める。すると、連結部材３３Ｓに対して、ホッパ３３の高さ調整部本体３３Ｄが上下方向に移動自在になる。つまり、高さ調整部３Ａはホッパ支持部５０に対するホッパ３３の後側の位置を上下方向に自在に調整する。こうして、ホッパ３３の位置が上下方向に移動自在になる。
【００５８】
そして、ホッパ３３の位置を上下方向に調整してホッパ３３の位置を所定の位置にした後、第２係合部５５の第２係合基部５５Ｄの第１挿通孔５５Ｇ、及び第２係合小部５５Ｅの第２挿通孔５５Ｋに挿通されたボルト５５Ｌにナット５５Ｍを再びねじ込む。そして、ホッパ３３の高さ調整部本体３３Ｄの第４長孔３３Ｒ、及び連結部材３３Ｓの第２貫通孔３３Ｖに挿通されたボルト３３Ｘにナット３３Ｙを再びねじ込む。こうして、ホッパ３３のミキサドラム３２に対する位置を上下方向に調整してホッパ３３の位置を所定の位置に固定することができる。
【００５９】
次に、ホッパ３３の位置を左右方向、及び前後方向に調整する場合について説明する。先ず、第２係合部５５の第３係合部５５Ｂ，５５Ｃの係合長孔５５Ｈ、及び第２フレーム５１Ｂの第１折曲部５１Ｅの係合部用長孔５１Ｇに挿通されたボルト５５Ｌにねじ込まれたナット５５Ｍを緩める。すると、第２フレーム５１Ｂに対して第２係合部５５が左右方向、及び前後方向に移動自在になる。そして、ホッパ３３の連結部材３３Ｓの第５長孔３３Ｗ、及び第２フレーム５１Ｂの第２折曲部５１Ｆの高さ調整部用長孔５１Ｈに挿通されたボルト３３Ｘにねじ込まれたナット３３Ｙを緩める。すると、第２フレーム５１Ｂに対して、ホッパ３３の連結部材３３Ｓが左右方向、及び前後方向に移動自在になる。こうして、ホッパ３３の位置が左右方向、及び前後方向に移動自在になる。
【００６０】
そして、ホッパ３３の位置を左右方向、及び前後方向に調整してホッパ３３の位置を所定の位置にした後、第２係合部５５の第３係合部５５Ｂ，５５Ｃの係合長孔５５Ｈ、及び第２フレーム５１Ｂの第１折曲部５１Ｅの係合部用長孔５１Ｇに挿通されたボルト５５Ｌにナット５５Ｍを再びねじ込む。つまり、第３係合部５５Ｂ，５５Ｃが係合部用長孔５１Ｇを介してホッパ支持部５０に連結される。また、第３係合部５５Ｂ，５５Ｃはホッパ支持部５０に対するホッパ３３の位置を前後方向、及び左右方向に自在に調整して、連結部５１とホッパ支持部５０とを係合する。つまり、第３係合部５５Ｂ，５５Ｃは第４係合部でもある。また、第３係合部５５Ｂ，５５Ｃは、左右方向に延びた係合長孔５５Ｈを具備し、第３係合部５５Ｂ，５５Ｃが係合長孔５５Ｈを介してホッパ支持部５０に連結される。そして、ホッパ３３の連結部材３３Ｓの第５長孔３３Ｗ、及び第２フレーム５１Ｂの第２折曲部５１Ｆの高さ調整部用長孔５１Ｈに挿通されたボルト３３Ｘにナット３３Ｙを再びねじ込む。こうして、ホッパ３３のミキサドラム３２に対する位置を左右方向、及び前後方向に調整してホッパ３３の位置を所定の位置に固定することができる。
【００６１】
次に、ホッパ３３の位置を連結部５１である第１連結部５３の軸周り方向に調整する場合について説明する。先ず、ホッパ３３の高さ調整部本体３３Ｄの第４長孔３３Ｒ、及び連結部材３３Ｓの第２貫通孔３３Ｖに挿通されたボルト３３Ｘにねじ込まれたナット３３Ｙを緩める。すると、連結部材３３Ｓに対してホッパ３３の高さ調整部本体３３Ｄが上下方向に移動自在になる。そして、ホッパ３３の第１係合基部３３Ｈの第３挿通孔３３Ｍ、及び第１係合小部３３Ｊの第４挿通孔３３Ｐを挿通して第３挿通孔３３Ｍにねじ込まれたボルト３３Ｚを緩める。すると、第１連結部５３に対して連結部５１である第１係合部３３Ｇが、第１連結部５３の軸周り方向に角度自在になる。こうして、ホッパ３３の位置が第１連結部５３の軸周り方向に角度自在になる。
【００６２】
そして、ホッパ３３の位置を第１連結部５３の軸周り方向に回転して調整しホッパ３３の位置を所定の位置にした後、ホッパ３３の高さ調整部本体３３Ｄの第４長孔３３Ｒ、及び連結部材３３Ｓの第２貫通孔３３Ｖに挿通されたボルト３３Ｘにナット３３Ｙを再びねじ込む。そして、ホッパ３３の第１係合基部３３Ｈの第３挿通孔３３Ｍ、及び第１係合小部３３Ｊの第４挿通孔３３Ｐに挿通されたボルト３３Ｚを第３挿通孔３３Ｍに再びねじ込む。こうして、ホッパ３３のミキサドラム３２に対する位置を第１連結部５３の軸周り方向に回転して調整してホッパ３３の位置を所定の位置に固定することができる。つまり、ホッパ支持部５０に第１連結部５３が設けられ、ホッパ３３に第１係合部３３Ｇが設けられ、排出口３３Ｆを開口部３２Ｇに対して角度自在に調整する。
【００６３】
このように、このミキサ３０はホッパ３３がホッパ支持部５０を介して架台３１に連結している。また、ホッパ３３は位置調整部５２によってミキサドラム３２に対する位置を容易に調整することができる。このため、このミキサ３０はホッパ３３の排出口３３Ｆをミキサドラム３２の開口部３２Ｇに対して、所定の位置に容易に配置することができる。
【００６４】
したがって、実施形態１のミキサ３０は容易に製造することができる。
【００６５】
また、この位置調整部５２は、開口部３２Ｇに対する排出口３３Ｆの角度、上下方向、前後方向、及び左右方向の少なくともいずれかの位置を調整する連結部５１を有している。このため、このミキサ３０は連結部５１によってホッパ３３の位置を調整することができる。これにより、このミキサ３０はホッパ３３の排出口３３Ｆの開口方向をミキサドラム３２の開口部３２Ｇの開口方向に容易に合わせることができる。
【００６６】
また、この位置調整部５２は、少なくとも連結部５１の一部が、ミキサドラム３２の回転軸に対して直交し、水平方向に延びる第１連結部５３と、第１連結部５３に係合する第１係合部３３Ｇとを有している。第１連結部５３はホッパ支持部５０に設けられ、第１係合部３３Ｇはホッパ３３が設けられ、排出口３３Ｆを開口部３２Ｇに対して角度自在に調整する。このため、このミキサ３０はホッパ３３が第１係合部３３Ｇ及び第１連結部５３を介してホッパ支持部５０に連結する。つまり、このミキサ３０はホッパ３３とホッパ支持部５０とを溶接して連結しない。これにより、このミキサ３０はホッパ３３を取り付ける際に溶接によるスパッタが発生しない。このため、このミキサ３０はスパッタの付着を防止するために溶接する場所の周囲を養生する必要がない。また、このミキサ３０は溶接資格を有していない作業者であってもホッパ３３をホッパ支持部５０に取り付けることができる。
【００６７】
また、この位置調整部５２は、第１連結部５３とホッパ支持部５０とを連結する第２連結部５４と、ホッパ支持部５０に対する第２連結部５４の位置を上下方向に高さ自在に調整して係合する第２係合部５５とを有している。このため、このミキサ３０は第２係合部５５に第２連結部５４のホッパ支持部５０に対する位置を調整する機能を設けることによって、第２連結部５４やホッパ支持部５０の構造を簡単にすることができる。これにより、このミキサ３０は第２連結部５４やホッパ支持部５０を容易に製造することができるため、製造する手間を抑えることができる。
【００６８】
また、この位置調整部５２は、第２係合部５５がホッパ支持部５０に対するホッパ３３の位置を前後方向に自在に調整して、連結部５１とホッパ支持部５０とを係合する第３係合部５５Ｂ，５５Ｃを有している。このため、このミキサ３０は第３係合部５５Ｂ，５５Ｃを介して連結部５１とホッパ支持部５０とを係合することができる。つまり、このミキサ３０は連結部５１とホッパ支持部５０とを溶接していない。これにより、このミキサ３０は連結部５１をホッパ支持部５０に取り付ける際に溶接によるスパッタが発生しない。このため、このミキサ３０はスパッタの付着を防止するために溶接する場所の周囲を養生する必要がない。また、このミキサ３０は溶接資格を有していない作業者であっても連結部５１をホッパ支持部５０に取り付けることができる。
【００６９】
また、この位置調整部５２は、ホッパ支持部５０に対するホッパ３３の位置を左右方向に自在に調整して、連結部５１とホッパ支持部５０とを係合する第３係合部５５Ｂ，５５Ｃ（第４係合部）を有している。このため、このミキサ３０は第３係合部５５Ｂ，５５Ｃを介して連結部５１とホッパ支持部５０とを係合することができる。つまり、このミキサ３０は連結部５１とホッパ支持部５０とを溶接していない。これにより、このミキサ３０は連結部５１をホッパ支持部５０に取り付ける際に溶接によるスパッタが発生しない。このため、このミキサ３０はスパッタの付着を防止するために溶接する場所の周囲を養生する必要がない。また、このミキサ３０は溶接資格を有していない作業者であっても連結部５１をホッパ支持部５０に取り付けることができる。
【００７０】
また、この第１連結部５３は、断面形状の外形が円形状である。このため、このミキサ３０は第１連結部５３の円形状の周方向にホッパ３３を回動させてホッパ３３の位置を調整することができる。これにより、このミキサ３０はホッパ３３の排出口３３Ｆの開口方向をミキサドラム３２の開口部３２Ｇの開口方向に容易に合わせることができる。
【００７１】
また、このホッパ支持部５０は、前後方向に延びた係合部用長孔５１Ｇを具備し、第３係合部５５Ｂ，５５Ｃが係合部用長孔５１Ｇを介してホッパ支持部５０に連結される。このため、このミキサ３０は第３係合部５５Ｂ，５５Ｃのホッパ支持部５０に対する位置を係合部用長孔５１Ｇが延びる方向に容易に調整して、連結部５１とホッパ支持部５０とを連結することができる。
【００７２】
また、この第３係合部５５Ｂ，５５Ｃ（第４係合部）は、左右方向に延びた係合長孔５５Ｈを具備し、第３係合部５５Ｂ，５５Ｃが係合長孔５５Ｈを介してホッパ支持部５０に連結される。このため、このミキサ３０は第４係合部のホッパ支持部５０に対する位置を係合長孔５５Ｈが延びる方向に容易に調整して、連結部５１とホッパ支持部５０とを連結することができる。
【００７３】
また、このミキサ３０は、ホッパ３３の後側に設けられ、ホッパ支持部５０に対するホッパ３３の後側の位置を上下方向に自在に調整する高さ調整部３Ａを備え得る。この場合、このミキサ３０はホッパ支持部５０に対するホッパ３３の後側の位置を高さ調整部３Ａを調整することによって上下方向に自在に調整する。これにより、このミキサ３０はホッパ３３の排出口３３Ｆの開口方向をミキサドラム３２の開口部３２Ｇの開口方向により良好に合わせることができる。
【００７４】
また、このミキサ３０はミキサ車に備えられている。このため、このミキサ３０を備えたミキサ車はホッパ３３の排出口３３Ｆをミキサドラム３２の開口部３２Ｇに対して、所定の位置に容易に配置することができる。
【００７５】
＜実施形態２＞
実施形態２のミキサ１３０は、図５〜７に示すように、第２連結部１５４の下側が後方向に延びている点、第２係合部１５５の形状、ホッパ１３３が２つの第４側板３５を有している点、高さ調整部本体１３３Ｄの形状、連結部材１３３Ｓの高さ調整部本体１３３Ｄに対する取り付け位置、及び連結部材１３３Ｓの形状が実施形態１と相違する。他の構成は実施形態１と同一であり、同一の構成は同一の符号を付し、詳細な説明を省略する。
【００７６】
一対の第２連結部１５４はそれぞれの下側が後方向に延びている。第２係合部１５５は、第２係合基部１５５Ｄ、及び第２係合小部１５５Ｅを有している。第２係合基部１５５Ｄは左右方向に長い直方体状をなしている。第２係合基部１５５Ｄは直方体状の上面に、直方体状の前端から後端にわたり半円状に窪んだ第１凹部１５５Ｆが設けられている（図７参照。）。また、第２係合基部１５５Ｄは第１凹部１５５Ｆを挟み、直方体状の上下方向に貫通して２つの第１挿通孔１５５Ｇが設けられている。
【００７７】
第２係合小部１５５Ｅは左右方向に長い直方体状をなしている。第２係合小部１５５Ｅは左右方向、及び前後方向の寸法が第２係合基部１５５Ｄの左右方向、及び前後方向の寸法と同じである。第２係合小部１５５Ｅは直方体状の下面に、前端から後端にわたり半円状に窪んだ第２凹部１５５Ｊが設けられている（図７参照。）。また、第２係合小部１５５Ｅは第２凹部１５５Ｊを挟み、直方体状の上下方向に貫通して２つの第２挿通孔１５５Ｋが設けられている。第２係合小部１５５Ｅは２つの第２挿通孔１５５Ｋの間の寸法が第２係合基部１５５Ｄの２つの第１挿通孔１５５Ｇの間の寸法と同じである。第２係合小部１５５Ｅは、第２凹部１５５Ｊが設けられた下面を第２係合基部１５５Ｄの第１凹部１５５Ｆが設けられた上面に対向して、２つの第２挿通孔１５５Ｋを第２係合基部１５５Ｄの２つの第１挿通孔１５５Ｇに同一直線上に配置されている。
【００７８】
第２係合部１５５は一対の第２連結部１５４のそれぞれの下端部に２つずつが前後方向に並び連結している。第２係合部１５５は第２係合基部１５５Ｄ、及び第２係合小部１５５Ｅがそれぞれの第１凹部１５５Ｆ及び第２凹部１５５Ｊを第２連結部１５４の円形状の外形に合わせて、第２連結部１５４の下端部を上下方向から挟み込んでいる。このとき、第２係合基部１５５Ｄの２つの第１挿通孔１５５Ｇ、及び第２係合小部１５５Ｅの２つの第２挿通孔１５５Ｋは互いに同一直線上に配置される。そして、同一直線上に配置された第１挿通孔１５５Ｇ及び第２挿通孔１５５Ｋのそれぞれにボルト１５５Ｌが挿通されて、ボルト１５５Ｌにナット１５５Ｍがねじ込まれている。また、第２係合部１５５は第２係合基部１５５Ｄの下面が第２フレーム５１Ｂの第１折曲部５１Ｅの上面に当接して連結している。
【００７９】
ホッパ１３３は２つの第４側板３５を有している。第４側板３５はホッパ当接部３５Ａ、第５折曲部３５Ｂ、及び第１係合部３５Ｃを具備している。ホッパ当接部３５Ａは上下方向に幅を有し左右方向に平板状をなして延びている。第５折曲部３５Ｂはホッパ当接部３５Ａの下端から前方向に平板状をなして延びている。また、第５折曲部３５Ｂは板厚方向に貫通して２つの第６長孔３５Ｄが設けられている。これら第６長孔３５Ｄは前後方向に長い。これら第６長孔３５Ｄは前後方向の位置が同じであり、互いに左右に並んでいる。
【００８０】
連結部１５１である第１係合部３５Ｃは帯状をなしている。第１係合部３５Ｃは帯状の長手方向の一端部の上面が第５折曲部３５Ｂの下面に当接している。第１係合部３５Ｃは帯状の中間部に長手方向に湾曲して円筒状をなした円筒部３５Ｅが形成されている。円筒部３５Ｅは内径が連結部１５１である第１連結部１５３の円形状の外形と同じである。第１係合部３５Ｃは帯状の長手方向の他端部が一端部の下側に一端部にほぼ平行に互いの間に隙間を設けて配置されている（図示せず。）。
【００８１】
第１係合部３５Ｃは一端部及び他端部のそれぞれに板厚方向に貫通して２つの第７長孔３５Ｆが設けられている（図６参照。）。これら第７長孔３５Ｆは前後方向に長い（図示せず。）。これら第７長孔３５Ｆは前後方向の位置が同じであり、互いに左右に並んでいる。第１係合部３５Ｃは一端部及び他端部のそれぞれの２つの第７長孔３５Ｆが互いに連通している。第１係合部３５Ｃは第７長孔３５Ｆが第５折曲部３５Ｂの第６長孔３５Ｄに連通している。
【００８２】
こうして形成された第４側板３５はホッパ本体３３Ａの前面の上端部の左右両側に１つずつ連結している（図示せず。）。詳しくは、２つの第４側板３５はホッパ本体３３Ａの前面の上端部の左右両側にそれぞれのホッパ当接部３５Ａの後面を当接してホッパ本体３３Ａに連結している。
【００８３】
ホッパ１３３は２つの第４側板３５の第１係合部３５Ｃの円筒部３５Ｅを第１連結部１５３に挿通している。そして、互いに連通した第４側板３５の第６長孔３５Ｄ及び第１係合部３５Ｃの第７長孔３５Ｆにボルト３５Ｇが挿通されて、ボルト３５Ｇにナット３５Ｈがねじ込まれている。第１係合部３５Ｃは一端部及び他端部の間に隙間が形成されている（図示せず。）。このため、互いに連通した第６長孔３５Ｄ及び第７長孔３５Ｆに挿通されたボルト３５Ｇにナット３５Ｈをねじ込むと、第１係合部３５Ｃは第１連結部１５３を締め付ける。
【００８４】
ホッパ１３３は高さ調整部本体１３３Ｄの一対の第４折曲部１３３Ｑにそれぞれの上下中央部から下端部にわたり板厚方向に貫通して３つの第１貫通孔３６が設けられている（図６参照。）。これら第１貫通孔３６は前後方向の位置が同じであり、互いに上下に並んでいる。つまり、第１貫通孔３６は上下方向に一列に並び複数設けられている。また、これら第１貫通孔３６は互いに隣り合う間の寸法が異なる。詳しくは、これら第１貫通孔３６は上側と上下中央とが互いに隣り合う間の寸法が上下中央と下側とが互いに隣り合う間の寸法より小さい。
【００８５】
ホッパ１３３の高さ調整部本体１３３Ｄは２つの連結部材１３３Ｓのそれぞれの立板部１３３Ｔに板厚方向に貫通して３つの第２貫通孔１３３Ｖが設けられている。これら第２貫通孔１３３Ｖは前後方向の位置が同じであり、互いに上下に並んでいる。つまり、第２貫通孔１３３Ｖは上下方向に一列に並び複数設けられている。また、これら第２貫通孔１３３Ｖは互いに隣り合う間の寸法が同じである。また、これら第２貫通孔１３３Ｖの互いに隣り合う間の寸法は、一対の第４折曲部１３３Ｑの３つの第１貫通孔３６の互いに隣り合う間の寸法と異なる。詳しくは、これら第２貫通孔１３３Ｖの隣り合う間の寸法は、一対の第４折曲部１３３Ｑの３つの第１貫通孔３６の上側と上下中央とが互いに隣り合う間の寸法より大きく、上下中央と下側とが互いに隣り合う間の寸法より小さい。つまり、第１貫通孔３６の互いに隣り合う間の寸法と、第２貫通孔１３３Ｖの互いに隣り合う間の寸法とが異なる。
【００８６】
２つの連結部材１３３Ｓは、それぞれの座板部３３Ｕをそれぞれの立板部１３３Ｔに対して左右内側に配置し、それぞれの立板部１３３Ｔの第２貫通孔１３３Ｖのいずれか１つを一対の第４折曲部１３３Ｑのそれぞれの第１貫通孔３６のいずれか１つに連通している。また、これら連結部材１３３Ｓはそれぞれの立板部１３３Ｔの左右外側の面が第４折曲部１３３Ｑの左右内側の面に当接している。そして、互いに連通した第２貫通孔１３３Ｖ及び第１貫通孔３６にボルト１３３Ｘが挿通されて、ボルト１３３Ｘにナット１３３Ｙがねじ込まれている。こうしてこれら連結部材１３３Ｓが高さ調整部本体１３３Ｄに取り付けられている。
【００８７】
次に、このミキサ１３０のホッパ１３３の位置を調整する位置調整方法を説明する。
【００８８】
先ず、ホッパ１３３の位置を上下方向、及び第１連結部１５３の軸周り方向に調整する場合について説明する。先ず、ホッパ１３３の高さ調整部本体１３３Ｄの第１貫通孔３６、及び連結部材１３３Ｓの第２貫通孔１３３Ｖに挿通されたボルト１３３Ｘにねじ込まれたナット１３３Ｙを緩めて、ボルト１３３Ｘ及びナット１３３Ｙを取り外す。すると、連結部材１３３Ｓに対してホッパ１３３の高さ調整部本体１３３Ｄが上下方向に移動自在になる。そして、ホッパ１３３の第４側板３５の第５折曲部３５Ｂの第６長孔３５Ｄ、及び第１係合部３５Ｃの第７長孔３５Ｆに挿通されたボルト３５Ｇにねじ込まれたナット３５Ｈを緩める。すると、第１係合部３５Ｃが第１連結部１５３に対して第１連結部１５３の軸周り方向に角度自在になる。なお、このとき、第１係合部３５Ｃは第１連結部１５３に対して左右方向に移動自在である。こうして、ホッパ１３３の位置が上下方向に移動自在になり、第１連結部１５３の軸周り方向に角度自在になる。このとき、ホッパ１３３の位置を上下方向に調整して、連結部材１３３Ｓの３つの第２貫通孔１３３Ｖのいずれか１つを第４折曲部１３３Ｑの第１貫通孔３６のいずれか１つに連通させる。
【００８９】
そして、ホッパ１３３の位置を上下方向、及び第１連結部１５３の軸周り方向に調整してホッパ１３３の位置を所定の位置にした後、連通した連結部材１３３Ｓの第２貫通孔１３３Ｖ及び第４折曲部１３３Ｑの第１貫通孔３６に、再びボルト１３３Ｘを挿通してボルト１３３Ｘにナット１３３Ｙをねじ込む。そして、ホッパ１３３の第４側板３５の第５折曲部３５Ｂの第６長孔３５Ｄ、及び第１係合部３５Ｃの第７長孔３５Ｆに挿通されたボルト３５Ｇにナット３５Ｈを再びねじ込む。こうして、ホッパ１３３のミキサドラム３２に対する位置を上下方向、及び第１連結部１５３の軸周り方向に調整してホッパ１３３の位置を所定の位置に固定することができる。
【００９０】
次に、ホッパ１３３の位置を左右方向、及び前後方向に調整する場合について説明する。先ず、ホッパ１３３の第４側板３５の第５折曲部３５Ｂの第６長孔３５Ｄ、及び第１係合部３５Ｃの第７長孔３５Ｆに挿通されたボルト３５Ｇにねじ込まれたナット３５Ｈを緩める。すると、第１連結部１５３に対して第１係合部３５Ｃが左右方向に移動自在になる。なお、このとき、第１係合部３５Ｃは第１連結部１５３に対して第１連結部１５３の軸周り方向に角度自在である。そして、第２係合部１５５の第２係合基部１５５Ｄの第１挿通孔１５５Ｇ、及び第２係合小部１５５Ｅの第２挿通孔１５５Ｋに挿通されたボルト１５５Ｌにねじ込まれたナット１５５Ｍを緩める。すると、第２係合部１５５に対して第２連結部１５４が前後方向に移動自在になる。そして、ホッパ１３３の連結部材１３３Ｓの第５長孔３３Ｗ、及び第２フレーム５１Ｂの第２折曲部５１Ｆの高さ調整部用長孔５１Ｈに挿通されたボルト１３３Ｘにねじ込まれたナット１３３Ｙを緩める。すると、第２フレーム５１Ｂに対して、ホッパ１３３の連結部材１３３Ｓが左右方向、及び前後方向に移動自在になる。こうして、ホッパ１３３の位置が左右方向、及び前後方向に移動自在になる。
【００９１】
そして、ホッパ１３３の位置を左右方向に調整してホッパ１３３の位置を所定の位置にした後、ホッパ１３３の第４側板３５の第５折曲部３５Ｂの第６長孔３５Ｄ、及び第１係合部３５Ｃの第７長孔３５Ｆに挿通されたボルト３５Ｇにナット３５Ｈを再びねじ込む。そして、第２係合部１５５の第２係合基部１５５Ｄの第１挿通孔１５５Ｇ、及び第２係合小部１５５Ｅの第２挿通孔１５５Ｋに挿通されたボルト１５５Ｌにナット１５５Ｍを再びねじ込む。そして、ホッパ１３３の連結部材１３３Ｓの第５長孔３３Ｗ、及び第２フレーム５１Ｂの第２折曲部５１Ｆの高さ調整部用長孔５１Ｈに挿通されたボルト１３３Ｘにナット１３３Ｙを再びねじ込む。こうして、ホッパ１３３のミキサドラム３２に対する位置を左右方向、及び前後方向に調整してホッパ１３３の位置を所定の位置に固定することができる。
【００９２】
このように、このミキサ１３０はホッパ１３３がホッパ支持部５０を介して架台３１に連結している。また、ホッパ１３３は位置調整部１５２によってミキサドラム３２に対する位置を容易に調整することができる。このため、このミキサ１３０はホッパ１３３の排出口３３Ｆをミキサドラム３２の開口部３２Ｇに対して、所定の位置に容易に配置することができる。
【００９３】
したがって、実施形態２のミキサ１３０も容易に製造することができる。
【００９４】
また、この位置調整部１５２は、開口部３２Ｇに対する排出口３３Ｆの角度、上下方向、前後方向、及び左右方向の少なくともいずれかの位置を調整する連結部１５１を有している。このため、このミキサ１３０は連結部１５１によってホッパ１３３の位置を調整することができる。これにより、このミキサ１３０はホッパ１３３の排出口３３Ｆの開口方向をミキサドラム３２の開口部３２Ｇの開口方向に容易に合わせることができる。
【００９５】
また、この位置調整部１５２は、少なくとも連結部１５１の一部が、ミキサドラム３２の回転軸に対して直交し、水平方向に延びる第１連結部１５３と、第１連結部１５３に係合する第１係合部３５Ｃとを有している。第１連結部１５３はホッパ支持部５０に設けられ、第１係合部３５Ｃはホッパ１３３に設けられ、排出口３３Ｆを開口部３２Ｇに対して角度自在に調整する。このため、このミキサ１３０はホッパ１３３が第１係合部３５Ｃ及び第１連結部１５３を介してホッパ支持部５０に連結する。つまり、このミキサ１３０はホッパ１３３とホッパ支持部５０とを溶接して連結しない。これにより、このミキサ１３０はホッパ１３３を取り付ける際に溶接によるスパッタが発生しない。このため、このミキサ１３０はスパッタの付着を防止するために溶接する場所の周囲を養生する必要がない。また、このミキサ１３０は溶接資格を有していない作業者であってもホッパ１３３をホッパ支持部５０に取り付けることができる。
【００９６】
また、この位置調整部１５２は、第１連結部１５３とホッパ支持部５０とを連結する第２連結部１５４と、ホッパ支持部５０に対する第２連結部１５４の位置を上下方向に高さ自在に調整して係合する第２係合部１５５とを有している。このため、このミキサ１３０は第２係合部１５５に第２連結部１５４のホッパ支持部５０に対する位置を調整する機能を設けることによって、第２連結部１５４やホッパ支持部５０の構造を簡単にすることができる。これにより、このミキサ１３０は第２連結部１５４やホッパ支持部５０を容易に製造することができるため、製造する手間を抑えることができる。
【００９７】
また、この第１連結部１５３は、断面形状の外形が円形状である。このため、このミキサ１３０は第１連結部１５３の円形状の周方向にホッパ１３３を回動させてホッパ１３３の位置を調整することができる。これにより、このミキサ１３０はホッパ１３３の排出口３３Ｆの開口方向をミキサドラム３２の開口部３２Ｇの開口方向に容易に合わせることができる。
【００９８】
また、このミキサ１３０は、ホッパ１３３の後側に設けられ、ホッパ支持部５０に対するホッパ１３３の後側の位置を上下方向に自在に調整する高さ調整部３Ｂを備え得る。この場合、このミキサ１３０はホッパ支持部５０に対するホッパ１３３の後側の位置を上下方向に自在に調整することによって、ホッパ１３３の排出口３３Ｆの開口方向をミキサドラム３２の開口部３２Ｇの開口方向により良好に合わせることができる。
【００９９】
また、この高さ調整部３Ｂは、第１貫通孔３６を具備して、ホッパ１３３の後側に立設した高さ調整部本体１３３Ｄと、第２貫通孔１３３Ｖを具備して、高さ調整部本体１３３Ｄとホッパ支持部５０とを互いに連結する連結部材１３３Ｓとを有しており、第１貫通孔３６及び第２貫通孔１３３Ｖが上下方向に一列に並び複数設けられ、第１貫通孔３６と第２貫通孔１３３Ｖにボルト１３３Ｘを挿通して高さ調整部本体１３３Ｄと連結部材１３３Ｓとを連結している。このため、このミキサ１３０は連通した第１貫通孔３６及び第２貫通孔１３３Ｖにボルト１３３Ｘを挿通することができる。つまり、このミキサ１３０はホッパ支持部５０に対するホッパ１３３の後側の位置を上下方向に容易に調整することができる。
【０１００】
また、このミキサ１３０は第１貫通孔３６及び第２貫通孔１３３Ｖが複数設けられており、第１貫通孔３６の互いに隣り合う間の寸法と、第２貫通孔１３３Ｖの互いに隣り合う間の寸法とが異なる。このため、第１貫通孔３６、及び第２貫通孔１３３Ｖのそれぞれの隣り合う間の寸法の差分互いに上下方向にずらすことによって、連通した孔の隣り合う孔を連通させることができる。つまり、このミキサ１３０はホッパ支持部５０に対するホッパ１３３の後側の位置を上下方向に微調整することができる。
【０１０１】
また、このミキサ１３０はミキサ車に備えられている。このため、このミキサ１３０を備えたミキサ車はホッパ１３３の排出口３３Ｆをミキサドラム３２の開口部３２Ｇに対して、所定の位置に容易に配置することができる。
＜実施形態３＞
実施形態３のミキサ２３０は、図８〜１１に示すように、第２連結部２５４の下側が下方向に延びている点、第２係合部２５５の形状、第２フレーム５１Ｂの基部５１Ｃに弧状孔５６が設けられている点、及びホッパ２３３の第１係合部２３３Ｇの形状が実施形態１及び２と相違する。他の構成は実施形態１又は２と同一であり、同一の構成は同一の符号を付し、詳細な説明を省略する。
【０１０２】
一対の第２連結部２５４はそれぞれの下側が後方下側に延びている。また、これら第２連結部２５４は左右方向において、それぞれの下端部がほぼ垂直に垂下している。
【０１０３】
ここで第２係合部２５５の形態について、第２係合部２５５が連結部２５１である第１連結部２５３の左側に連続して連結した第２連結部２５４の下端部に連結する状態を説明する。第２係合部２５５は、第２係合基部２５５Ｄ、及び第２係合小部２５５Ｅを有している。第２係合基部２５５Ｄは上下方向に厚みを有した直方体状をなしている。第２係合基部２５５Ｄは前側が後側より下方に位置している（図９参照。）。第２係合基部２５５Ｄは右面に、直方体状の上端から下端にわたり半円状に窪んだ第１凹部２５５Ｆが設けられている。また、第２係合基部２５５Ｄは右面に第１凹部２５５Ｆを挟み内周面にねじ山が刻まれた２つの第１ねじ穴５７Ａが設けられている。また、第２係合基部２５５Ｄは左面に第１凹部２５５Ｆを挟み内周面にねじ山が刻まれた２つの第２ねじ穴５７Ｂが設けられている。
【０１０４】
第２係合小部２５５Ｅは左右方向に厚みを有した直方体状をなしている。第２係合小部２５５Ｅは上下方向、及び前後方向の寸法が第２係合基部２５５Ｄの上下方向、及び前後方向の寸法と同じである。第２係合小部２５５Ｅは直方体状の左面に、上端から下端にわたり半円状に窪んだ第２凹部２５５Ｊが設けられている。また、第２係合小部２５５Ｅは第２凹部２５５Ｊを挟み、直方体状の左右方向に貫通して２つの第２挿通孔２５５Ｋが設けられている。第２係合小部２５５Ｅは２つの第２挿通孔２５５Ｋの間の寸法が第２係合基部２５５Ｄの２つの第１ねじ穴５７Ａの間の寸法と同じである。また、第２係合小部２５５Ｅの第２凹部２５５Ｊ、及び第２係合基部２５５Ｄの第１凹部２５５Ｆの内径は第２連結部２５４の円形状の外形の寸法と同じである。第２係合小部２５５Ｅは、第２凹部２５５Ｊが設けられた左面を第２係合基部２５５Ｄの第１凹部２５５Ｆが設けられた右面に対向して、２つの第２挿通孔２５５Ｋを第２係合基部２５５Ｄの２つの第１ねじ穴５７Ａに同一直線上に配置されている。
【０１０５】
第２係合部２５５は第２係合基部２５５Ｄ、及び第２係合小部２５５Ｅがそれぞれの第１凹部２５５Ｆ及び第２凹部２５５Ｊを第２連結部２５４の円形状の外形に合わせて、第２連結部２５４の下端部を左右方向から挟み込んでいる。このとき、第２係合部２５５は第２連結部２５４の左側に第２係合基部２５５Ｄが配置され、右側に第２係合小部２５５Ｅが配置されている。また、第２係合基部２５５Ｄの２つの第１ねじ穴５７Ａ、及び第２係合小部２５５Ｅの２つの第２挿通孔２５５Ｋは互いに同一直線上に配置される。そして、ボルト２５５Ｌがそれぞれの第２挿通孔２５５Ｋに右側から挿通され、第２係合基部２５５Ｄの第１ねじ穴５７Ａにねじ込まれている。こうして第２係合部２５５が第２連結部２５４の下端部に係合して連結している。なお、第１連結部２５３の右側に連続して連結する第２連結部２５４の下端部には、第２係合基部２５５Ｄが第２連結部２５４の右側に配置され、第２係合小部２５５Ｅが第２連結部２５４の左側に配置されて連結している（図示せず。）。こうして、一対の第２連結部２５４の下端部のそれぞれに第２係合部２５５が係合して連結している。
【０１０６】
第２フレーム５１Ｂは左右それぞれの基部５１Ｃに板厚方向に貫通して円弧状をなした一対の弧状孔５６が設けられている（図９参照。）。これら弧状孔５６は円弧状の形状が互いに同一円周上になるように、前後方向に隣り合い設けられている。２つの第２係合部２５５は第２係合部２５５本体の第２ねじ穴５７Ｂが設けられた面を第２フレーム５１Ｂの基部５１Ｃの左右内側に当接している。また、これら第２係合部２５５は第２係合基部２５５Ｄの２つの第２ねじ穴５７Ｂが第２フレーム５１Ｂの基部５１Ｃの一対の弧状孔５６に連通している。そして、ボルト５６Ａが第２フレーム５１Ｂの左右外側からそれぞれの基部５１Ｃの一対の弧状孔５６に挿通され、第２係合基部２５５Ｄのそれぞれの第２ねじ穴５７Ｂにねじ込まれている。こうして第２係合部２５５が第２フレーム５１Ｂに連結している。
【０１０７】
ホッパ２３３は連結部２５１である２つの第１係合部２３３Ｇを有している。第１係合部２３３Ｇは第１係合基部２３３Ｈ、及び第１係合小部２３３Ｊを具備している。第１係合基部２３３Ｈは上下方向に長い直方体状をなしている。第１係合基部２３３Ｈは直方体状の前面に直方体状の右端から左端にわたり半円状に窪んだ第３凹部２３３Ｌが設けられている（図９参照。）。また、第１係合基部２３３Ｈは前面に第３凹部２３３Ｌを挟み内周面にねじ山が刻まれた２つの第３ねじ穴３７が設けられている。第１係合基部２３３Ｈは後面をホッパ本体３３Ａの前面の上端部の左右両側のそれぞれに当接してホッパ本体３３Ａに連結している。
【０１０８】
第１係合小部２３３Ｊは上下方向に長い直方体状をなしている。第１係合小部２３３Ｊは左右方向、及び上下方向の寸法が第１係合基部２３３Ｈと同じである。第１係合小部２３３Ｊは直方体状の後面に右端から左端にわたり半円状に窪んだ第４凹部２３３Ｎが設けられている（図９参照。）。第１係合小部２３３Ｊは第４凹部２３３Ｎを挟み、前後方向に貫通して２つの第４挿通孔２３３Ｐが設けられている。第１係合小部２３３Ｊは２つの第４挿通孔２３３Ｐの間の寸法が第１係合基部２３３Ｈの２つの第３ねじ穴３７の間の寸法と同じである。また、第１係合小部２３３Ｊの第３凹部２３３Ｌ、及び第１係合基部２３３Ｈの第４凹部２３３Ｎの内径は第１連結部２５３の円形状の外形の寸法と同じである。第１係合小部２３３Ｊは、第４凹部２３３Ｎが設けられた後面を第１係合基部２３３Ｈの第３凹部２３３Ｌが設けられた前面に対向して、２つの第４挿通孔２３３Ｐを第１係合基部２３３Ｈの２つの第３ねじ穴３７に同一直線上に配置されている。
【０１０９】
ホッパ２３３は第１係合基部２３３Ｈ、及び第１係合小部２３３Ｊのそれぞれの第３凹部２３３Ｌ及び第４凹部２３３Ｎを第１連結部２５３の円形状の外形に合わせて第１連結部２５３を前後方向から挟み込んでいる。このとき、第１係合基部２３３Ｈの２つの第３ねじ穴３７、及び第１係合小部２３３Ｊの２つの第４挿通孔２３３Ｐは互いに同一直線上に配置される。そして、ボルト２３３Ｚが第４挿通孔２３３Ｐに前側から挿通され、第１係合基部２３３Ｈの第３ねじ穴３７にねじ込まれている。
【０１１０】
次に、このミキサ２３０のホッパ２３３の位置を調整する位置調整方法を説明する。
【０１１１】
先ず、ホッパ２３３の位置を上下方向に調整する場合について説明する。先ず、第２係合小部２５５Ｅの第２挿通孔２５５Ｋを挿通し、第２係合基部２５５Ｄの第１ねじ穴５７Ａにねじ込まれたボルト２５５Ｌを緩める。すると、第２係合部２５５に対して第２連結部２５４が上下方向に移動自在になる。そして、ホッパ２３３の高さ調整部本体１３３Ｄの第１貫通孔３６、及び連結部材１３３Ｓの第２貫通孔１３３Ｖに挿通されたボルト１３３Ｘにねじ込まれたナット１３３Ｙを緩めて、ボルト１３３Ｘ及びナット１３３Ｙを取り外す。すると、連結部材１３３Ｓに対して、ホッパ２３３の高さ調整部本体１３３Ｄが上下方向に移動自在になる。こうして、ホッパ２３３の位置が上下方向に移動自在になる。
【０１１２】
そして、ホッパ２３３の位置を上下方向に調整してホッパ２３３の位置を所定の位置にした後、第２係合小部２５５Ｅの第２挿通孔２５５Ｋを挿通し、第２係合基部２５５Ｄの第１ねじ穴５７Ａにボルト２５５Ｌを再びねじ込む。そして、連通した連結部材１３３Ｓの第２貫通孔１３３Ｖ及び第４折曲部１３３Ｑの第１貫通孔３６に、再びボルト１３３Ｘを挿通してボルト１３３Ｘにナット１３３Ｙをねじ込む。こうして、ホッパ２３３のミキサドラム３２に対する位置を上下方向に調整してホッパ２３３の位置を所定の位置に固定することができる。
【０１１３】
次に、ホッパ２３３の位置を左右方向、及び前後方向に調整する場合について説明する。先ず、ホッパ２３３の第１係合小部２３３Ｊの第４挿通孔２３３Ｐを挿通して第１係合基部２３３Ｈの第３ねじ穴３７にねじ込まれたボルト２３３Ｚを緩める。すると、第１連結部２５３に対して第１係合部２３３Ｇが左右方向に移動自在になる。なお、このとき、第１係合部２３３Ｇは第１連結部２５３に対して第１連結部２５３の軸周り方向に角度自在である。そして、ホッパ２３３の連結部材１３３Ｓの第５長孔３３Ｗ、及び第２フレーム５１Ｂの第２折曲部５１Ｆの高さ調整部用長孔５１Ｈに挿通されたボルト１３３Ｘにねじ込まれたナット１３３Ｙを緩める。すると、第２フレーム５１Ｂに対して、ホッパ２３３の連結部材１３３Ｓが左右方向、及び前後方向に移動自在になる。そして、第２フレーム５１Ｂの弧状孔５６に挿通され、第２係合基部２５５Ｄの第２ねじ穴５７Ｂにねじ込まれたボルト５６Ａを緩める。すると、第２係合部２５５が第２フレーム５１Ｂの弧状孔５６の円弧が延びる方向に角度自在になる。これにより、第１連結部２５３が前後方向に移動自在になる。こうして、ホッパ２３３の位置が左右方向、及び前後方向に移動自在になる。
【０１１４】
そして、ホッパ２３３の位置を左右方向、及び前後方向に調整してホッパ２３３の位置を所定の位置にした後、ホッパ２３３の第１係合小部２３３Ｊの第４挿通孔２３３Ｐを挿通して第１係合基部２３３Ｈの第３ねじ穴３７にボルト２３３Ｚを再びねじ込む。そして、ホッパ２３３の連結部材１３３Ｓの第５長孔３３Ｗ、及び第２フレーム５１Ｂの第２折曲部５１Ｆの高さ調整部用長孔５１Ｈに挿通されたボルト１３３Ｘにナット１３３Ｙを再びねじ込む。そして、第２フレーム５１Ｂの弧状孔５６に挿通され第２係合基部２５５Ｄの第２ねじ穴５７Ｂにボルト５６Ａを再びねじ込む。こうして、ホッパ２３３のミキサドラム３２に対する位置を左右方向、及び前後方向に調整してホッパ２３３の位置を所定の位置に固定することができる。
【０１１５】
次に、ホッパ２３３の位置を第１連結部２５３の軸周り方向に調整する場合について説明する。先ず、ホッパ２３３の第１係合小部２３３Ｊの第４挿通孔２３３Ｐを挿通して第１係合基部２３３Ｈの第３ねじ穴３７にねじ込まれたボルト２３３Ｚを緩める。すると、第１係合部２３３Ｇが第１連結部２５３の軸周り方向に角度自在になる。なお、このとき、第１係合部２３３Ｇは第１連結部２５３に対して左右方向に移動自在である。そして、ホッパ２３３の高さ調整部本体１３３Ｄの第１貫通孔３６、及び連結部材１３３Ｓの第２貫通孔１３３Ｖに挿通されたボルト１３３Ｘにねじ込まれたナット１３３Ｙを緩めて、ボルト１３３Ｘ及びナット１３３Ｙを取り外す。すると、連結部材１３３Ｓに対して、ホッパ２３３の高さ調整部本体１３３Ｄが上下方向に移動自在になる。こうして、ホッパ２３３の位置が第１連結部２５３の軸周りに角度自在になる。
【０１１６】
そして、ホッパ２３３の位置を第１連結部２５３の軸周りに回転して調整してホッパ２３３の位置を所定の位置した後、ホッパ２３３の第１係合小部２３３Ｊの第４挿通孔２３３Ｐを挿通して第１係合基部２３３Ｈの第３ねじ穴３７にボルト２３３Ｚを再びねじ込む。そして、連通した連結部材１３３Ｓの第２貫通孔１３３Ｖ及び第４折曲部１３３Ｑの第１貫通孔３６に再びボルト１３３Ｘを挿通してボルト１３３Ｘにナット１３３Ｙをねじ込む。こうして、ホッパ２３３のミキサドラム３２に対する位置を第１連結部２５３の軸周りに回転して調整してホッパ２３３の位置を所定の位置に固定することができる。
【０１１７】
このように、このミキサ２３０はホッパ２３３がホッパ支持部５０を介して架台３１に連結している。また、ホッパ２３３は位置調整部２５２によってミキサドラム３２に対する位置を容易に調整することができる。このため、このミキサ２３０はホッパ２３３の排出口３３Ｆをミキサドラム３２の開口部３２Ｇに対して、所定の位置に容易に配置することができる。
【０１１８】
したがって、実施形態３のミキサ２３０も容易に製造することができる。
【０１１９】
また、この位置調整部２５２は、開口部３２Ｇに対する排出口３３Ｆの角度、上下方向、前後方向、及び左右方向の少なくともいずれかの位置を調整する連結部２５１を有している。このため、このミキサ２３０は連結部２５１によってホッパ２３３の位置を調整することができる。これにより、このミキサ２３０はホッパ２３３の排出口３３Ｆの開口方向をミキサドラム３２の開口部３２Ｇの開口方向に容易に合わせることができる。
【０１２０】
また、この位置調整部２５２は、少なくとも連結部２５１の一部が、ミキサドラム３２の回転軸に対して直交し、水平方向に延びる第１連結部２５３と、第１連結部２５３に係合する第１係合部２３３Ｇとを有し、ホッパ支持部５０に第１連結部２５３が設けられ、ホッパ２３３に第１係合部２３３Ｇが設けられ、排出口３３Ｆを開口部３２Ｇに対して角度自在に調整する。このため、このミキサ２３０はホッパ２３３が第１係合部２３３Ｇ及び第１連結部２５３を介してホッパ支持部５０に連結する。つまり、このミキサ２３０はホッパ２３３とホッパ支持部５０とを溶接して連結しない。これにより、このミキサ２３０はホッパ２３３を取り付ける際に溶接によるスパッタが発生しない。このため、このミキサ２３０はスパッタの付着を防止するために溶接する場所の周囲を養生する必要がない。また、このミキサ２３０は溶接資格を有していない作業者であってもホッパ２３３をホッパ支持部５０に取り付けることができる。
【０１２１】
また、この位置調整部２５２は、第１連結部２５３とホッパ支持部５０とを連結する第２連結部２５４と、ホッパ支持部５０に対する第２連結部２５４の位置を上下方向に高さ自在に調整して係合する第２係合部２５５とを有している。このため、このミキサ２３０は第２係合部２５５に第２連結部２５４のホッパ支持部５０に対する位置を調整する機能を設けることによって、第２連結部２５４やホッパ支持部５０の構造を簡単にすることができる。これにより、このミキサ２３０は第２連結部２５４やホッパ支持部５０を容易に製造することができるため、製造する手間を抑えることができる。
【０１２２】
また、この第１連結部２５３は、断面形状の外形が円形状である。このため、このミキサ２３０は第１連結部２５３の円形状の周方向にホッパ２３３を回動させてホッパ２３３の位置を調整することができる。これにより、このミキサ２３０はホッパ２３３の排出口３３Ｆの開口方向をミキサドラム３２の開口部３２Ｇの開口方向に容易に合わせることができる。
【０１２３】
また、このミキサ２３０は、ホッパ２３３の後側に設けられ、ホッパ支持部５０に対するホッパ２３３の後側の位置を上下方向に自在に調整する高さ調整部３Ｂを備えている。このため、このミキサ２３０はホッパ支持部に対するホッパ２３３の後側の位置を高さ調整部３Ｂを調整することによって上下方向に自在に調整する。これにより、このミキサ２３０はホッパ２３３の排出口３３Ｆの開口方向をミキサドラム３２の開口部３２Ｇの開口方向により良好に合わせることができる。
【０１２４】
また、この高さ調整部３Ｂは、第１貫通孔３６を具備して、ホッパ２３３の後側に立設した高さ調整部本体１３３Ｄと、第２貫通孔１３３Ｖを具備して、高さ調整部本体１３３Ｄとホッパ支持部５０とを互いに連結する連結部材１３３Ｓとを有しており、第１貫通孔３６及び第２貫通孔１３３Ｖが上下方向に一列に並び複数設けられ、第１貫通孔３６と第２貫通孔１３３Ｖとにボルト１３３Ｘを挿通して高さ調整部本体１３３Ｄと連結部材１３３Ｓとを連結している。このため、このミキサ２３０は連通した第１貫通孔３６及び第２貫通孔１３３Ｖにボルト１３３Ｘを挿通することができる。つまり、このミキサ２３０はホッパ支持部５０に対するホッパ２３３の後側の位置を上下方向に容易に調整することができる。
【０１２５】
また、このミキサ２３０は第１貫通孔３６及び第２貫通孔１３３Ｖが複数設けられており、第１貫通孔３６の互いに隣り合う間の寸法と、第２貫通孔１３３Ｖの互いに隣り合う間の寸法とが異なる。このため、第１貫通孔３６、及び第２貫通孔１３３Ｖのそれぞれの隣り合う間の寸法の差分互いに上下方向にずらすことによって、連通した孔の隣り合う孔を連通させることができる。つまり、このミキサ２３０はホッパ支持部５０に対するホッパ２３３の後側の位置を上下方向に微調整することができる。
【０１２６】
また、このミキサ２３０はミキサ車に備えられている。このため、このミキサ２３０を備えたミキサ車はホッパ２３３の排出口３３Ｆをミキサドラム３２の開口部３２Ｇに対して、所定の位置に容易に配置することができる。
＜実施形態４＞
実施形態４のミキサ３３０は、図１２〜１４に示すように、第１連結部３５３がホッパ３３３の左右側面のそれぞれから左右外側に延びている点、第２係合部３５５の形状、及び、第２フレーム５１Ｂの基部５１Ｃに係合部用長孔３５１Ｇが設けられている点が実施形態１〜３と相違する。他の構成は実施形態１〜３と同一であり、同一の構成は同一の符号を付し、詳細な説明を省略する。
【０１２７】
連結部３５１である第１連結部３５３は断面の外形が円形状をなして、ホッパ本体３３Ａの左右側面のそれぞれの上下中央部から左右外側に延びている。
【０１２８】
２つの第２係合部３５５は同じ形状である。これら第２係合部３５５はそれぞれが第３係合部５８、第２係合基部３５５Ｄ、及び第２係合小部３５５Ｅを具備している。ここで第２係合部３５５の形態について、第２係合部３５５が左側の第１連結部３５３に連結する状態を説明する。第３係合部５８は前後方向に幅を有し平板状をなして上下方向に延びている。第３係合部５８は前後方向の寸法が上端に向かうにつれて小さくなっている。第３係合部５８は上端部に板厚方向に貫通して設けられた第７挿通孔５８Ａが設けられている。第７挿通孔５８Ａは内径が第１連結部３５３の円形状の外形の寸法と同じである。また、第３係合部５８は下端部に板厚方向に貫通して２つの係合長孔３５５Ｈが設けられている（図１３参照。）。これら係合長孔３５５Ｈは上下方向に長い。これら３５５Ｈは上下方向の位置が互いに同じである。
【０１２９】
第２係合基部３５５Ｄは前後方向に長い直方体状をなしている。第２係合基部３５５Ｄは直方体状の上面に、直方体状の左端から右端にわたり半円状に窪んだ第１凹部３５５Ｆが設けられている。また、第２係合基部３５５Ｄは第１凹部３５５Ｆを挟み、直方体状の上下方向に貫通して２つの第１挿通孔３５５Ｇが設けられている。第２係合基部３５５Ｄは、第１凹部３５５Ｆの半円状の内周面を第３係合部５８の第７挿通孔５８Ａの内径に合わせて、右面を第３係合部５８の左面に当接して第３係合部５８に連結している。
【０１３０】
第２係合小部３５５Ｅは前後方向に長い直方体状をなしている。第２係合小部３５５Ｅは左右方向、及び前後方向の寸法が第２係合基部３５５Ｄの左右方向、及び前後方向の寸法と同じである。第２係合小部３５５Ｅは直方体状の下面に、左端から右端にわたり半円状に窪んだ第２凹部３５５Ｊが設けられている（図１３参照。）。また、第２係合小部３５５Ｅは第２凹部３５５Ｊを挟み、直方体状の上下方向に貫通して２つの第２挿通孔３５５Ｋが設けられている。第２係合小部３５５Ｅは２つの第２挿通孔３５５Ｋの間の寸法が第２係合基部３５５Ｄの２つの第１挿通孔３５５Ｇの間の寸法と同じである。また、第２係合小部３５５Ｅの第２凹部３５５Ｊ、及び第２係合基部３５５Ｄの第１凹部３５５Ｆの内径は第１連結部３５３の円形状の外形の寸法と同じである。第２係合小部３５５Ｅは、第２凹部３５５Ｊが設けられた下面を第２係合基部３５５Ｄの第１凹部３５５Ｆが設けられた上面に対向して、２つの第２挿通孔３５５Ｋを第２係合基部３５５Ｄの２つの第１挿通孔３５５Ｇに同一直線上に配置されている。
【０１３１】
第２係合部３５５は第２係合基部３５５Ｄ、及び第２係合小部３５５Ｅがそれぞれの第１凹部３５５Ｆ及び第２凹部３５５Ｊを第１連結部３５３の円形状の外形に合わせて、第１連結部３５３の先端部を上下方向から挟み込んでいる。このとき、第２係合基部３５５Ｄ、及び第２係合小部３５５Ｅは第３係合部５８の左側に配置されている。また、第２係合基部３５５Ｄの２つの第１挿通孔３５５Ｇ、及び第２係合小部３５５Ｅの２つの第２挿通孔３５５Ｋは互いに同一直線上に配置される。そして、同一直線上に配置された第１挿通孔３５５Ｇ及び第２挿通孔３５５Ｋのそれぞれにボルト３５５Ｌが挿通されてボルト３５５Ｌにナット３５５Ｍがねじ込まれている。こうして第２係合部３５５が第１連結部３５３の先端部に連結している。なお、ホッパ本体３３Ａの右側に連結している第１連結部３５３の先端部には、第３係合部５８の右面に第２係合基部３５５Ｄ、及び第２係合小部３５５Ｅが配置されて連結している。こうして、一対の第１連結部３５３の先端部のそれぞれに第２係合部３５５が連結している。
【０１３２】
第２フレーム５１Ｂは左右それぞれの基部５１Ｃに板厚方向に貫通して２つの係合部用長孔３５１Ｇが設けられている（図１３参照。）。これら係合部用長孔３５１Ｇは前後方向に長い。これら係合部用長孔３５１Ｇは上下方向の位置が互いに同じである。２つの第２係合部３５５はそれぞれの第３係合部５８の左右内側の面を第２フレーム５１Ｂの基部５１Ｃの左右外側の面に当接している。また、これら第２係合部３５５は第３係合部５８の係合長孔３５５Ｈが第２フレーム５１Ｂの基部５１Ｃの係合部用長孔３５１Ｇに連通している。そして、互いに連通した係合部用長孔３５１Ｇ及び係合長孔３５５Ｈにボルト５８Ｃが挿通されて、ボルト５８Ｃにナット５８Ｄがねじ込まれている。こうして第２係合部３５５が第２フレーム５１Ｂに連結している。
【０１３３】
次に、このミキサ３３０のホッパ３３３の位置を調整する位置調整方法を説明する。
【０１３４】
先ず、ホッパ３３３の位置を上下方向に調整する場合について説明する。先ず、第２係合部３５５の第３係合部５８の係合長孔３５５Ｈ、及び第２フレーム５１Ｂの基部５１Ｃの係合部用長孔３５１Ｇに挿通されたボルト５８Ｃにねじ込まれたナット５８Ｄを緩める。すると、第２フレーム５１Ｂに対して第２係合部３５５が上下方向及び前後方向に移動自在になる。そして、ホッパ３３３の高さ調整部本体１３３Ｄの第１貫通孔３６、及び連結部材１３３Ｓの第２貫通孔１３３Ｖに挿通されたボルト１３３Ｘにねじ込まれたナット１３３Ｙを緩めて、ボルト１３３Ｘ及びナット１３３Ｙを取り外す。すると、連結部材１３３Ｓに対して、ホッパ３３３の高さ調整部本体１３３Ｄが上下方向に移動自在になる。こうして、ホッパ３３３の位置が上下方向に移動自在になる。
【０１３５】
そして、ホッパ３３３の位置を上下方向に調整してホッパ３３３の位置を所定の位置にした後、第２係合部３５５の第３係合部５８の係合長孔３５５Ｈ、及び第２フレーム５１Ｂの基部５１Ｃの係合部用長孔３５１Ｇに挿通されたボルト５８Ｃにナット５８Ｄを再びねじ込む。そして、連通した連結部材１３３Ｓの第２貫通孔１３３Ｖ、及び第４折曲部１３３Ｑの第１貫通孔３６に再びボルト１３３Ｘを挿通してボルト１３３Ｘにナット１３３Ｙをねじ込む。こうして、ホッパ３３３のミキサドラム３２に対する位置を上下方向に調整してホッパ３３３の位置を所定の位置に固定することができる。
【０１３６】
次に、ホッパ３３３の位置を左右方向、及び前後方向に調整する場合を説明する。先ず、第２係合部３５５の第３係合部５８の係合長孔３５５Ｈ、及び第２フレーム５１Ｂの基部５１Ｃの係合部用長孔３５１Ｇに挿通されたボルト５８Ｃにねじ込まれたナット５８Ｄを緩める。すると、第２フレーム５１Ｂに対して第２係合部３５５が上下方向、及び前後方向に移動自在になる。そして、ホッパ３３３の連結部材１３３Ｓの第５長孔３３Ｗ、及び第２フレーム５１Ｂの第２折曲部５１Ｆの高さ調整部用長孔５１Ｈに挿通されたボルト１３３Ｘにねじ込まれたナット１３３Ｙを緩める。すると、第２フレーム５１Ｂに対して、ホッパ３３３の連結部材１３３Ｓが左右方向、及び前後方向に移動自在になる。そして、第２係合部３５５の第２係合基部３５５Ｄの第１挿通孔３５５Ｇ、及び第２係合小部３５５Ｅの第２挿通孔３５５Ｋに挿通されたボルト３５５Ｌにねじ込まれたナット３５５Ｍを緩める。すると、第２係合部３５５に対して、第１連結部３５３が左右方向に移動自在になる。つまり、第２係合部３５５は第４係合部でもある。なお、このとき、第１連結部３５３は第２係合部３５５に対して第１連結部３５３の軸周り方向に角度自在である。こうして、ホッパ３３３の位置が左右方向、及び前後方向に移動自在になる。
【０１３７】
そして、ホッパ３３３の位置を左右方向、及び前後方向に調整してホッパ３３３の位置を所定の位置にした後、第２係合部３５５の第３係合部５８の係合長孔３５５Ｈ、及び第２フレーム５１Ｂの基部５１Ｃの係合部用長孔３５１Ｇに挿通されたボルト５８Ｃにナット５８Ｄを再びねじ込む。そして、ホッパ３３３の連結部材１３３Ｓの第５長孔３３Ｗ、及び第２フレーム５１Ｂの第２折曲部５１Ｆの高さ調整部用長孔５１Ｈに挿通されたボルト１３３Ｘにナット１３３Ｙを再びねじ込む。そして、第２係合部３５５の第２係合基部３５５Ｄの第１挿通孔３５５Ｇ、及び第２係合小部３５５Ｅの第２挿通孔３５５Ｋに挿通されたボルト３５５Ｌにナット３５５Ｍを再びねじ込む。こうして、ホッパ３３３のミキサドラム３２に対する位置を左右方向、及び前後方向に調整してホッパ３３３の位置を所定の位置に固定することができる。
【０１３８】
次に、ホッパ３３３の位置を第１連結部３５３の軸周り方向に調整する場合について説明する。先ず、第２係合部３５５の第２係合基部３５５Ｄの第１挿通孔３５５Ｇ及び第２係合小部３５５Ｅの第２挿通孔３５５Ｋに挿通されたボルト３５５Ｌにねじ込まれたナット３５５Ｍを緩める。すると、第２係合部３５５に対して、第１連結部３５３が第１連結部３５３の軸周り方向に角度自在になる。なお、このとき、第１連結部３５３は第２係合部３５５に対して左右方向に移動自在である。そして、ホッパの高さ調整部本体１３３Ｄの第１貫通孔３６、及び連結部材１３３Ｓの第２貫通孔１３３Ｖに挿通されたボルト１３３Ｘにねじ込まれたナット１３３Ｙを緩めて、ボルト１３３Ｘ及びナット１３３Ｙを取り外す。すると、連結部材１３３Ｓに対して、ホッパ３３３の高さ調整部本体１３３Ｄが上下方向に移動自在になる。こうして、ホッパ３３３の位置が第１連結部３５３の軸周りに角度自在になる。
【０１３９】
そして、ホッパ３３３の位置を第１連結部３５３の軸周りに回転して調整してホッパ３３３の位置を所定の位置した後、第２係合部３５５の第２係合基部３５５Ｄの第１挿通孔３５５Ｇ及び第２係合小部３５５Ｅの第２挿通孔３５５Ｋに挿通されたボルト３５５Ｌにナット３５５Ｍを再びねじ込む。そして、連通した連結部材１３３Ｓの第２貫通孔１３３Ｖ、及び第４折曲部１３３Ｑの第１貫通孔３６に再びボルト１３３Ｘを挿通してボルト１３３Ｘにナット１３３Ｙをねじ込む。こうして、ホッパ３３３のミキサドラム３２に対する位置を第１連結部３５３の軸周りに回転して調整してホッパ３３３の位置を所定の位置に固定することができる。
【０１４０】
このように、このミキサ３３０はホッパ３３３がホッパ支持部５０を介して架台３１に連結している。また、ホッパ３３３は位置調整部３５２によってミキサドラム３２に対する位置を容易に調整することができる。このため、このミキサ３３０はホッパ３３３の排出口３３Ｆをミキサドラム３２の開口部３２Ｇに対して、所定の位置に容易に配置することができる。
【０１４１】
したがって、実施形態４のミキサ３３０も容易に製造することができる。
【０１４２】
また、この位置調整部３５２は、開口部３２Ｇに対する排出口３３Ｆの角度、上下方向、前後方向、及び左右方向の少なくともいずれかの位置を調整する連結部３５１を有している。このため、このミキサ３３０は連結部３５１によってホッパ３３３の位置を調整することができる。これにより、このミキサ３３０はホッパ３３３の排出口３３Ｆの開口方向をミキサドラム３２の開口部３２Ｇの開口方向に容易に合わせることができる。
【０１４３】
また、この位置調整部３５２は、連結部３５１の一部が、ミキサドラム３２の回転軸に対して直交し、水平方向に延びる第１連結部３５３を有し、ホッパ３３３に第１連結部３５３が設けられ、排出口３３Ｆを開口部３２Ｇに対して角度自在に調整する。このため、このミキサ３０はホッパ３３３が第１連結部３５３を介してホッパ支持部５０に連結する。つまり、このミキサ３３０はホッパ３３３とホッパ支持部５０とを溶接して連結しない。これにより、このミキサ３３０はホッパ３３３を取り付ける際に溶接によるスパッタが発生しない。このため、このミキサ３３０はスパッタの付着を防止するために溶接する場所の周囲を養生する必要がない。また、このミキサ３３０は溶接資格を有していない作業者であってもホッパ３３３をホッパ支持部５０に取り付けることができる。
【０１４４】
また、この位置調整部３５２は、ホッパ支持部５０に対する第１連結部３５３の位置を上下方向に高さ自在に調整して係合する第２係合部３５５を有している。このため、このミキサ３３０は第２係合部３５５に第１連結部３５３のホッパ支持部５０に対する位置を調整する機能を設けることによって、第１連結部３５３やホッパ支持部５０の構造を簡単にすることができる。これにより、このミキサ３３０は第１連結部３５３やホッパ支持部５０を容易に製造することができるため、製造する手間を抑えることができる。
【０１４５】
また、この位置調整部３５２は、ホッパ支持部５０に対するホッパ３３３の位置を前後方向に自在に調整して、連結部３５１とホッパ支持部５０とを係合する第３係合部５８を有している。このため、このミキサ３０は第３係合部５８を介して連結部３５１とホッパ支持部５０とを係合することができる。つまり、このミキサ３３０は連結部３５１とホッパ支持部５０とを溶接していない。これにより、このミキサ３３０は連結部３５１をホッパ支持部５０に取り付ける際に溶接によるスパッタが発生しない。このため、このミキサ３３０はスパッタの付着を防止するために溶接する場所の周囲を養生する必要がない。また、このミキサ３３０は溶接資格を有していない作業者であっても連結部３５１をホッパ支持部５０に取り付けることができる。
【０１４６】
また、この位置調整部３５２は、ホッパ支持部５０に対するホッパ３３３の位置を左右方向に自在に調整して、連結部３５１とホッパ支持部５０とを係合する第２係合部３５５（第４係合部）を有している。このため、このミキサ３３０は第２係合部３５５を介して連結部３５１とホッパ支持部５０とを係合することができる。つまり、このミキサ３３０は連結部３５１とホッパ支持部５０とを溶接していない。これにより、このミキサ３３０は連結部３５１をホッパ支持部５０に取り付ける際に溶接によるスパッタが発生しない。このため、このミキサ３３０はスパッタの付着を防止するために溶接する場所の周囲を養生する必要がない。また、このミキサ３３０は溶接資格を有していない作業者であっても連結部３５１をホッパ支持部５０に取り付けることができる。
【０１４７】
また、この第１連結部３５３は、断面形状の外形が円形状である。このため、このミキサ３０は第１連結部３５３の円形状の周方向にホッパ３３３を回動させてホッパ３３３の位置を調整することができる。これにより、このミキサ３３０はホッパ３３３の排出口３３Ｆの開口方向をミキサドラム３２の開口部３２Ｇの開口方向に容易に合わせることができる。
【０１４８】
また、このホッパ支持部５０は、前後方向に延びた係合部用長孔３５１Ｇを具備し、第３係合部５８が係合部用長孔３５１Ｇを介してホッパ支持部５０に連結される。このため、このミキサ３３０は第３係合部５８のホッパ支持部５０に対する位置を係合部用長孔３５１Ｇが延びる方向に容易に調整して、連結部３５１とホッパ支持部５０とを連結することができる。
【０１４９】
また、このミキサ３３０は、ホッパ３３３の後側に設けられ、ホッパ支持部５０に対するホッパ３３３の後側の位置を上下方向に自在に調整する高さ調整部３Ｂを備えている。このため、このミキサ３３０はホッパ支持部５０に対するホッパ３３３の後側の位置を上下方向に自在に調整することによって、ホッパ３３３の排出口３３Ｆの開口方向をミキサドラム３２の開口部３２Ｇの開口方向により良好に合わせることができる。
【０１５０】
また、この高さ調整部３Ｂは、第１貫通孔３６を具備して、ホッパ３３３の後側に立設した高さ調整部本体１３３Ｄと、第２貫通孔１３３Ｖを具備して、高さ調整部本体１３３Ｄとホッパ支持部５０とを互いに連結する連結部材１３３Ｓとを有しており、第１貫通孔３６及び第２貫通孔１３３Ｖが上下方向に一列に並び複数設けられ、第１貫通孔３６と第２貫通孔１３３Ｖとにボルト１３３Ｘを挿通して高さ調整部本体１３３Ｄと連結部材１３３Ｓとを連結している。このため、このミキサ３３０は連通した第１貫通孔３６及び第２貫通孔１３３Ｖにボルト１３３Ｘを挿通することができる。つまり、このミキサ３３０はホッパ支持部５０に対するホッパ３３３の後側の位置を上下方向に容易に調整することができる。
【０１５１】
また、このミキサ３３０は第１貫通孔３６及び第２貫通孔１３３Ｖが複数設けられており、第１貫通孔３６の互いに隣り合う間の寸法と、第２貫通孔１３３Ｖの互いに隣り合う間の寸法とが異なる。このため、このミキサ３３０は第１貫通孔３６、及び第２貫通孔１３３Ｖのそれぞれの隣り合う間の寸法の差分互いに上下方向にずらすことによって、連通した孔の隣り合う孔を連通させることができる。つまり、このミキサ３３０はホッパ支持部５０に対するホッパ３３３の後側の位置を上下方向に微調整することができる。
【０１５２】
また、このミキサ３３０はミキサ車に備えられている。このため、このミキサ３３０を備えたミキサ車はホッパ３３３の排出口３３Ｆをミキサドラム３２の開口部３２Ｇに対して、所定の位置に容易に配置することができる。
＜実施形態５＞
実施形態５のミキサ４３０は、図１５〜１７に示すように、ホッパ４３３の左右両側のそれぞれに柱状連結部７０を設けている点が実施形態１〜４と相違する。他の構成は実施形態１〜４と同一であり、同一の構成は同一の符号を付し、詳細な説明を省略する。
【０１５３】
一対の柱状連結部７０は、柱状部本体７０Ａ、上側連結部７０Ｂ、及び下側連結部７０Ｃを具備している。ここで柱状連結部７０の形態について、柱状連結部７０がミキサ４３０の左側に配置される状態を説明する。柱状部本体７０Ａは柱状をなして上下方向に延びている。柱状部本体は断面の外形が矩形状である。
【０１５４】
上側連結部７０Ｂは上側連結部本体７０Ｄ、及び上側補強部７０Ｅを具備している。上側連結部本体７０Ｄは上下方向に幅を有して平板状をなして前後方向に延びている。上側連結部本体７０Ｄは板厚方向に貫通して２つの第８長孔７０Ｆが設けられている。これら第８長孔７０Ｆは前後方向に長い。これら第８長孔７０Ｆは上下方向の位置が同じであり、互いに前後に並んでいる。上側補強部７０Ｅは上側連結部本体７０Ｄの上端から左方向に平板状に延びている。
【０１５５】
上側連結部７０Ｂは上側連結部本体７０Ｄの左面の前後中央部を柱状部本体７０Ａの右面に当接し、上側補強部７０Ｅの下面の前後中央部を柱状部本体７０Ａの上端面に当接して連結している。また、柱状連結部７０は上端部の前側及び後側のそれぞれに平板状をなした補強板７０Ｇが当接して設けられている。これら補強板７０Ｇは平板状の右端及び上端がそれぞれ上側連結部本体７０Ｄの左面、及び上側補強部７０Ｅの下面に当接している。
【０１５６】
下側連結部７０Ｃは第３係合部７０Ｈ、及び下側補強部７０Ｊを具備している。第３係合部７０Ｈは左右方向に幅を有して平板状をなして前後方向に延びている。第３係合部７０Ｈは板厚方向に貫通して２つの係合長孔７０Ｋが設けられている。これら係合長孔７０Ｋは左右方向に長い。これら係合長孔７０Ｋは左右方向の位置が同じであり、互いに前後に並んでいる。下側補強部７０Ｊは第３係合部７０Ｈの右端から上方向に平板状に延びている。下側補強部７０Ｊは上端に向かうにつれて前後方向の寸法が小さくなっている。下側連結部７０Ｃは第３係合部７０Ｈの上面の前後中央部を柱状部本体７０Ａの下端面に当接し、下側補強部７０Ｊの左面の前後中央部を柱状部本体の右面に当接して連結している。こうして柱状連結部７０が形成されている。
【０１５７】
柱状連結部７０は第３係合部７０Ｈの下面が第２フレーム５１Ｂのそれぞれの基部５１Ｃの第１折曲部５１Ｅの上面に１つずつ当接して設けられている。これら柱状連結部７０は係合長孔７０Ｋが第１折曲部５１Ｅのそれぞれの係合部用長孔５１Ｇに連通している。このとき、これら柱状連結部７０は柱状部本体７０Ａが上端に向かうにつれて左右内側に傾斜している。これら柱状連結部７０は上側連結部７０Ｂの上側連結部本体７０Ｄが互いに対向している。そして、互いに連通した係合長孔７０Ｋ及び係合部用長孔５１Ｇのそれぞれにボルト７０Ｌが挿通されて、ボルト７０Ｌにナット７０Ｍがねじ込まれている。こうして一対の柱状連結部７０が第２フレーム５１Ｂに連結している。
【０１５８】
ホッパ４３３は一対の第２側板４３３Ｃのそれぞれに板厚方向に貫通して２つの第１０長孔５９が設けられている。これら第１０長孔５９は上下方向に長い。これら第１０長孔５９は上下方向の位置が同じであり、互いに前後に並んでいる。
【０１５９】
ホッパ４３３は一対の第２側板４３３Ｃの左右外側の面に一対の柱状連結部７０の上側連結部本体７０Ｄの互いに対向した面がそれぞれ当接して配置されている。また、ホッパ４３３は第２側板４３３Ｃの第１０長孔５９が柱状連結部７０の上側連結部本体７０Ｄの第８長孔７０Ｆのそれぞれに連通している。そして、互いに連通した第１０長孔５９及び第８長孔７０Ｆのそれぞれにボルト７０Ｎが挿通されてボルト７０Ｎにナット７０Ｐがねじ込まれている。
【０１６０】
次に、このミキサ４３０のホッパ４３３の位置を調整する位置調整方法を説明する。
【０１６１】
先ず、ホッパ４３３の位置を上下方向に調整する場合について説明する。先ず、柱状連結部７０の上側連結部本体７０Ｄの第８長孔７０Ｆ、及びホッパ４３３の第２側板４３３Ｃの第１０長孔５９に挿通されたボルト７０Ｎにねじ込まれたナット７０Ｐを緩める。すると、上側連結部本体７０Ｄに対して第２側板４３３Ｃが上下方向に移動自在になる。なお、このとき、上側連結部本体７０Ｄに対して第２側板４３３Ｃが前後方向に移動自在である。そして、ホッパ４３３の高さ調整部本体１３３Ｄの第１貫通孔３６、及び連結部材１３３Ｓの第２貫通孔１３３Ｖに挿通されたボルト１３３Ｘにねじ込まれたナット１３３Ｙを緩めて、ボルト１３３Ｘ及びナット１３３Ｙを取り外す。すると、連結部材１３３Ｓに対して、ホッパ４３３の高さ調整部本体１３３Ｄが上下方向に移動自在になる。こうして、ホッパ４３３の位置が上下方向に移動自在になる。なお、このとき、ホッパ４３３の投入口３３Ｅに対する排出部３３Ｂの前後方向の位置を調整することができる。つまり、ホッパ４３３の位置を回動して調整することができる。
【０１６２】
そして、ホッパ４３３の位置を上下方向に調整してホッパ４３３の位置を所定の位置にした後、柱状連結部７０の上側連結部本体７０Ｄの第８長孔７０Ｆ、及びホッパ４３３の第２側板４３３Ｃの第１０長孔５９に挿通されたボルト７０Ｎにナット７０Ｐを再びねじ込む。そして、連通した連結部材１３３Ｓの第２貫通孔１３３Ｖ及び第４折曲部１３３Ｑの第１貫通孔３６に再びボルト１３３Ｘを挿通してボルト１３３Ｘにナット１３３Ｙをねじ込む。こうして、ホッパ４３３のミキサドラム３２に対する位置を上下方向に調整してホッパ４３３の位置を所定の位置に固定することができる。
【０１６３】
次に、ホッパ４３３の位置を左右方向、及び前後方向に調整する場合について説明する。先ず、柱状連結部７０の第３係合部７０Ｈの係合長孔７０Ｋ、及び第２フレーム５１Ｂの第１折曲部５１Ｅの係合部用長孔５１Ｇに挿通されたボルト７０Ｌにねじ込まれたナット７０Ｍを緩める。すると、第２フレーム５１Ｂに対して第３係合部７０Ｈが左右方向、及び前後方向に移動自在になる。つまり、第３係合部７０Ｈは第４係合部でもある。そして、ホッパ４３３の連結部材１３３Ｓの第５長孔３３Ｗ、及び第２フレーム５１Ｂの第２折曲部５１Ｆの高さ調整部用長孔５１Ｈに挿通されたボルト１３３Ｘにねじ込まれたナット１３３Ｙを緩める。すると、第２フレーム５１Ｂに対して、ホッパ４３３の連結部材１３３Ｓが左右方向、及び前後方向に移動自在になる。こうして、ホッパ４３３の位置が左右方向、及び前後方向に移動自在になる。
【０１６４】
そして、ホッパ４３３の位置を左右方向、及び前後方向に調整してホッパ４３３の位置を所定の位置にした後、柱状連結部７０の第３係合部７０Ｈの係合長孔７０Ｋ、及び第２フレーム５１Ｂの第１折曲部５１Ｅの係合部用長孔５１Ｇに挿通されたボルト７０Ｌにナット７０Ｍを再びねじ込む。そして、ホッパ４３３の連結部材１３３Ｓの第５長孔３３Ｗ、及び第２フレーム５１Ｂの第２折曲部５１Ｆの高さ調整部用長孔５１Ｈに挿通されたボルト１３３Ｘにナット１３３Ｙを再びねじ込む。こうして、ホッパ４３３のミキサドラム３２に対する位置を左右方向、及び前後方向に調整してホッパ４３３の位置を所定の位置に固定することができる。
【０１６５】
このように、このミキサ４３０はホッパ４３３がホッパ支持部５０を介して架台３１に連結している。また、ホッパ４３３は位置調整部４５２によってミキサドラム３２に対する位置を容易に調整することができる。このため、このミキサ４３０はホッパ４３３の排出口３３Ｆをミキサドラム３２の開口部３２Ｇに対して、所定の位置に容易に配置することができる。
【０１６６】
したがって、実施形態５のミキサ４３０も容易に製造することができる。
【０１６７】
また、この位置調整部４５２は、開口部３２Ｇに対する排出口３３Ｆの上下方向、前後方向、及び左右方向の位置を調整する柱状連結部７０を有している。このため、このミキサ４３０は柱状連結部７０によってホッパ４３３の位置を調整することができる。これにより、このミキサ４３０はホッパ４３３の排出口３３Ｆの開口方向をミキサドラム３２の開口部３２Ｇの開口方向に容易に合わせることができる。
【０１６８】
また、この位置調整部４５２は、ホッパ支持部５０に対するホッパ４３３の位置を前後方向に自在に調整して、柱状連結部７０とホッパ支持部５０とを係合する第３係合部７０Ｈを有している。このため、このミキサ３０は第３係合部７０Ｈを介して柱状連結部７０とホッパ支持部５０とを係合することができる。つまり、このミキサ４３０は柱状連結部７０とホッパ支持部５０とを溶接していない。これにより、このミキサ４３０は柱状連結部７０をホッパ支持部５０に取り付ける際に溶接によるスパッタが発生しない。このため、このミキサ４３０はスパッタの付着を防止するために溶接する場所の周囲を養生する必要がない。また、このミキサ４３０は溶接資格を有していない作業者であっても柱状連結部７０をホッパ支持部５０に取り付けることができる。
【０１６９】
また、この位置調整部４５２は、ホッパ支持部５０に対するホッパ４３３の位置を左右方向に自在に調整して、柱状連結部７０とホッパ支持部５０とを係合する第３係合部７０Ｈ（第４係合部）を有している。このため、このミキサ４３０は第３係合部７０Ｈを介して柱状連結部７０とホッパ支持部５０とを係合することができる。つまり、このミキサ４３０は柱状連結部７０とホッパ支持部５０とを溶接していない。これにより、このミキサ４３０は柱状連結部７０をホッパ支持部５０に取り付ける際に溶接によるスパッタが発生しない。このため、このミキサ４３０はスパッタの付着を防止するために溶接する場所の周囲を養生する必要がない。また、このミキサ４３０は溶接資格を有していない作業者であっても柱状連結部７０をホッパ支持部５０に取り付けることができる。
【０１７０】
また、このホッパ支持部５０は、前後方向に延びた係合部用長孔５１Ｇを具備し、第３係合部７０Ｈが係合部用長孔５１Ｇを介してホッパ支持部５０に連結される。このため、このミキサ４３０は下側連結部７０Ｃのホッパ支持部５０に対する位置を係合部用長孔５１Ｇが延びる方向に容易に調整して、柱状連結部７０とホッパ支持部５０とを連結することができる。
【０１７１】
また、この第３係合部７０Ｈ（第４係合部）は、左右方向に延びた係合長孔７０Ｋを具備し、第３係合部７０Ｈが係合長孔７０Ｋを介してホッパ支持部５０に連結される。このため、このミキサ４３０は下側連結部７０Ｃのホッパ支持部５０に対する位置を係合長孔７０Ｋが延びる方向に容易に調整して、連結部とホッパ支持部５０とを連結することができる。
【０１７２】
また、このミキサ４３０は、ホッパ４３３の後側に設けられ、ホッパ支持部５０に対するホッパ４３３の後側の位置を上下方向に自在に調整する高さ調整部３Ｂを備えている。このため、このミキサ４３０はホッパ支持部５０に対するホッパ４３３の後側の位置を高さ調整部３Ｂを調整することによって上下方向に自在に調整する。これにより、このミキサ４３０はホッパ４３３の排出口３３Ｆの開口方向をミキサドラム３２の開口部３２Ｇの開口方向により良好に合わせることができる。
【０１７３】
また、この高さ調整部３Ｂは、第１貫通孔３６を具備して、ホッパ４３３の後側に立設した高さ調整部本体１３３Ｄと、第２貫通孔１３３Ｖを具備して、高さ調整部本体３３Ｄとホッパ支持部５０とを互いに連結する連結部材１３３Ｓとを有しており、第１貫通孔３６及び第２貫通孔１３３Ｖが上下方向に一列に並び複数設けられ、第１貫通孔３６と第２貫通孔１３３Ｖとにボルト１３３Ｘを挿通して高さ調整部本体１３３Ｄと連結部材１３３Ｓとを連結している。このため、このミキサ４３０は連通した第１貫通孔３６及び第２貫通孔１３３Ｖにボルト１３３Ｘを挿通することができる。つまり、このミキサ４３０はホッパ支持部５０に対するホッパ４３３の後側の位置を上下方向に容易に調整することができる。
【０１７４】
また、このミキサ４３０は第１貫通孔３６及び第２貫通孔１３３Ｖが複数設けられており、第１貫通孔３６の互いに隣り合う間の寸法と、第２貫通孔１３３Ｖの互いに隣り合う間の寸法とが異なる。このため、第１貫通孔３６、及び第２貫通孔１３３Ｖのそれぞれの隣り合う間の寸法の差分互いに上下方向にずらすことによって、連通した孔の隣り合う孔を連通させることができる。つまり、このミキサ４３０はホッパ支持部５０に対するホッパ４３３の後側の位置を上下方向に微調整することができる。
【０１７５】
また、このミキサ４３０はミキサ車に備えられている。このため、このミキサ４３０を備えたミキサ車はホッパ４３３の排出口３３Ｆをミキサドラム３２の開口部３２Ｇに対して、所定の位置に容易に配置することができる。
＜実施形態６＞
実施形態６のミキサ５３０は、図１８、１９、２０（Ａ）、（Ｂ）に示すように、第１連結部５５３に第１ボルト挿通孔６０Ａが設けられている点、第２連結部５５４の下端部に複数の第２ボルト挿通孔６０Ｂが設けられている点、第２係合部５５５の形状、及びホッパ５３３の左右両側に設けられた連結部５５１である第１係合部５３３Ｇの形状が実施形態１〜５と相違する。他の構成は実施形態１〜５と同一であり、同一の構成は同一の符号を付し、詳細な説明を省略する。
【０１７６】
連結部５５１である第１連結部５５３は左右両端部のそれぞれに第１ボルト挿通孔６０Ａが１つずつ設けられている。これら第１ボルト挿通孔６０Ａは第１連結部５５３の円柱状の中心軸に対して直交して上下方向に貫通して形成されている。また、これら第１ボルト挿通孔６０Ａは互いに平行である。第２連結部５５４は第１連結部５５３の左右両端のそれぞれに１つずつが連続して連結して垂下している。これら第２連結部５５４はそれぞれの下端部に複数の第２ボルト挿通孔６０Ｂが設けられている。これら第２ボルト挿通孔６０Ｂは第２連結部５５４の円柱状の中心軸に対して直交して前後方向に貫通して形成されている。また、これら第２ボルト挿通孔６０Ｂは互いに平行である。
【０１７７】
第２係合部５５５は、図１９に示すように、第２係合基部５５５Ｄ、及び第３係合部５５８を具備している。第２係合基部５５５Ｄは円筒状をなして上下方向に延びている。第２係合基部５５５Ｄは円筒状の上端部に前後方向に一対の第３ボルト挿通孔６０Ｃが設けられている。これら第３ボルト挿通孔６０Ｃは第２係合基部５５５Ｄの円筒状の中心軸に対して直交し貫通して設けられている。これら第３ボルト挿通孔６０Ｃは互いに同軸である。
【０１７８】
第３係合部５５８は平板状をなして水平方向に拡がり、前後方向に延びている。第３係合部５５８は第２係合基部５５５Ｄの下端に平板状の上面の中央部を当接して第２係合基部５５５Ｄに連結している。また、第３係合部５５８は前端部と後端部のそれぞれに板厚方向に貫通して係合長孔５５５Ｈが１つずつ設けられている。これら係合長孔５５５Ｈは左右方向に長い。これら係合長孔５５５Ｈは左右方向の位置が互いに同じである。こうして第２係合部５５５が形成されている。
【０１７９】
第２係合部５５５はそれぞれの第３係合部５５８の下面が第２フレーム５１Ｂの左右の第１折曲部５１Ｅのそれぞれの上面に当接している。また、これら第２係合部５５５は第３係合部５５８の係合長孔５５５Ｈが第１折曲部５１Ｅのそれぞれの係合部用長孔５１Ｇに連通している。そして、互いに連通した係合長孔５５５Ｈ及び係合部用長孔５１Ｇのそれぞれにボルト５５５Ｌが挿通されて、ボルト５５５Ｌにナット５５５Ｍがねじ込まれている。
【０１８０】
一対の第２連結部５５４は、それぞれの下端部をそれぞれの第２係合部５５５の第２係合基部５５５Ｄの円筒状の内側に挿入している。このとき、第２連結部５５４の複数の第２ボルト挿通孔６０Ｂのいずれかが、第２係合部５５５の一対の第３ボルト挿通孔６０Ｃに連通している。そして、互いに連通した第２ボルト挿通孔６０Ｂ及び一対の第３ボルト挿通孔６０Ｃのそれぞれにボルト６１Ａが挿通されて、ボルト６１Ａにナット６１Ｂがねじ込まれている。
【０１８１】
連結部５５１である第１係合部５３３Ｇは、図２０（Ａ）、（Ｂ）に示すように、柱状部６１Ｃ、及び第１係合基部５３３Ｈを具備している。柱状部６１Ｃは柱状をなして前後方向に延びている。第１係合基部５３３Ｈは帯状をなしている。第１係合基部５３３Ｈは帯状の長手方向の一端が柱状部６１Ｃの前端に連結して前方向に延びている。第１係合基部５３３Ｈは帯状の中間部が長手方向に湾曲して半円筒状をなして半円筒部６１Ｄを形成している。半円筒部６１Ｄは中心軸が左右方向に延びている。半円筒部６１Ｄは内径が第１連結部５５３の円形状の外径と同じである。第１係合基部５３３Ｈは帯状の長手方向の一端の下側に他端が配置されている。第１係合基部５３３Ｈは半円筒部６１Ｄの左右中央部に周方向に延びて貫通したボルト挿通溝６１Ｅが設けられている。ボルト挿通溝６１Ｅは溝の左右方向の幅の寸法が第１連結部５５３の第１ボルト挿通孔６０Ａの内径より僅かに大きい。
【０１８２】
第１係合部５３３Ｇは、図１８に示すように、ホッパ本体３３Ａの左右外側の上端部のそれぞれに柱状部６１Ｃの柱状の側面を当接して１つずつ連結している。これら第１係合部５３３Ｇは第１係合基部５３３Ｈがホッパ本体３３Ａの前端から前方に突出している。また、これら第１係合部５３３Ｇはそれぞれの第１係合基部５３３Ｈの半円筒部６１Ｄの中心軸が互いに同軸である。
【０１８３】
これら第１係合部５３３Ｇはそれぞれの第１係合基部５３３Ｈの半円筒部６１Ｄの内側に第１連結部５５３の外周面が当接している。これら第１係合部５３３Ｇはそれぞれのボルト挿通溝６１Ｅに第１連結部５５３の第１ボルト挿通孔６０Ａが連通している。そして、互いに連通したボルト挿通溝６１Ｅ及び第１ボルト挿通孔６０Ａのそれぞれにボルト６１Ｆが挿通されて、ボルト６１Ｆにナット６１Ｇがねじ込まれている。
【０１８４】
次に、このミキサ５３０のホッパ５３３の位置を調整する位置調整方法を説明する。
【０１８５】
先ず、ホッパ５３３の位置を上下方向に調整する場合について説明する。先ず、第２係合部５５５の第２係合基部５５５Ｄの一対の第３ボルト挿通孔６０Ｃ、及び第２連結部５５４の第２ボルト挿通孔６０Ｂに挿通されたボルト６１Ａにねじ込まれたナット６１Ｂを緩めて、ボルト６１Ａ及びナット６１Ｂを取り外す。すると、第２係合部５５５に対して第２連結部５５４が上下方向に移動自在になる。そして、ホッパ５３３の高さ調整部本体１３３Ｄの第１貫通孔３６、及び連結部材１３３Ｓの第２貫通孔１３３Ｖ（図５、６参照）に挿通されたボルト１３３Ｘにねじ込まれたナット１３３Ｙ（図５、６参照）を緩めて、ボルト１３３Ｘ及びナット１３３Ｙを取り外す。すると、連結部材１３３Ｓに対してホッパ５３３の高さ調整部本体１３３Ｄが上下方向に移動自在になる。こうして、ホッパ５３３の位置が上下方向に移動自在になる。このとき、ホッパ５３３の位置を上下方向に調整して、第２連結部５５４の複数の第２ボルト挿通孔６０Ｂのいずれか１つを第２係合部５５５の一対の第３ボルト挿通孔６０Ｃに連通させる。また、連結部材１３３Ｓの３つの第２貫通孔１３３Ｖのいずれか１つを第４折曲部１３３Ｑの第１貫通孔３６のいずれか１つに連通させる。
【０１８６】
そして、ホッパ５３３の位置を上下方向に調整してホッパ５３３の位置を所定の位置にした後、連通した第２連結部５５４の第２ボルト挿通孔６０Ｂ、及び第２係合部５５５の一対の第３ボルト挿通孔６０Ｃに、再びボルト６１Ａを挿通してボルト６１Ａにナット６１Ｂを再びねじ込む。そして、連通した連結部材１３３Ｓの第２貫通孔１３３Ｖ及び第４折曲部１３３Ｑの第１貫通孔３６に、再びボルト１３３Ｘを挿通してボルト１３３Ｘにナット１３３Ｙをねじ込む。こうして、ホッパ５３３のミキサドラム３２に対する位置を上下方向に調整してホッパ５３３の位置を所定の位置に固定することができる。
【０１８７】
次に、ホッパ５３３の位置を左右方向、及び前後方向に調整する場合について説明する。先ず、第２係合部５５５の第３係合部５５８の係合長孔５５５Ｈ、及び第２フレーム５１Ｂの第１折曲部５１Ｅの係合部用長孔５１Ｇに挿通されたボルト５５５Ｌにねじ込まれたナット５５５Ｍを緩める。すると、第２フレーム５１Ｂに対して第２係合部５５５が左右方向、及び前後方向に移動自在になる。つまり、第３係合部５５８は第４係合部でもある。そして、ホッパ５３３の連結部材１３３Ｓの第５長孔３３Ｗ（図５参照）、及び第２フレーム５１Ｂの第２折曲部５１Ｆの高さ調整部用長孔５１Ｈ（図５参照）に挿通されたボルト１３３Ｘにねじ込まれたナット１３３Ｙ（図６参照）を緩める。すると、第２フレーム５１Ｂに対して、ホッパ５３３の連結部材１３３Ｓが左右方向、及び前後方向に移動自在になる。こうして、ホッパ５３３の位置が左右方向、及び前後方向に移動自在になる。
【０１８８】
そして、ホッパ５３３の位置を左右方向、及び前後方向に調整してホッパ５３３の位置を所定の位置にした後、第２係合部５５５の第３係合部５５８の係合長孔５５５Ｈ、及び第２フレーム５１Ｂの第１折曲部５１Ｅの係合部用長孔５１Ｇに挿通されたボルト５５５Ｌにナット５５５Ｍを再びねじ込む。そして、ホッパ５３３の連結部材１３３Ｓの第５長孔３３Ｗ、及び第２フレーム５１Ｂの第２折曲部５１Ｆの高さ調整部用長孔５１Ｈに挿通されたボルト１３３Ｘにナット１３３Ｙを再びねじ込む。こうして、ホッパ５３３のミキサドラム３２に対する位置を左右方向、及び前後方向に調整してホッパ５３３の位置を所定の位置に固定することができる。
【０１８９】
次に、ホッパ５３３の位置を第１連結部５５３の軸周り方向に調整する場合について説明する。先ず、ホッパ５３３の高さ調整部本体１３３Ｄの第１貫通孔３６、及び連結部材１３３Ｓの第２貫通孔１３３Ｖに挿通されたボルト１３３Ｘにねじ込まれたナット１３３Ｙを緩めて、ボルト１３３Ｘ及びナット１３３Ｙを取り外す。すると、連結部材１３３Ｓに対してホッパ５３３の高さ調整部本体１３３Ｄが上下方向に移動自在になる。そして、ホッパ５３３の第１係合基部５３３Ｈのボルト挿通溝６１Ｅ、及び第１連結部５５３の第１ボルト挿通孔６０Ａに挿通されたボルト６１Ｆにねじ込まれたナット６１Ｇを緩める。すると、第１連結部５５３に対して第１係合部５３３Ｇが、第１連結部５５３の軸周り方向に角度自在になる。こうして、ホッパ５３３の位置が第１連結部５５３の軸周り方向に角度自在になる。
【０１９０】
そして、ホッパ５３３の位置を第１連結部５５３の軸周り方向に回転して調整しホッパ５３３の位置を所定の位置した後、ホッパ５３３の連結部材１３３Ｓの第５長孔３３Ｗ、及び第２フレーム５１Ｂの第２折曲部５１Ｆの高さ調整部用長孔５１Ｈに挿通されたボルト１３３Ｘにナット１３３Ｙを再びねじ込む。そして、ホッパ５３３の第１係合部５３３Ｇのボルト挿通溝６１Ｅ、及び第１連結部５５３の第１ボルト挿通孔６０Ａに挿通されたボルト６１Ｆにナット６１Ｇを再びねじ込む。こうして、ホッパ５３３のミキサドラム３２に対する位置を第１連結部５５３の軸周り方向に回転して調整してホッパ５３３の位置を所定の位置に固定することができる。
【０１９１】
このミキサ５３０は、ホッパ５３３がホッパ支持部５０を介して架台３１に連結している。また、ホッパ５３３は位置調整部５５２によってミキサドラム３２に対する位置を容易に調整することができる。このため、このミキサ５３０はホッパ５３３の排出口３３Ｆをミキサドラム３２の開口部３２Ｇに対して、所定の位置に容易に配置することができる。
【０１９２】
したがって、本発明のミキサ５３０も容易に製造することができる。
【０１９３】
また、この位置調整部５５２は、開口部３２Ｇに対する排出口３３Ｆの角度、上下方向、前後方向、及び左右方向の少なくともいずれかの位置を調整する連結部５５１を有している。このため、このミキサ５３０は連結部５５１によってホッパ５３３の位置を調整することができる。これにより、このミキサ５３０はホッパ５３３の排出口３３Ｆの開口方向をミキサドラム３２の開口部３２Ｇの開口方向に容易に合わせることができる。
【０１９４】
また、この位置調整部５５２は、連結部５５１の一部が、回転軸に対して直交し、水平方向に延びる第１連結部５５３と、第１連結部５５３に係合する第１係合部５３３Ｇとを有している。第１連結部５５３がホッパ支持部５０に設けられ、第１係合部５３３Ｇがホッパ５３３に設けられて、排出口３３Ｆを開口部３２Ｇに対して角度自在に調整する。このため、このミキサ５３０はホッパ５３３が第１係合部５３３Ｇ及び第１連結部５５３を介してホッパ支持部５０に連結する。つまり、このミキサ５３０はホッパ５３３とホッパ支持部５０とを溶接して連結しない。これにより、このミキサ５３０はホッパ５３３を取り付ける際に溶接によるスパッタが発生しない。このため、このミキサ５３０はスパッタの付着を防止するために溶接する場所の周囲を養生する必要がない。また、このミキサ５３０は溶接資格を有していない作業者であってもホッパ５３３をホッパ支持部５０に取り付けることができる。
【０１９５】
また、この位置調整部５５２は、第１連結部５５３とホッパ支持部５０とを連結する第２連結部５５４と、ホッパ支持部５０に対する第２連結部５５４の位置を上下方向に高さ自在に調整して係合する第２係合部５５５とを有している。このため、このミキサ５３０は第２係合部５５５に第２連結部５５４のホッパ支持部５０に対する位置を調整する機能を設けることによって、第２連結部５５４やホッパ支持部５０の構造を簡単にすることができる。これにより、このミキサ５３０は第２連結部５５４やホッパ支持部５０を容易に製造することができるため、製造する手間を抑えることができる。
【０１９６】
また、この位置調整部５５２は、ホッパ支持部５０に対するホッパ５３３の位置を前後方向に自在に調整して、連結部５５１とホッパ支持部５０とを係合する第３係合部５５８を有している。このため、このミキサ５３０は第３係合部５５８を介して連結部５５１とホッパ支持部５０とを係合することができる。つまり、このミキサ５３０は連結部５５１とホッパ支持部５０とを溶接していない。これにより、このミキサ５３０は連結部５５１をホッパ支持部５０に取り付ける際に溶接によるスパッタが発生しない。このため、このミキサ５３０はスパッタの付着を防止するために溶接する場所の周囲を養生する必要がない。また、このミキサ５３０は溶接資格を有していない作業者であっても連結部５５１をホッパ支持部５０に取り付けることができる。
【０１９７】
また、この位置調整部５５２は、ホッパ支持部５０に対するホッパ５３３の位置を左右方向に自在に調整して、連結部５５１とホッパ支持部５０とを係合する第３係合部５５８（第４係合部）を有している。このため、このミキサ５３０は第３係合部５５８を介して連結部５５１とホッパ支持部５０とを係合することができる。つまり、このミキサ５３０は連結部５５１とホッパ支持部５０とを溶接していない。これにより、このミキサ５３０は連結部５５１をホッパ支持部５０に取り付ける際に溶接によるスパッタが発生しない。このため、このミキサ５３０はスパッタの付着を防止するために溶接する場所の周囲を養生する必要がない。また、このミキサ５３０は溶接資格を有していない作業者であっても連結部５５１をホッパ支持部５０に取り付けることができる。
【０１９８】
また、この第１連結部５５３は、断面形状の外形が円形状である。このため、このミキサ５３０は第１連結部５５３の円形状の周方向にホッパ５３３を回動させてホッパ５３３の位置を調整することができる。これにより、このミキサ５３０はホッパ５３３の排出口３３Ｆの開口方向をミキサドラム３２の開口部３２Ｇの開口方向に容易に合わせることができる。
【０１９９】
また、このホッパ支持部５０は、前後方向に延びた係合部用長孔５１Ｇを具備し、第３係合部５５８が係合部用長孔５１Ｇを介してホッパ支持部５０に連結される。このため、このミキサ５３０は第３係合部５５８のホッパ支持部５０に対する位置を係合部用長孔５１Ｇが延びる方向に容易に調整して、連結部５５１とホッパ支持部５０とを連結することができる。
【０２００】
また、この第３係合部５５８（第４係合部）は、左右方向に延びた係合長孔５５５Ｈを具備し、第３係合部５５８が係合長孔５５５Ｈを介してホッパ支持部５０に連結される。このため、このミキサ５３０は第４係合部のホッパ支持部５０に対する位置を係合長孔５５５Ｈが延びる方向に容易に調整して、連結部５５１とホッパ支持部５０とを連結することができる。
【０２０１】
また、このミキサ５３０は、ホッパ５３３の後側に設けられ、ホッパ支持部５０に対するホッパ５３３の後側の位置を上下方向に自在に調整する高さ調整部３Ｂを備えている。このため、このミキサ５３０はホッパ支持部５０に対するホッパ５３３の後側の位置を高さ調整部３Ｂを調整することによって上下方向に自在に調整する。これにより、このミキサ５３０はホッパ５３３の排出口３３Ｆの開口方向をミキサドラム３２の開口部３２Ｇの開口方向により良好に合わせることができる。
【０２０２】
また、この高さ調整部３Ｂは、第１貫通孔３６を具備して、ホッパ５３３の後側に立設した高さ調整部本体１３３Ｄと、第２貫通孔１３３Ｖを具備して、高さ調整部本体１３３Ｄとホッパ支持部５０とを互いに連結する連結部材１３３Ｓとを有しており、第１貫通孔３６及び第２貫通孔１３３Ｖが上下方向に一列に並び複数設けられ、第１貫通孔３６と第２貫通孔１３３Ｖとにボルト１３３Ｘを挿通して高さ調整部本体１３３Ｄと連結部材１３３Ｓとを連結している。このため、このミキサ５３０は連通した第１貫通孔３６及び第２貫通孔１３３Ｖにボルト１３３Ｘを挿通することができる。つまり、このミキサ５３０はホッパ支持部５０に対するホッパ５３３の後側の位置を上下方向に容易に調整することができる。
【０２０３】
また、このミキサ５３０は第１貫通孔３６及び第２貫通孔１３３Ｖが複数設けられており、第１貫通孔３６の互いに隣り合う間の寸法と、第２貫通孔１３３Ｖの互いに隣り合う間の寸法とが異なる。このため、このミキサ５３０は第１貫通孔３６、及び第２貫通孔１３３Ｖのそれぞれの隣り合う間の寸法の差分互いに上下方向にずらすことによって、連通した孔の隣り合う孔を連通させることができる。つまり、このミキサ５３０はホッパ支持部５０に対するホッパ５３３の後側の位置を上下方向に微調整することができる。
【０２０４】
また、このミキサ５３０はミキサ車に備えられている。このため、このミキサ５３０を備えたミキサ車はホッパ５３３の排出口３３Ｆをミキサドラム３２の開口部３２Ｇに対して、所定の位置に容易に配置することができる。
＜実施形態７＞
実施形態７のミキサ６３０は、図２１に示すように、第１連結部６５３及び第２連結部６５４がホッパ６３３に設けられている点、及び第１係合部６３３Ｇの形状が実施形態１〜６と相違する。他の構成は実施形態１〜６と同一であり、同一の構成は同一の符号を付し、詳細な説明を省略する。
【０２０５】
第２連結部６５４は第１連結部６５３の左右両端のそれぞれに１つずつ連続して連結している。これら第２連結部６５４は第１連結部６５３の左右両端のそれぞれから後方向に向けて延びる水平部６５４Ａ、及び水平部６５４Ａの後端から垂下する第１垂下部６５４Ｂを具備している。第１垂下部６５４Ｂはそれぞれの下端部が、第２係合部２５５を介して第２フレーム５１Ｂに連結している。これら第２連結部６５４は水平部６５４Ａの左右内側をホッパ本体３３Ａの左右外側の上端部のそれぞれに当接して連結している。
【０２０６】
連結部６５１である第１係合部６３３Ｇは連結部６５１である第１連結部６５３の左右両端部に１つずつが連結している。第１連結部６５３の左端部に連結した第１係合部６３３Ｇは、柱状をなして前方左側に向けて湾曲した湾曲部６２Ａと湾曲部６２Ａの前端に連続して連結して垂下する第２垂下部６２Ｂを具備している。また、第１連結部６５３の右端部に連結した第１係合部６３３Ｇの湾曲部６２Ａは、前方右側に向けて湾曲した湾曲部６２Ａと湾曲部６２Ａの前端から垂下する第２垂下部６２Ｂを具備している。第２垂下部６２Ｂはそれぞれの下端部に複数の第２ボルト挿通孔６２Ｃが設けられている。これら第２ボルト挿通孔６２Ｃは第２垂下部６２Ｂの円柱状の中心軸に対して直交して前後方向に貫通して形成されている。また、これら第２ボルト挿通孔６２Ｃは互いに平行である。第２垂下部６２Ｂは、下端部が第２係合部５５５を介して第２フレーム５１Ｂ連結している。これら第１係合部６３３Ｇはそれぞれの湾曲部６２Ａの後端に第１係合基部５３３Ｈが１つずつ連結している。第１係合基部５３３Ｈは帯状の長手方向の一端が湾曲部６２Ａの後端に連結して後方向に延びている。
【０２０７】
これら第１係合部６３３Ｇはそれぞれの第１係合基部５３３Ｈの半円筒部６１Ｄの内側に第１連結部６５３の外周面が当接している。これら第１係合部６３３Ｇはそれぞれのボルト挿通溝６１Ｅに第１連結部６５３の第１ボルト挿通孔６２Ｄが連通している。そして、互いに連通したボルト挿通溝６１Ｅ及び第１ボルト挿通孔６２Ｄのそれぞれにボルト６１Ｆが挿通されて、ボルト６１Ｆにナット６１Ｇがねじ込まれている。
【０２０８】
次に、このミキサ６３０のホッパ６３３の位置を調整する位置調整方法を説明する。
【０２０９】
先ず、ホッパ６３３の位置を上下方向に調整する場合について説明する。先ず、第２係合小部２５５Ｅの第２挿通孔２５５Ｋ（図８参照）を挿通し、第２係合基部２５５Ｄの第１ねじ穴５７Ａ（図８参照）にねじ込まれたボルト２５５Ｌを緩める。すると、第２係合部２５５に対して第２連結部６５４が上下方向に移動自在になる。そして、第２係合部５５５の第２係合基部５５５Ｄの第３ボルト挿通孔６０Ｃ（図１９参照）、及び第２垂下部６２Ｂの第２ボルト挿通孔６２Ｃに挿通されたボルト６１Ａにねじ込まれたナット６１Ｂを緩めて、ボルト６１Ａ及びナット６１Ｂを取り外す。すると、第２係合部５５５に対して第２垂下部６２Ｂが上下方向に移動自在になる。こうして、ホッパ６３３の位置が上下方向に移動自在になる。このとき、ホッパ６３３の位置を上下方向に調整して、第２垂下部６２Ｂの複数の第２ボルト挿通孔６２Ｃのいずれか１つを第２係合部５５５の第３ボルト挿通孔６０Ｃに連通させる。
【０２１０】
そして、ホッパ６３３の位置を上下方向に調整してホッパ６３３の位置を所定の位置にした後、第２係合小部２５５Ｅの第２挿通孔２５５Ｋを挿通し、第２係合基部２５５Ｄの第１ねじ穴５７Ａにボルト２５５Ｌを再びねじ込む。そして、連通した第２垂下部６２Ｂの第２ボルト挿通孔６２Ｃ、及び第２係合部５５５の第３ボルト挿通孔６０Ｃに、再びボルト６１Ａを挿通してボルト６１Ａにナット６１Ｂを再びねじ込む。こうして、ホッパ６３３のミキサドラム３２に対する位置を上下方向に調整してホッパ６３３の位置を所定の位置に固定することができる。
【０２１１】
次に、ホッパ６３３の位置を前後方向、及び第１連結部６５３の軸周り方向に調整する場合について説明する。先ず、第２係合部５５５の第３係合部５５８の係合長孔５５５Ｈ、及び第２フレーム５１Ｂの第１折曲部５１Ｅの係合部用長孔５１Ｇ（図１９参照）に挿通されたボルト５５５Ｌにねじ込まれたナット５５５Ｍ（図１９参照）を緩める。すると、第２フレーム５１Ｂに対して第２係合部５５５が左右方向、及び前後方向に移動自在になる。そして、第１係合基部５３３Ｈのボルト挿通溝６１Ｅ、及び第１連結部６５３の第１ボルト挿通孔６２Ｄに挿通されたボルト６１Ｆにねじ込まれたナット６１Ｇを緩める。すると、第１連結部６５３に対して第１係合部６３３Ｇが、第１連結部６５３の軸周り方向に角度自在になる。そして、第２フレーム５１Ｂの弧状孔５６に挿通され、第２係合基部２５５Ｄの第２ねじ穴５７Ｂ（図８参照）にねじ込まれたボルト５６Ａを緩める。すると、第２係合部２５５が第２フレーム５１Ｂの弧状孔５６の円弧が延びる方向に角度自在になる。そして、第２係合小部２５５Ｅの第２挿通孔２５５Ｋを挿通し、第２係合基部２５５Ｄの第１ねじ穴５７Ａにねじ込まれたボルト２５５Ｌを緩める。すると、第２係合部２５５に対して第２連結部６５４が上下方向に移動自在になる。こうして、ホッパ６３３の位置が前後方向、及び第１連結部６５３の軸周り方向に移動自在になる。つまり、ホッパ支持部５０に第１連結部６５３が設けられ、ホッパ３３に第１係合部６３３Ｇが設けられ、排出口３３Ｆを開口部３２Ｇに対して角度自在に調整する。
【０２１２】
そして、ホッパ６３３の位置を前後方向、及び第１連結部６５３の軸周り方向に調整してホッパ６３３の位置を所定の位置にした後、第２係合部５５５の第３係合部５５８の係合長孔５５５Ｈ、及び第２フレーム５１Ｂの第１折曲部５１Ｅの係合部用長孔５１Ｇに挿通されたボルト５５５Ｌにナット５５５Ｍを再びねじ込む。そして、第１係合基部５３３Ｈのボルト挿通溝６１Ｅ、及び第１連結部６５３の第１ボルト挿通孔６２Ｄに挿通されたボルト６１Ｆにナット６１Ｇを再びねじ込む。そして、第２フレーム５１Ｂの弧状孔５６に挿通され、第２係合基部２５５Ｄの第２ねじ穴５７Ｂにボルト５６Ａを再びねじ込む。そして、第２係合小部２５５Ｅの第２挿通孔２５５Ｋを挿通し、第２係合基部２５５Ｄの第１ねじ穴５７Ａにボルト２５５Ｌを再びねじ込む。こうして、ホッパ６３３のミキサドラム３２に対する位置を前後方向、及び第１連結部６５３の軸周り方向に調整してホッパ６３３の位置を所定の位置に固定することができる。
【０２１３】
このミキサ６３０は、ホッパ６３３がホッパ支持部５０を介して架台３１に連結している。また、ホッパ６３３は位置調整部６５２によってミキサドラム３２に対する位置を容易に調整することができる。このため、このミキサ６３０はホッパ６３３の排出口３３Ｆをミキサドラム３２の開口部３２Ｇに対して、所定の位置に容易に配置することができる。
【０２１４】
したがって、本発明のミキサ６３０も容易に製造することができる。
【０２１５】
また、この位置調整部６５２は、開口部３２Ｇに対する排出口３３Ｆの角度、上下方向、前後方向、及び左右方向の少なくともいずれかの位置を調整する連結部６５１を有している。このため、このミキサ６３０は連結部６５１によってホッパ６３３の位置を調整することができる。これにより、このミキサ６３０はホッパ６３３の排出口３３Ｆの開口方向をミキサドラム３２の開口部３２Ｇの開口方向に容易に合わせることができる。
【０２１６】
また、この位置調整部６５２は、連結部６５１の一部が、回転軸に対して直交し、水平方向に延びる第１連結部６５３と、第１連結部６５３に係合する第１係合部６３３Ｇとを有している。第１連結部６５３がホッパ６３３に設けられ、第１係合部６３３Ｇがホッパ支持部５０に設けられて、排出口３３Ｆを開口部３２Ｇに対して角度自在に調整する。このため、このミキサ６３０はホッパ６３３が第１係合部６３３Ｇ及び第１連結部６５３を介してホッパ支持部５０に連結する。つまり、このミキサ６３０はホッパ６３３とホッパ支持部５０とを溶接して連結しない。これにより、このミキサ６３０はホッパ６３３を取り付ける際に溶接によるスパッタが発生しない。このため、このミキサ６３０はスパッタの付着を防止するために溶接する場所の周囲を養生する必要がない。また、このミキサ６３０は溶接資格を有していない作業者であってもホッパ６３３をホッパ支持部５０に取り付けることができる。
【０２１７】
また、この位置調整部６５２は、第１連結部６５３とホッパ支持部５０とを連結する第２連結部６５４と、ホッパ支持部５０に対する第２連結部６５４の位置を上下方向に高さ自在に調整して係合する第２係合部２５５とを有している。このため、このミキサ６３０は第２係合部２５５に第２連結部６５４のホッパ支持部５０に対する位置を調整する機能を設けることによって、第２連結部６５４やホッパ支持部５０の構造を簡単にすることができる。これにより、このミキサ６３０は第２連結部６５４やホッパ支持部５０を容易に製造することができるため、製造する手間を抑えることができる。
【０２１８】
また、この位置調整部６５２は、ホッパ支持部５０に対するホッパ６３３の位置を前後方向に自在に調整して、連結部６５１とホッパ支持部５０とを係合する第３係合部５５８を有している。このため、このミキサ６３０は第３係合部５５８を介して連結部６５１とホッパ支持部５０とを係合することができる。つまり、このミキサ６３０は連結部６５１とホッパ支持部５０とを溶接していない。これにより、このミキサ６３０は連結部６５１をホッパ支持部５０に取り付ける際に溶接によるスパッタが発生しない。このため、このミキサ６３０はスパッタの付着を防止するために溶接する場所の周囲を養生する必要がない。また、このミキサ６３０は溶接資格を有していない作業者であっても連結部６５１をホッパ支持部５０に取り付けることができる。
【０２１９】
また、この第１連結部６５３は、断面形状の外形が円形状である。このため、このミキサ６３０は第１連結部６５３の円形状の周方向にホッパ６３３を回動させてホッパ６３３の位置を調整することができる。これにより、このミキサ６３０はホッパ６３３の排出口３３Ｆの開口方向をミキサドラム３２の開口部３２Ｇの開口方向に容易に合わせることができる。
【０２２０】
また、このホッパ支持部５０は、前後方向に延びた係合部用長孔５１Ｇを具備し、第３係合部５５８が係合部用長孔５１Ｇを介してホッパ支持部５０に連結される。このため、このミキサ６３０は第３係合部５５８のホッパ支持部５０に対する位置を係合部用長孔５１Ｇが延びる方向に容易に調整して、連結部６５１とホッパ支持部５０とを連結することができる。
【０２２１】
また、このミキサ６３０はミキサ車に備えられている。このため、このミキサ６３０を備えたミキサ車はホッパ６３３の排出口３３Ｆをミキサドラム３２の開口部３２Ｇに対して、所定の位置に容易に配置することができる。
＜実施形態８＞
実施形態８のミキサ７３０は、図２２に示すように、第１係合部７３３Ｇの形状、及び一対の支柱部６３Ａが設けられている点が実施形態１〜７と相違する。他の構成は実施形態１〜７と同一であり、同一の構成は同一の符号を付し、詳細な説明を省略する。
【０２２２】
連結部７５１である第１係合部７３３Ｇは連結部７５１である第１連結部６５３の左右両端部に１つずつが連結している。第１連結部６５３の左端部に連結した第１係合部７３３Ｇの柱状部６３Ｂは、柱状をなして前方左側に向けて湾曲している。また、第１連結部６５３の右端部に連結した第１係合部７３３Ｇの柱状部６３Ｂは、柱状をなして前方右側に向けて湾曲している。これら第１係合部７３３Ｇはそれぞれの柱状部６３Ｂの前端に支柱係合部本体６３Ｃが１つずつ連結している。これら支柱係合部本体６３Ｃは第１係合基部５３３Ｈと同一の形状である。これら支柱係合部本体６３Ｃは帯状の長手方向の一端が柱状部６３Ｂの前端に連結して前方向に延びている。これら支柱係合部本体６３Ｃは半円筒部６３Ｄの中心軸が上下方向に延びている。これら支柱係合部本体６３Ｃは帯状の長手方向の他端が一端に対して左右内側の前方に配置されている。
【０２２３】
支柱部６３Ａは円柱状をなして上下方向に延びている。支柱部６３Ａは下端に第３係合部５５８が連結して設けられている。支柱部６３Ａは第３係合部５５８を介して第２フレーム５１Ｂの左右のそれぞれの第１折曲部５１Ｅに１つずつ連結している。詳しくは、支柱部６３Ａは第３係合部５５８の係合長孔５５５Ｈが第１折曲部５１Ｅの係合部用長孔５１Ｇに連通している。そして、互いに連通した係合長孔５５５Ｈ及び係合部用長孔５１Ｇのそれぞれにボルト５５５Ｌが挿通されて、ボルト５５５Ｌにナット５５５Ｍがねじ込まれている。
【０２２４】
これら支柱部６３Ａは上端部に複数の第４ボルト挿通孔６３Ｅが設けられている。これら第４ボルト挿通孔６３Ｅは支柱部６３Ａの円柱状の中心軸に対して直交して貫通して形成されている。これら第４ボルト挿通孔６３Ｅは互いに平行である。また、第２フレーム５１Ｂの左側に設けられた支柱部６３Ａは、複数の第４ボルト挿通孔６３Ｅが左側後方から右側前方に向けて貫通している。また、第２フレーム５１Ｂの右側に設けられた支柱部６３Ａは、複数の第４ボルト挿通孔６３Ｅが右側後方から左側前方に向けて貫通している。支柱部６３Ａは上端部が第１係合部７３３Ｇの支柱係合部本体６３Ｃの半円筒部６３Ｄの内側に外周面が当接している。支柱部６３Ａは複数の第４ボルト挿通孔６３Ｅのいずれかが支柱係合部本体６３Ｃのボルト挿通溝６３Ｆに連通している。そして、互いに連通した第４ボルト挿通孔６３Ｅ及びボルト挿通溝６３Ｆにボルト６３Ｇが挿通されて、ボルト６３Ｇにナット６３Ｈがねじ込まれている。
【０２２５】
次に、このミキサ７３０のホッパ７３３の位置を調整する位置調整方法を説明する。
【０２２６】
先ず、ホッパ７３３の位置を上下方向に調整する場合について説明する。先ず、第２係合小部２５５Ｅの第２挿通孔２５５Ｋを挿通し、第２係合基部２５５Ｄの第１ねじ穴５７Ａにねじ込まれたボルト２５５Ｌを緩める。すると、第２係合部２５５に対して第２連結部６５４が上下方向に移動自在になる。そして、第１係合部７３３Ｇの支柱係合部本体６３Ｃのボルト挿通溝６３Ｆ、及び支柱部６３Ａの第４ボルト挿通孔６３Ｅに挿通されたボルト６３Ｇにねじ込まれたナット６３Ｈを緩めて、ボルト６３Ｇ及びナット６３Ｈを取り外す。すると、支柱部６３Ａに対して支柱係合部本体６３Ｃが上下方向に移動自在になる。こうして、ホッパ７３３の位置が上下方向に移動自在になる。このとき、ホッパ７３３の位置を上下方向に調整して、支柱部６３Ａの複数の第４ボルト挿通孔６３Ｅのいずれか１つを第１係合部７３３Ｇの支柱係合部本体６３Ｃのボルト挿通溝６３Ｆに連通させる。
【０２２７】
そして、ホッパ７３３の位置を上下方向に調整してホッパ７３３の位置を所定の位置にした後、第２係合小部２５５Ｅの第２挿通孔２５５Ｋを挿通し、第２係合基部２５５Ｄの第１ねじ穴５７Ａにボルト２５５Ｌを再びねじ込む。そして、連通した支柱部６３Ａの第４ボルト挿通孔６３Ｅ、及び第１係合部７３３Ｇの支柱係合部本体６３Ｃのボルト挿通溝６３Ｆに、再びボルト６３Ｇを挿通してボルト６３Ｇにナット６３Ｈを再びねじ込む。こうして、ホッパ７３３のミキサドラム３２に対する位置を上下方向に調整してホッパ７３３の位置を所定の位置に固定することができる。
【０２２８】
次に、ホッパ７３３の位置を前後方向、及び第１連結部６５３の軸周り方向に調整する場合について説明する。先ず、支柱部６３Ａの第３係合部５５８の係合長孔５５５Ｈ、及び第２フレーム５１Ｂの第１折曲部５１Ｅの係合部用長孔５１Ｇに挿通されたボルト５５５Ｌにねじ込まれたナット５５５Ｍを緩める。すると、第２フレーム５１Ｂに対して支柱部６３Ａが左右方向、及び前後方向に移動自在になる。そして、第１係合基部５３３Ｈのボルト挿通溝６１Ｅ、及び第１連結部６５３の第１ボルト挿通孔６２Ｄに挿通されたボルト６１Ｆにねじ込まれたナット６１Ｇを緩める。すると、第１連結部６５３に対して第１係合部７３３Ｇが、第１連結部６５３の軸周り方向に角度自在になる。そして、第２フレーム５１Ｂの弧状孔５６に挿通され、第２係合基部２５５Ｄの第２ねじ穴５７Ｂにねじ込まれたボルト５６Ａを緩める。すると、第２係合部２５５が第２フレーム５１Ｂの弧状孔５６の円弧が延びる方向に角度自在になる。そして、第２係合小部２５５Ｅの第２挿通孔２５５Ｋを挿通し、第２係合基部２５５Ｄの第１ねじ穴５７Ａにねじ込まれたボルト２５５Ｌを緩める。すると、第２係合部２５５に対して第２連結部６５４が上下方向に移動自在になる。こうして、ホッパ７３３の位置が前後方向、及び第１連結部６５３の軸周り方向に移動自在になる。
【０２２９】
そして、ホッパ７３３の位置を前後方向、及び第１連結部６５３の軸周り方向に調整してホッパ７３３の位置を所定の位置にした後、支柱部６３Ａの第３係合部５５８の係合長孔５５５Ｈ、及び第２フレーム５１Ｂの第１折曲部５１Ｅの係合部用長孔５１Ｇに挿通されたボルト５５５Ｌにナット５５５Ｍを再びねじ込む。そして、第１係合基部５３３Ｈのボルト挿通溝６１Ｅ、及び第１連結部６５３の第１ボルト挿通孔６２Ｄに挿通されたボルト６１Ｆにナット６１Ｇを再びねじ込む。そして、第２フレーム５１Ｂの弧状孔５６に挿通され、第２係合基部２５５Ｄの第２ねじ穴５７Ｂにボルト５６Ａを再びねじ込む。そして、第２係合小部２５５Ｅの第２挿通孔２５５Ｋを挿通し、第２係合基部２５５Ｄの第１ねじ穴５７Ａにボルト２５５Ｌを再びねじ込む。こうして、ホッパ７３３のミキサドラム３２に対する位置を前後方向、及び第１連結部６５３の軸周り方向に調整してホッパ７３３の位置を所定の位置に固定することができる。
【０２３０】
このように、このミキサ７３０は、ホッパ７３３がホッパ支持部５０を介して架台３１に連結している。また、ホッパ７３３は位置調整部７５２によってミキサドラム３２に対する位置を容易に調整することができる。このため、このミキサ７３０はホッパ７３３の排出口３３Ｆをミキサドラム３２の開口部３２Ｇに対して、所定の位置に容易に配置することができる。
【０２３１】
したがって、本発明のミキサ７３０も容易に製造することができる。
【０２３２】
また、この位置調整部７５２は、開口部３２Ｇに対する排出口３３Ｆの角度、上下方向、前後方向、及び左右方向の少なくともいずれかの位置を調整する連結部７５１を有している。このため、このミキサ７３０は連結部７５１によってホッパ７３３の位置を調整することができる。これにより、このミキサ７３０はホッパ７３３の排出口３３Ｆの開口方向をミキサドラム３２の開口部３２Ｇの開口方向に容易に合わせることができる。
【０２３３】
また、この位置調整部７５２は、連結部７５１の一部が、回転軸に対して直交し、水平方向に延びる第１連結部６５３と、第１連結部６５３に係合する第１係合部７３３Ｇとを有している。第１連結部６５３がホッパ７３３に設けられ、第１係合部７３３Ｇがホッパ支持部５０に設けられて、排出口３３Ｆを開口部３２Ｇに対して角度自在に調整する。このため、このミキサ７３０はホッパ７３３が第１係合部７３３Ｇ及び第１連結部６５３を介してホッパ支持部５０に連結する。つまり、このミキサ７３０はホッパ７３３とホッパ支持部５０とを溶接して連結しない。これにより、このミキサ７３０はホッパ７３３を取り付ける際に溶接によるスパッタが発生しない。このため、このミキサ７３０はスパッタの付着を防止するために溶接する場所の周囲を養生する必要がない。また、このミキサ７３０は溶接資格を有していない作業者であってもホッパ７３３をホッパ支持部５０に取り付けることができる。
【０２３４】
また、この位置調整部７５２は、第１連結部６５３とホッパ支持部５０とを連結する第２連結部６５４と、ホッパ支持部５０に対する第２連結部６５４の位置を上下方向に高さ自在に調整して係合する第２係合部２５５とを有している。このため、このミキサ７３０は第２係合部２５５に第２連結部６５４のホッパ支持部５０に対する位置を調整する機能を設けることによって、第２連結部６５４やホッパ支持部５０の構造を簡単にすることができる。これにより、このミキサ７３０は第２連結部６５４やホッパ支持部５０を容易に製造することができるため、製造する手間を抑えることができる。
【０２３５】
また、この位置調整部７５２は、ホッパ支持部５０に対するホッパ７３３の位置を前後方向に自在に調整して、連結部７５１とホッパ支持部５０とを係合する第３係合部５５８を有している。このため、このミキサ７３０は第３係合部５５８を介して連結部７５１とホッパ支持部５０とを係合することができる。つまり、このミキサ７３０は連結部７５１とホッパ支持部５０とを溶接していない。これにより、このミキサ７３０は連結部７５１をホッパ支持部５０に取り付ける際に溶接によるスパッタが発生しない。このため、このミキサ７３０はスパッタの付着を防止するために溶接する場所の周囲を養生する必要がない。また、このミキサ７３０は溶接資格を有していない作業者であっても連結部７５１をホッパ支持部５０に取り付けることができる。
【０２３６】
また、この第１連結部６５３は、断面形状の外形が円形状である。このため、このミキサ７３０は第１連結部６５３の円形状の周方向にホッパ７３３を回動させてホッパ７３３の位置を調整することができる。これにより、このミキサ７３０はホッパ７３３の排出口３３Ｆの開口方向をミキサドラム３２の開口部３２Ｇの開口方向に容易に合わせることができる。
【０２３７】
また、このホッパ支持部５０は、前後方向に延びた係合部用長孔５１Ｇを具備し、第３係合部５５８が係合部用長孔５１Ｇを介してホッパ支持部５０に連結される。このため、このミキサ７３０は第３係合部５５８のホッパ支持部５０に対する位置を係合部用長孔５１Ｇが延びる方向に容易に調整して、連結部７５１とホッパ支持部５０とを連結することができる。
【０２３８】
また、このミキサ７３０はミキサ車に備えられている。このため、このミキサ７３０を備えたミキサ車はホッパ７３３の排出口３３Ｆをミキサドラム３２の開口部３２Ｇに対して、所定の位置に容易に配置することができる。
＜実施形態９＞
実施形態９のミキサ８３０は、図２３、２４に示すように、第１係合部８３３Ｇの形状、及び支柱部６４Ａの第４ボルト挿通孔６４Ｅの貫通する向きが実施形態１〜８と相違する。他の構成は実施形態１〜８と同一であり、同一の構成は同一の符号を付し、詳細な説明を省略する。
【０２３９】
連結部８５１である第１係合部８３３Ｇは前側柱状部６４Ｂ、支柱係合部本体６３Ｃ、ヒンジ部６４Ｃ、及び後側柱状部６４Ｄを具備している。前側柱状部６４Ｂは柱状をなして前後方向に延びている。支柱係合部本体６３Ｃは帯状の長手方向の一端が前側柱状部６４Ｂの前端に連結して前方向に延びている。
【０２４０】
ヒンジ部６４Ｃは、図２４に示すように、第１円環部６４Ｆ、第２円環部６４Ｇ、及びスペーサ６４Ｈを具備している。第１円環部６４Ｆ、第２円環部６４Ｇ、及びスペーサ６４Ｈはそれぞれが所定の厚みを有し円環状をなして中心軸が左右方向に延びている。ヒンジ部６４Ｃは第１円環部６４Ｆ、第２円環部６４Ｇ、及びスペーサ６４Ｈが互いの中心軸が同軸である。ヒンジ部６４Ｃは第１円環部６４Ｆと第２円環部６４Ｇとがスペーサ６４Ｈを介して隣接している。ヒンジ部６４Ｃは互いに連通した第１円環部６４Ｆ、第２円環部６４Ｇ、及びスペーサ６４Ｈの円環状の孔にボルト６４Ｊが挿通されて、ボルト６４Ｊにナット６４Ｋがねじ込まれている。ヒンジ部６４Ｃは第１円環部６４Ｆが前側柱状部６４Ｂの後端に連結している。また、ヒンジ部６４Ｃは第２円環部６４Ｇが後側柱状部６４Ｄの前端に連結している。ヒンジ部６４Ｃはボルト６４Ｊにねじ込まれたナット６４Ｋを緩めると、第１円環部６４Ｆに対して、第２円環部６４Ｇが回動自在になる。
【０２４１】
こうして形成された第１係合部８３３Ｇはホッパ本体３３Ａの左右外側の上端部のそれぞれに後側柱状部６４Ｄを当接して１つずつ連結している。また、これら第１係合部８３３Ｇは後側柱状部６４Ｄに対してそれぞれの前側柱状部６４Ｂが左右外側に位置している。これら第１係合部８３３Ｇは支柱係合部本体６３Ｃがホッパ本体３３Ａの前端から前方に突出している。また、これら第１係合部８３３Ｇはそれぞれのヒンジ部６４Ｃの第１円環部６４Ｆ、第２円環部６４Ｇ、及びスペーサ６４Ｈの円環状の中心軸が互いに同軸である。支柱部６４Ａの上端部に設けられた複数の第４ボルト挿通孔６４Ｅは支柱部６４Ａに対して左右方向に貫通して設けられている。
【０２４２】
次に、このミキサ８３０のホッパ８３３の位置を調整する位置調整方法を説明する。
【０２４３】
先ず、ホッパ８３３の位置を上下方向に調整する場合について説明する。先ず第１係合部８３３Ｇの支柱係合部本体６３Ｃのボルト挿通溝６３Ｆ、及び支柱部６４Ａの第４ボルト挿通孔６４Ｅに挿通されたボルト６３Ｇにねじ込まれたナット６３Ｈを緩めて、ボルト６３Ｇ及びナット６３Ｈを取り外す。すると、支柱部６４Ａに対して第１係合部８３３Ｇが上下方向に移動自在になる。そして、ホッパ８３３の高さ調整部本体１３３Ｄの第１貫通孔３６、及び連結部材１３３Ｓの第２貫通孔１３３Ｖに挿通されたボルト１３３Ｘにねじ込まれたナット１３３Ｙを緩めて、ボルト１３３Ｘ及びナット１３３Ｙを取り外す。すると、連結部材１３３Ｓに対して、ホッパ８３３の高さ調整部本体１３３Ｄが上下方向に移動自在になる。こうして、ホッパ８３３の位置が上下方向に移動自在になる。このとき、ホッパ８３３の位置を上下方向に調整して、支柱部６４Ａの複数の第４ボルト挿通孔６４Ｅのいずれか１つを第１係合部８３３Ｇのボルト挿通溝６３Ｆに連通させる。また、ホッパ８３３の位置を上下方向に調整して、連結部材１３３Ｓの３つの第２貫通孔１３３Ｖのいずれか１つを第４折曲部１３３Ｑの第１貫通孔３６のいずれか１つに連通させる。
【０２４４】
そして、ホッパ８３３の位置を上下方向に調整してホッパ８３３の位置を所定の位置にした後、連通した第１係合部８３３Ｇの支柱係合部本体６３Ｃのボルト挿通溝６３Ｆ、及び支柱部６４Ａの第４ボルト挿通孔６４Ｅにボルト６３Ｇを挿通してボルト６３Ｇにナット６３Ｈを再びねじ込む。そして、連通した高さ調整部本体１３３Ｄの第１貫通孔３６、及び連結部材１３３Ｓの第２貫通孔１３３Ｖにボルト１３３Ｘを挿通してボルト１３３Ｘにナット１３３Ｙを再びねじ込む。こうして、ホッパ８３３のミキサドラム３２に対する位置を上下方向に調整してホッパ８３３の位置を所定の位置に固定することができる。
【０２４５】
次に、ホッパ８３３の位置を左右方向、及び前後方向に調整する場合について説明する。先ず、支柱部６４Ａの第３係合部５５８の係合長孔５５５Ｈ、及び第２フレーム５１Ｂの第１折曲部５１Ｅの係合部用長孔５１Ｇに挿通されたボルト５５５Ｌにねじ込まれたナット５５５Ｍを緩める。すると、第２フレーム５１Ｂに対して支柱部６４Ａが左右方向、及び前後方向に移動自在になる。そして、ホッパ１３３の連結部材１３３Ｓの第５長孔３３Ｗ、及び第２フレーム５１Ｂの第２折曲部５１Ｆの高さ調整部用長孔５１Ｈに挿通されたボルト１３３Ｘにねじ込まれたナット１３３Ｙを緩める。すると、第２フレーム５１Ｂに対して、ホッパ１３３の連結部材１３３Ｓが左右方向、及び前後方向に移動自在になる。こうして、ホッパ８３３の位置が左右方向、及び前後方向に移動自在になる。
【０２４６】
なお、このとき、第２フレーム５１Ｂに対する支柱部６４Ａの位置を左右方向に調整する替わりに、２つの第１係合部８３３Ｇのヒンジ部６４Ｃのそれぞれのスペーサ６４Ｈの厚みを変更することによって、前側柱状部６４Ｂに対する後側柱状部６４Ｄの位置を左右方向に調整することができる。詳しくは、ホッパ８３３の左側のヒンジ部６４Ｃのスペーサ６４Ｈの厚みを薄くして、ホッパ８３３の右側のヒンジ部６４Ｃのスペーサ６４Ｈの厚みを厚くする。すると、前側柱状部６４Ｂに対するホッパ８３３の位置を左方向にずらすことができる。また、ホッパ８３３の左側のヒンジ部６４Ｃのスペーサ６４Ｈの厚みを厚くして、ホッパ８３３の右側のヒンジ部６４Ｃのスペーサ６４Ｈの厚みを薄くする。すると、前側柱状部６４Ｂに対するホッパ８３３の位置を右方向にずらすことができる。
【０２４７】
そして、ホッパ８３３の位置を左右方向、及び前後方向に調整してホッパ８３３の位置を所定の位置にした後、支柱部６４Ａの第３係合部５５８の係合長孔５５５Ｈ、及び第２フレーム５１Ｂの第１折曲部５１Ｅの係合部用長孔５１Ｇに挿通されたボルト５５５Ｌにナット５５５Ｍを再びねじ込む。そして、ホッパ１３３の連結部材１３３Ｓの第５長孔３３Ｗ、及び第２フレーム５１Ｂの第２折曲部５１Ｆの高さ調整部用長孔５１Ｈに挿通されたボルト１３３Ｘにナット１３３Ｙを再びねじ込む。こうして、ホッパ８３３のミキサドラム３２に対する位置を左右方向、及び前後方向に調整してホッパ８３３の位置を所定の位置に固定することができる。
【０２４８】
次に、ホッパ８３３の位置を第１円環部６４Ｆ、第２円環部６４Ｇ、及びスペーサ６４Ｈの円環状の中心軸の軸周り方向に調整する場合について説明する。
先ず、ホッパ８３３のヒンジ部６４Ｃの第１円環部６４Ｆ、第２円環部６４Ｇ、及びスペーサ６４Ｈの円環状の孔に挿通されたボルト６４Ｊにねじ込まれたナット６４Ｋを緩める。すると、第１円環部６４Ｆに対して第２円環部６４Ｇが、第１円環部６４Ｆ、第２円間部、及びスペーサ６４Ｈの円環状の中心軸の軸周り方向に角度自在になる。そして、ホッパ８３３の高さ調整部本体１３３Ｄの第１貫通孔３６、及び連結部材１３３Ｓの第２貫通孔１３３Ｖに挿通されたボルト１３３Ｘにねじ込まれたナット１３３Ｙを緩めて、ボルト１３３Ｘ及びナット１３３Ｙを取り外す。すると、連結部材１３３Ｓに対してホッパ８３３の高さ調整部本体１３３Ｄが上下方向に移動自在になる。こうして、ホッパ８３３の位置が第１円環部６４Ｆ、第２円環部６４Ｇ、及びスペーサ６４Ｈの円環状の中心軸の軸周り方向に角度自在になる。
【０２４９】
そして、ホッパ８３３の位置を第１円環部６４Ｆ、第２円環部６４Ｇ、及びスペーサ６４Ｈの円環状の中心軸の軸周り方向に回転して調整しホッパ８３３の位置を所定の位置した後、ホッパ８３３のヒンジ部６４Ｃの第１円環部６４Ｆ、第２円環部６４Ｇ、及びスペーサ６４Ｈの円環状の孔に挿通されたボルト６４Ｊにナット６４Ｋを再びねじ込む。そして、ホッパ８３３の連通した高さ調整部本体１３３Ｄの第１貫通孔３６、及び連結部材１３３Ｓの第２貫通孔１３３Ｖにボルト１３３Ｘを挿通して、ボルト１３３Ｘにナット１３３Ｙを再びねじ込む。こうして、ホッパ８３３のミキサドラム３２に対する位置を第１円環部６４Ｆ、第２円環部６４Ｇ、及びスペーサ６４Ｈの円環状の中心軸の軸周り方向に回転して調整してホッパ８３３の位置を所定の位置に固定することができる。
【０２５０】
このように、このミキサ８３０は、ホッパ８３３がホッパ支持部５０を介して架台３１に連結している。また、ホッパ８３３は位置調整部８５２によってミキサドラム３２に対する位置を容易に調整することができる。このため、このミキサ８３０はホッパ８３３の排出口３３Ｆをミキサドラム３２の開口部３２Ｇに対して、所定の位置に容易に配置することができる。
【０２５１】
したがって、本発明のミキサ８３０も容易に製造することができる。
【０２５２】
また、この位置調整部８５２は、開口部３２Ｇに対する排出口３３Ｆの角度、上下方向、前後方向、及び左右方向の少なくともいずれかの位置を調整する連結部８５１を有している。このため、このミキサ７３０は連結部８５１によってホッパ８３３の位置を調整することができる。これにより、このミキサ８３０はホッパ８３３の排出口３３Ｆの開口方向をミキサドラム３２の開口部３２Ｇの開口方向に容易に合わせることができる。
【０２５３】
また、この位置調整部８５２は、ホッパ支持部５０に対するホッパ８３３の位置を前後方向に自在に調整して、連結部８５１とホッパ支持部５０とを係合する第３係合部５５８を有している。このため、このミキサ８３０は第３係合部５５８を介して連結部８５１とホッパ支持部５０とを係合することができる。つまり、このミキサ８３０は連結部８５１とホッパ支持部５０とを溶接していない。これにより、このミキサ８３０は連結部８５１をホッパ支持部５０に取り付ける際に溶接によるスパッタが発生しない。このため、このミキサ８３０はスパッタの付着を防止するために溶接する場所の周囲を養生する必要がない。また、このミキサ８３０は溶接資格を有していない作業者であっても連結部８５１をホッパ支持部５０に取り付けることができる。
【０２５４】
また、この位置調整部８５２は、ホッパ支持部５０に対するホッパ８３３の位置を左右方向に自在に調整して、連結部８５１とホッパ支持部５０とを係合する第３係合部５５８（第４係合部）を有している。このため、このミキサ８３０は第３係合部５５８を介して連結部８５１とホッパ支持部５０とを係合することができる。つまり、このミキサ８３０は連結部８５１とホッパ支持部５０とを溶接していない。これにより、このミキサ８３０は連結部８５１をホッパ支持部５０に取り付ける際に溶接によるスパッタが発生しない。このため、このミキサ８３０はスパッタの付着を防止するために溶接する場所の周囲を養生する必要がない。また、このミキサ８３０は溶接資格を有していない作業者であっても連結部８５１をホッパ支持部５０に取り付けることができる。
【０２５５】
また、このホッパ支持部５０は、前後方向に延びた係合部用長孔５１Ｇを具備し、第３係合部５５８が係合部用長孔５１Ｇを介してホッパ支持部５０に連結される。このため、このミキサ８３０は第３係合部５５８のホッパ支持部５０に対する位置を係合部用長孔５１Ｇが延びる方向に容易に調整して、連結部８５１とホッパ支持部５０とを連結することができる。
【０２５６】
また、この第３係合部５５８（第４係合部）は、左右方向に延びた係合長孔５５５Ｈを具備し第３係合部５５８が係合長孔５５５Ｈを介してホッパ支持部５０に連結される。このため、このミキサ８３０は第４係合部のホッパ支持部５０に対する位置を係合長孔５５５Ｈが延びる方向に容易に調整して、連結部８５１とホッパ支持部５０とを連結することができる。
【０２５７】
また、このミキサ８３０は、ホッパ８３３の後側に設けられ、ホッパ支持部５０に対するホッパ８３３の後側の位置を上下方向に自在に調整する高さ調整部３Ｂを備えている。このため、このミキサ８３０はホッパ支持部５０に対するホッパ８３３の後側の位置を高さ調整部３Ｂを調整することによって上下方向に自在に調整する。これにより、このミキサ８３０はホッパ８３３の排出口３３Ｆの開口方向をミキサドラム３２の開口部３２Ｇの開口方向により良好に合わせることができる。
【０２５８】
また、この高さ調整部３Ｂは、第１貫通孔３６を具備して、ホッパ８３３の後側に立設した高さ調整部本体１３３Ｄと、第２貫通孔１３３Ｖを具備して、高さ調整部本体１３３Ｄとホッパ支持部５０とを互いに連結する連結部材１３３Ｓとを有しており、第１貫通孔３６及び第２貫通孔１３３Ｖが上下方向に一列に並び複数設けられ、第１貫通孔３６と第２貫通孔１３３Ｖとにボルト１３３Ｘを挿通して高さ調整部本体１３３Ｄと連結部材１３３Ｓとを連結している。このため、このミキサ８３０は連通した第１貫通孔３６及び第２貫通孔１３３Ｖにボルト１３３Ｘを挿通することができる。つまり、このミキサ８３０はホッパ支持部５０に対するホッパ８３３の後側の位置を上下方向に容易に調整することができる。
【０２５９】
また、このミキサ８３０は第１貫通孔３６及び第２貫通孔１３３Ｖが複数設けられており、第１貫通孔３６の互いに隣り合う間の寸法と、第２貫通孔１３３Ｖの互いに隣り合う間の寸法とが異なる。このため、このミキサ８３０は第１貫通孔３６、及び第２貫通孔１３３Ｖのそれぞれの隣り合う間の寸法の差分互いに上下方向にずらすことによって、連通した孔の隣り合う孔を連通させることができる。つまり、このミキサ８３０はホッパ支持部５０に対するホッパ８３３の後側の位置を上下方向に微調整することができる。
【０２６０】
また、このミキサ８３０はミキサ車に備えられている。このため、このミキサ８３０を備えたミキサ車はホッパ８３３の排出口３３Ｆをミキサドラム３２の開口部３２Ｇに対して、所定の位置に容易に配置することができる。
＜実施形態１０＞
実施形態１０のミキサ９３０は、図２５に示すように、設けられる第１係合部８３３Ｇの数及び位置、第１連結部５５３の左右中央部に第５ボルト挿通孔６５Ａが設けられている点が実施形態１〜９と相違する。他の構成は実施形態１〜９と同一であり、同一の構成は同一の符号を付し、詳細な説明を省略する。
【０２６１】
連結部９５１である第１係合部８３３Ｇは支柱係合部本体６３Ｃの半円筒部６３Ｄの中心軸が左右方向に延びている。また、第１係合部８３３Ｇはヒンジ部６４Ｃの第１円環部６４Ｆ、第２円環部６４Ｇ、及びスペーサ６４Ｈの円環状の中心軸が上下方向に延びている。第１係合部８３３Ｇはホッパ本体３３Ａの前側の左右中央の上端部に後側柱状部６４Ｄの後端を当接して連結している。
【０２６２】
連結部９５１である第１連結部５５３は左右中央部に複数の第５ボルト挿通孔６５Ａが設けられている。これら第５ボルト挿通孔６５Ａは第１連結部５５３の円柱状の中心軸に対して直交して上下方向に貫通して形成されている。また、これら第５ボルト挿通孔６５Ａは互いに平行である。第１連結部５５３は支柱係合部本体６３Ｃの半円筒部６３Ｄの内側に外周面が当接している。第１連結部５５３は複数の第５ボルト挿通孔６５Ａのいずれかが支柱係合部本体６３Ｃのボルト挿通溝６３Ｆに連通している。そして、互いに連通した第５ボルト挿通孔６５Ａ及びボルト挿通溝６３Ｆにボルト６３Ｇが挿通されて、ボルト６３Ｇにナット６３Ｈがねじ込まれている。
【０２６３】
次に、このミキサ９３０のホッパ９３３の位置を調整する位置調整方法を説明する。
【０２６４】
先ず、ホッパ９３３の位置を上下方向に調整する場合について説明する。先ず、第２係合部５５５の第２係合基部５５５Ｄの第３ボルト挿通孔６０Ｃ、及び第２連結部５５４の第２ボルト挿通孔６０Ｂに挿通されたボルト６１Ａにねじ込まれたナット６１Ｂを緩めて、ボルト６１Ａ及びナット６１Ｂを取り外す。すると、第２係合部５５５に対して第２連結部５５４が上下方向に移動自在になる。そして、ホッパ９３３の高さ調整部本体１３３Ｄの第１貫通孔３６、及び連結部材１３３Ｓの第２貫通孔１３３Ｖに挿通されたボルト１３３Ｘにねじ込まれたナット１３３Ｙを緩めて、ボルト１３３Ｘ及びナット１３３Ｙを取り外す。すると、連結部材１３３Ｓに対して、ホッパ９３３の高さ調整部本体１３３Ｄが上下方向に移動自在になる。こうして、ホッパ９３３の位置が上下方向に移動自在になる。このとき、ホッパ９３３の位置を上下方向に調整して、連結部材１３３Ｓの３つの第２貫通孔１３３Ｖのいずれか１つを第４折曲部１３３Ｑの第１貫通孔３６のいずれか１つに連通させる。
【０２６５】
なお、第２係合部５５５に対して第２連結部５５４を上下方向に調整する替わりに、第１係合部８３３Ｇのヒンジ部６４Ｃのスペーサ６４Ｈの厚みを変更することによって、前側柱状部６４Ｂに対する後側柱状部６４Ｄの位置を上下方向に調整することができる。詳しくは、ヒンジ部６４Ｃのスペーサ６４Ｈの厚みを薄くすると、前側柱状部６４Ｂに対する後側柱状部６４Ｄの位置を上方向にずらすことができる。また、ヒンジ部６４Ｃのスペーサ６４Ｈの厚みを厚くすると、前側柱状部６４Ｂに対する後側柱状部６４Ｄの位置を下方向にずらすことができる。
【０２６６】
そして、ホッパ９３３の位置を上下方向に調整してホッパ９３３の位置を所定の位置にした後、連通した第２係合部５５５の第２係合基部５５５Ｄの一対の第３ボルト挿通孔６０Ｃ、及び第２連結部５５４の第２ボルト挿通孔６０Ｂにボルト６１Ａを挿通して、ボルト６１Ａにナット６１Ｂを再びねじ込む。そして、連通した高さ調整部本体１３３Ｄの第１貫通孔３６、及び連結部材１３３Ｓの第２貫通孔１３３Ｖにボルト１３３Ｘを挿通してボルト１３３Ｘにナット１３３Ｙを再びねじ込む。こうして、ホッパ９３３のミキサドラム３２に対する位置を上下方向に調整してホッパ９３３の位置を所定の位置に固定することができる。
【０２６７】
次に、ホッパ９３３の位置を左右方向、及び前後方向に調整する場合について説明する。先ず、第２係合部５５５の第３係合部５５８の係合長孔５５５Ｈ、及び第２フレーム５１Ｂの第１折曲部５１Ｅの係合部用長孔５１Ｇに挿通されたボルト５５５Ｌにねじ込まれたナット５５５Ｍを緩める。すると、第２フレーム５１Ｂに対して第２係合部５５５が左右方向、及び前後方向に移動自在になる。そして、ホッパ９３３の連結部材１３３Ｓの第５長孔３３Ｗ、及び第２フレーム５１Ｂの第２折曲部５１Ｆの高さ調整部用長孔５１Ｈに挿通されたボルト１３３Ｘにねじ込まれたナット１３３Ｙを緩める。すると、第２フレーム５１Ｂに対して、ホッパ９３３の連結部材１３３Ｓが左右方向、及び前後方向に移動自在になる。こうして、ホッパ９３３の位置が左右方向、及び前後方向に移動自在になる。
【０２６８】
なお、第２フレーム５１Ｂに対する第２係合部５５５の位置を左右方向に調整する替わりに、第１連結部５５３に対する第１係合部８３３Ｇの位置を左右方向に調整することができる。詳しくは、第１係合部８３３Ｇの支柱係合部本体６３Ｃのボルト挿通溝６３Ｆ、及び第１連結部５５３の第５ボルト挿通孔６５Ａに挿通されたボルト６３Ｇにねじ込まれたナット６３Ｈを緩めて、ボルト６３Ｇ及びナット６３Ｈを取り外す。すると、第１連結部５５３に対して第１係合部８３３Ｇが左右方向に移動自在になる。このとき、ホッパ９３３の位置を左右方向に調整して、第１連結部５５３の複数の第５ボルト挿通孔６５Ａのいずれか１つを第１係合部８３３Ｇのボルト挿通溝６３Ｆに連通させる。
【０２６９】
そして、ホッパ９３３の位置を左右方向、及び前後方向に調整してホッパ９３３の位置を所定の位置にした後、第２係合部５５５の第３係合部５５８の係合長孔５５５Ｈ、及び第２フレーム５１Ｂの第１折曲部５１Ｅの係合部用長孔５１Ｇに挿通されたボルト５５５Ｌにナット５５５Ｍを再びねじ込む。そして、ホッパ９３３の連結部材１３３Ｓの第５長孔３３Ｗ、及び第２フレーム５１Ｂの第２折曲部５１Ｆの高さ調整部用長孔５１Ｈに挿通されたボルト１３３Ｘにナット１３３Ｙを再びねじ込む。こうして、ホッパ９３３の位置が左右方向、及び前後方向に移動自在になる。
【０２７０】
なお、第１連結部５５３に対して第１係合部８３３Ｇの位置を左右方向に調整した場合は、連通した第１係合部８３３Ｇの支柱係合部本体６３Ｃのボルト挿通溝６３Ｆ、及び第１連結部５５３の第５ボルト挿通孔６５Ａにボルト６３Ｇを挿通する。そして、ボルト６３Ｇにナット６３Ｈを再びねじ込む。
【０２７１】
次に、ホッパ９３３の位置を第１連結部５５３の軸周り方向に調整する場合について説明する。
先ず、ホッパ９３３の高さ調整部本体１３３Ｄの第１貫通孔３６、及び連結部材１３３Ｓの第２貫通孔１３３Ｖに挿通されたボルト１３３Ｘにねじ込まれたナット１３３Ｙを緩めて、ボルト１３３Ｘ及びナット１３３Ｙを取り外す。すると、連結部材１３３Ｓに対してホッパ９３３の高さ調整部本体１３３Ｄが上下方向に移動自在になる。そして、ホッパ９３３の支柱係合部本体６３Ｃのボルト挿通溝６３Ｆ、及び第１連結部５５３の第５ボルト挿通孔６５Ａに挿通されたボルト６３Ｇにねじ込まれたナット６３Ｈを緩める。すると、第１連結部５５３に対して第１係合部８３３Ｇが、第１連結部５５３の軸周り方向に角度自在になる。こうして、ホッパ９３３の位置が第１連結部５５３の軸周り方向に角度自在になる。
【０２７２】
そして、ホッパ９３３の位置を第１連結部５５３の軸周り方向に回転して調整しホッパ９３３の位置を所定の位置した後、連通した高さ調整部本体１３３Ｄの第１貫通孔３６、及び連結部材１３３Ｓの第２貫通孔１３３Ｖにボルト１３３Ｘを挿通して、ボルト１３３Ｘにナット１３３Ｙを再びねじ込む。そして、ホッパ９３３の支柱係合部本体６３Ｃのボルト挿通溝６３Ｆ、及び第１連結部５５３の第５ボルト挿通孔６５Ａに挿通されたボルト６３Ｇにナット６３Ｈを再びねじ込む。こうして、ホッパ９３３の位置が第１連結部５５３の軸周り方向にホッパ９３３の位置を所定の位置に固定することができる。
【０２７３】
このミキサ９３０は、ホッパ９３３がホッパ支持部５０を介して架台３１に連結している。また、ホッパ９３３は位置調整部９５２によってミキサドラム３２に対する位置を容易に調整することができる。このため、このミキサ９３０はホッパ９３３の排出口３３Ｆをミキサドラム３２の開口部３２Ｇに対して、所定の位置に容易に配置することができる。
【０２７４】
したがって、本発明のミキサ９３０も容易に製造することができる。
【０２７５】
また、この位置調整部９５２は、開口部３２Ｇに対する排出口３３Ｆの角度、上下方向、前後方向、及び左右方向の少なくともいずれかの位置を調整する連結部９５１を有している。このため、このミキサ９３０は連結部９５１によってホッパ９３３の位置を調整することができる。これにより、このミキサ９３０はホッパ９３３の排出口３３Ｆの開口方向をミキサドラム３２の開口部３２Ｇの開口方向に容易に合わせることができる。
【０２７６】
また、この位置調整部９５２は、連結部９５１の一部が、回転軸に対して直交し、水平方向に延びる第１連結部５５３と、第１連結部５５３に係合する第１係合部８３３Ｇとを有している。第１連結部５５３がホッパ支持部５０に設けられ、第１係合部８３３Ｇがホッパ９３３に設けられて、排出口３３Ｆを開口部３２Ｇに対して角度自在に調整する。このため、このミキサ９３０はホッパ９３３が第１係合部８３３Ｇ及び第１連結部５５３を介してホッパ支持部５０に連結する。つまり、このミキサ９３０はホッパ９３３とホッパ支持部５０とを溶接して連結しない。これにより、このミキサ９３０はホッパ９３３を取り付ける際に溶接によるスパッタが発生しない。このため、このミキサ９３０はスパッタの付着を防止するために溶接する場所の周囲を養生する必要がない。また、このミキサ９３０は溶接資格を有していない作業者であってもホッパ９３３をホッパ支持部５０に取り付けることができる。
【０２７７】
また、この位置調整部９５２は、第１連結部５５３とホッパ支持部５０とを連結する第２連結部５５４と、ホッパ支持部５０に対する第２連結部５５４の位置を上下方向に高さ自在に調整して係合する第２係合部５５５とを有している。このため、このミキサ９３０は第２係合部５５５に第２連結部５５４のホッパ支持部５０に対する位置を調整する機能を設けることによって、第２連結部５５４やホッパ支持部５０の構造を簡単にすることができる。これにより、このミキサ９３０は第２連結部５５４やホッパ支持部５０を容易に製造することができるため、製造する手間を抑えることができる。
【０２７８】
また、この位置調整部９５２は、ホッパ支持部５０に対するホッパ９３３の位置を前後方向に自在に調整して、連結部９５１とホッパ支持部５０とを係合する第３係合部５５８を有している。このため、このミキサ５３０は第３係合部５５８を介して連結部９５１とホッパ支持部５０とを係合することができる。つまり、このミキサ９３０は連結部９５１とホッパ支持部５０とを溶接していない。これにより、このミキサ９３０は連結部９５１をホッパ支持部５０に取り付ける際に溶接によるスパッタが発生しない。このため、このミキサ９３０はスパッタの付着を防止するために溶接する場所の周囲を養生する必要がない。また、このミキサ９３０は溶接資格を有していない作業者であっても連結部９５１をホッパ支持部５０に取り付けることができる。
【０２７９】
また、この位置調整部９５２は、ホッパ支持部５０に対するホッパ９３３の位置を左右方向に自在に調整して、連結部９５１とホッパ支持部５０とを係合する第３係合部５５８（第４係合部）を有している。このため、このミキサ９３０は第３係合部５５８を介して連結部９５１とホッパ支持部５０とを係合することができる。つまり、このミキサ９３０は連結部９５１とホッパ支持部５０とを溶接していない。これにより、このミキサ９３０は連結部９５１をホッパ支持部５０に取り付ける際に溶接によるスパッタが発生しない。このため、このミキサ９３０はスパッタの付着を防止するために溶接する場所の周囲を養生する必要がない。また、このミキサ９３０は溶接資格を有していない作業者であっても連結部９５１をホッパ支持部５０に取り付けることができる。
【０２８０】
また、この第１連結部５５３は、断面形状の外形が円形状である。このため、このミキサ９３０は第１連結部５５３の円形状の周方向にホッパ９３３を回動させてホッパ９３３の位置を調整することができる。これにより、このミキサ９３０はホッパ９３３の排出口３３Ｆの開口方向をミキサドラム３２の開口部３２Ｇの開口方向に容易に合わせることができる。
【０２８１】
また、このホッパ支持部５０は、前後方向に延びた係合部用長孔５１Ｇを具備し、第３係合部５５８が係合部用長孔５１Ｇを介してホッパ支持部５０に連結される。このため、このミキサ５３０は第３係合部５５８のホッパ支持部５０に対する位置を係合部用長孔５１Ｇが延びる方向に容易に調整して、連結部９５１とホッパ支持部５０とを連結することができる。
【０２８２】
また、この第３係合部５５８（第４係合部）は、左右方向に延びた係合長孔５５５Ｈを具備し、第３係合部５５８が係合長孔５５５Ｈを介してホッパ支持部５０に連結される。このため、このミキサ９３０は第４係合部のホッパ支持部５０に対する位置を係合長孔５５５Ｈが延びる方向に容易に調整して、連結部９５１とホッパ支持部５０とを連結することができる。
【０２８３】
また、このミキサ９３０は、ホッパ９３３の後側に設けられ、ホッパ支持部５０に対するホッパ９３３の後側の位置を上下方向に自在に調整する高さ調整部３Ｂを備えている。このため、このミキサ９３０はホッパ支持部５０に対するホッパ９３３の後側の位置を高さ調整部３Ｂを調整することによって上下方向に自在に調整する。これにより、このミキサ９３０はホッパ９３３の排出口３３Ｆの開口方向をミキサドラム３２の開口部３２Ｇの開口方向により良好に合わせることができる。
【０２８４】
また、この高さ調整部３Ｂは、第１貫通孔３６を具備して、ホッパ９３３の後側に立設した高さ調整部本体１３３Ｄと、第２貫通孔１３３Ｖを具備して、高さ調整部本体１３３Ｄとホッパ支持部５０とを互いに連結する連結部材１３３Ｓとを有しており、第１貫通孔３６及び第２貫通孔１３３Ｖが上下方向に一列に並び複数設けられ、第１貫通孔３６と第２貫通孔１３３Ｖとにボルト１３３Ｘを挿通して高さ調整部本体１３３Ｄと連結部材１３３Ｓとを連結している。このため、このミキサ９３０は連通した第１貫通孔３６及び第２貫通孔１３３Ｖにボルト１３３Ｘを挿通することができる。つまり、このミキサ９３０はホッパ支持部５０に対するホッパ９３３の後側の位置を上下方向に容易に調整することができる。
【０２８５】
また、このミキサ９３０は第１貫通孔３６及び第２貫通孔１３３Ｖが複数設けられており、第１貫通孔３６の互いに隣り合う間の寸法と、第２貫通孔１３３Ｖの互いに隣り合う間の寸法とが異なる。このため、このミキサ９３０は第１貫通孔３６、及び第２貫通孔１３３Ｖのそれぞれの隣り合う間の寸法の差分互いに上下方向にずらすことによって、連通した孔の隣り合う孔を連通させることができる。つまり、このミキサ９３０はホッパ支持部５０に対するホッパ９３３の後側の位置を上下方向に微調整することができる。
【０２８６】
また、このミキサ９３０はミキサ車に備えられている。このため、このミキサ９３０を備えたミキサ車はホッパ９３３の排出口３３Ｆをミキサドラム３２の開口部３２Ｇに対して、所定の位置に容易に配置することができる。
【０２８７】
＜他の実施形態＞
本発明は上記記述及び図面によって説明した実施形態１〜１０に限定されるものではなく、例えば次のような実施形態も本発明の技術的範囲に含まれる。
（１）実施形態１〜３では、第１連結部の両端に第２連結部が連続して連結しているが、これに限らず、第１連結部の両端に第２連結部が連続して連結しなくても良い。
（２）実施形態２では、片方の第２連結部の下端部に第２係合部を２つ連結しているが、これに限らず、片方の第２連結部の下端部に第２係合部を１つ連結しても良い。
（３）実施形態２では、第２連結部の下端部が後方向に延びているが、これに限らず、第２連結部の下端部が前方向に延びていても良い。
（４）実施形態２〜５では、連結部材に３つの第２貫通孔が設けられているが、これに限らず、第２貫通孔の数が２つ以下でも良く、４つ以上でも良い。
（５）実施形態２〜５では、高さ調整部本体の第４折曲部のそれぞれに３つの第１貫通孔が設けられているが、これに限らず、第１貫通孔の数が２つ以下でも良く、４つ以上でも良い。
（６）実施形態３では、第２係合基部に第１ねじ穴、及び第２ねじ穴が設けられているが、これに限らず、第２係合基部に第１凹部を挟み、直方体状の左右方向に貫通して２つの挿通孔を設けても良い。
（７）実施形態８、９では、支柱部の断面形状の外形が円形状であるが、これに限らず、支柱部の断面形状の外形を多角形にしても良い。この場合、支持係合部本体の半円筒部の内側の形状を支柱部の外形形状に合わせる。これにより、支柱部に対して支持係合部本体が不用意に回転することを抑えることができる。
（８）実施形態７、８では、ホッパの位置を左右方向に調整できないが、一対の第２連結部の下端部のそれぞれに連結した第２係合部の第２係合基部と第２フレームの基部との間に所定の厚みのスペーサを挟み、第２係合部と第２フレームとを連結することによって、ホッパの位置を左右方向に調整することができる。
【符号の説明】
【０２８８】
３Ａ，３Ｂ…高さ調整部、３１…架台、３２…ミキサドラム、３２Ｇ…開口部、３３，１３３，２３３，３３３，４３３，５３３，６３３，７３３，８３３，９３３…ホッパ、３３Ｄ，１３３Ｄ…高さ調整部本体、３３Ｅ…投入口、３３Ｆ…排出口、３３Ｇ，３５Ｃ，２３３Ｇ，５３３Ｇ，６３３Ｇ，７３３Ｇ，８３３Ｇ…第１係合部、３３Ｓ，１３３Ｓ…連結部材、３３Ｖ，１３３Ｖ…第２貫通孔、３６…第１貫通孔、５０…ホッパ支持部、５１Ｇ，３５１Ｇ…係合部用長孔、５１Ｈ…高さ調整部用長孔、５１，１５１，２５１，３５１，５５１，６５１，７５１，８５１，９５１…連結部、５２，１５２，２５２，３５２，４５２，５５２，６５２，７５２，８５２，９５２…位置調整部、５３，１５３，２５３，３５３，５５３，６５３…第１連結部、５４，１５４，２５４，５５４，６５４…第２連結部、５５，１５５，２５５，３５５，５５５…第２係合部、５５Ｂ，５５Ｃ，５８，７０Ｈ，５５８…第３係合部、５５Ｂ，５５Ｃ，７０Ｈ，５５８…第４係合部、５５Ｈ，３５５Ｈ，７０Ｋ，５５５Ｈ…係合長孔
【図１】
2018118408.tif 000003
【図２】
2018118408.tif 000004
【図３】
2018118408.tif 000005
【図４】
2018118408.tif 000006
【図５】
2018118408.tif 000007
【図６】
2018118408.tif 000008
【図７】
2018118408.tif 000009
【図８】
2018118408.tif 000010
【図９】
2018118408.tif 000011
【図１０】
2018118408.tif 000012
【図１１】
2018118408.tif 000013
【図１２】
2018118408.tif 000014
【図１３】
2018118408.tif 000015
【図１４】
2018118408.tif 000016
【図１５】
2018118408.tif 000017
【図１６】
2018118408.tif 000018
【図１７】
2018118408.tif 000019
【図１８】
2018118408.tif 000020
【図１９】
2018118408.tif 000021
【図２０】
2018118408.tif 000022
【図２１】
2018118408.tif 000023
【図２２】
2018118408.tif 000024
【図２３】
2018118408.tif 000025
【図２４】
2018118408.tif 000026
【図２５】
2018118408.tif 000027